(57)【要約】  三次元データ符号化方法は、三次元データに含まれる複数の三次元点のＮ（Ｎは２以上の整数）分木構造を表すビット列を複数の符号化テーブルから選択された符号化テーブルを用いてエントロピー符号化し、ビット列は、Ｎ分木構造におけるノード毎にＮビットの情報を含み、Ｎビットの情報は、対応するノードのＮ個の子ノードの各々に三次元点が存在するか否かを示す１ビットの情報をＮ個含み、複数の符号化テーブルの各々において、Ｎビットの情報の各ビットに対してコンテキストが設けられており、エントロピー符号化では、Ｎビットの情報の各ビットを、選択された符号化テーブルにおいて当該ビットに対して設けられているコンテキストを用いてエントロピー符号化する。
2019146691.tif 000002
【特許請求の範囲】
【請求項１】
三次元データに含まれる複数の三次元点のＮ（Ｎは２以上の整数）分木構造を表すビット列を複数の符号化テーブルから選択された符号化テーブルを用いてエントロピー符号化し、
前記ビット列は、前記Ｎ分木構造におけるノード毎にＮビットの情報を含み、
前記Ｎビットの情報は、対応するノードのＮ個の子ノードの各々に三次元点が存在するか否かを示す１ビットの情報をＮ個含み、
前記複数の符号化テーブルの各々において、前記Ｎビットの情報の各ビットに対してコンテキストが設けられており、
前記エントロピー符号化では、前記Ｎビットの情報の各ビットを、前記選択された符号化テーブルにおいて当該ビットに対して設けられているコンテキストを用いてエントロピー符号化する
三次元データ符号化方法。
【請求項２】
前記エントロピー符号化では、
対象のノードに隣接する複数の隣接ノードの各々に三次元点が存在するかに基づき、前記複数の符号化テーブルから使用する符号化テーブルを選択する
請求項１記載の三次元データ符号化方法。
【請求項３】
前記エントロピー符号化では、
前記複数の隣接ノードのうち三次元点が存在する隣接ノードの配置位置を示す配置パターンに基づき前記符号化テーブルを選択し、
前記配置パターンのうち、回転により同一の配置パターンとなる配置パターンに対しては、同一の符号化テーブルを選択する
請求項２記載の三次元データ符号化方法。
【請求項４】
前記エントロピー符号化では、
対象のノードが属する層に基づき、前記複数の符号化テーブルから使用する符号化テーブルを選択する
請求項１記載の三次元データ符号化方法。
【請求項５】
前記エントロピー符号化では、
対象のノードの法線ベクトルに基づき、前記複数の符号化テーブルから使用する符号化テーブルを選択する
請求項１記載の三次元データ符号化方法。
【請求項６】
三次元データに含まれる複数の三次元点のＮ（Ｎは２以上の整数）分木構造を表すビット列を複数の符号化テーブルから選択された符号化テーブルを用いてエントロピー復号し、
前記ビット列は、前記Ｎ分木構造におけるノード毎にＮビットの情報を含み、
前記Ｎビットの情報は、対応するノードのＮ個の子ノードの各々に三次元点が存在するか否かを示す１ビットの情報をＮ個含み、
前記複数の符号化テーブルの各々において、前記Ｎビットの情報の各ビットに対してコンテキストが設けられており、
前記エントロピー復号では、前記Ｎビットの情報の各ビットを、前記選択された符号化テーブルにおいて当該ビットに対して設けられているコンテキストを用いてエントロピー復号する
三次元データ復号方法。
【請求項７】
前記エントロピー復号では、
対象のノードに隣接する複数の隣接ノードの各々に三次元点が存在するかに基づき、前記複数の符号化テーブルから使用する符号化テーブルを選択する
請求項６記載の三次元データ復号方法。
【請求項８】
前記エントロピー復号では、
前記複数の隣接ノードのうち三次元点が存在する隣接ノードの配置位置を示す配置パターンに基づき前記符号化テーブルを選択し、
前記配置パターンのうち、回転により同一の配置パターンとなる配置パターンに対しては、同一の符号化テーブルを選択する
請求項７記載の三次元データ復号方法。
【請求項９】
前記エントロピー復号では、
対象のノードが属する層に基づき、前記複数の符号化テーブルから使用する符号化テーブルを選択する
請求項６記載の三次元データ復号方法。
【請求項１０】
前記エントロピー復号では、
対象のノードの法線ベクトルに基づき、前記複数の符号化テーブルから使用する符号化テーブルを選択する
請求項６記載の三次元データ復号方法。
【請求項１１】
プロセッサと、
メモリとを備え、
前記プロセッサは、前記メモリを用いて、
三次元データに含まれる複数の三次元点のＮ（Ｎは２以上の整数）分木構造を表すビット列を複数の符号化テーブルから選択された符号化テーブルを用いてエントロピー符号化し、
前記ビット列は、前記Ｎ分木構造におけるノード毎にＮビットの情報を含み、
前記Ｎビットの情報は、対応するノードのＮ個の子ノードの各々に三次元点が存在するか否かを示す１ビットの情報をＮ個含み、
前記複数の符号化テーブルの各々において、前記Ｎビットの情報の各ビットに対してコンテキストが設けられており、
前記エントロピー符号化では、前記Ｎビットの情報の各ビットを、前記選択された符号化テーブルにおいて当該ビットに対して設けられているコンテキストを用いてエントロピー符号化する
三次元データ符号化装置。
【請求項１２】
プロセッサと、
メモリとを備え、
前記プロセッサは、前記メモリを用いて、
三次元データに含まれる複数の三次元点のＮ（Ｎは２以上の整数）分木構造を表すビット列を複数の符号化テーブルから選択された符号化テーブルを用いてエントロピー復号し、
前記ビット列は、前記Ｎ分木構造におけるノード毎にＮビットの情報を含み、
前記Ｎビットの情報は、対応するノードのＮ個の子ノードの各々に三次元点が存在するか否かを示す１ビットの情報をＮ個含み、
前記複数の符号化テーブルの各々において、前記Ｎビットの情報の各ビットに対してコンテキストが設けられており、
前記エントロピー復号では、前記Ｎビットの情報の各ビットを、前記選択された符号化テーブルにおいて当該ビットに対して設けられているコンテキストを用いてエントロピー復号する
三次元データ復号装置。
【発明の詳細な説明】
【技術分野】
【０００１】
本開示は、三次元データ符号化方法、三次元データ復号方法、三次元データ符号化装置、及び三次元データ復号装置に関する。
【背景技術】
【０００２】
自動車或いはロボットが自律的に動作するためのコンピュータビジョン、マップ情報、監視、インフラ点検、又は、映像配信など、幅広い分野において、今後、三次元データを活用した装置又はサービスの普及が見込まれる。三次元データは、レンジファインダなどの距離センサ、ステレオカメラ、又は複数の単眼カメラの組み合わせなど様々な方法で取得される。【０００３】
三次元データの表現方法の１つとして、三次元空間内の点群によって三次元構造の形状を表すポイントクラウドと呼ばれる表現方法がある。ポイントクラウドでは、点群の位置と色とが格納される。ポイントクラウドは三次元データの表現方法として主流になると予想されるが、点群はデータ量が非常に大きい。よって、三次元データの蓄積又は伝送においては二次元の動画像（一例として、ＭＰＥＧで規格化されたＭＰＥＧ−４  ＡＶＣ又はＨＥＶＣなどがある）と同様に、符号化によるデータ量の圧縮が必須となる。【０００４】
また、ポイントクラウドの圧縮については、ポイントクラウド関連の処理を行う公開のライブラリ（Ｐｏｉｎｔ  Ｃｌｏｕｄ  Ｌｉｂｒａｒｙ）などによって一部サポートされている。【０００５】
また、三次元の地図データを用いて、車両周辺に位置する施設を検索し、表示する技術が知られている（例えば、特許文献１参照）。
【先行技術文献】
【特許文献】
【０００６】
【特許文献１】国際公開第２０１４／０２０６６３号
【発明の概要】
【発明が解決しようとする課題】
【０００７】
三次元データの符号化において符号化効率を向上できることが望まれている。【０００８】
本開示は、符号化効率を向上できる三次元データ符号化方法、三次元データ復号方法、三次元データ符号化装置又は三次元データ復号装置を提供することを目的とする。
【課題を解決するための手段】
【０００９】
本開示の一態様に係る三次元データ符号化方法は、三次元データに含まれる複数の三次元点のＮ（Ｎは２以上の整数）分木構造を表すビット列を複数の符号化テーブルから選択された符号化テーブルを用いてエントロピー符号化し、前記ビット列は、前記Ｎ分木構造におけるノード毎にＮビットの情報を含み、前記Ｎビットの情報は、対応するノードのＮ個の子ノードの各々に三次元点が存在するか否かを示す１ビットの情報をＮ個含み、前記複数の符号化テーブルの各々において、前記Ｎビットの情報の各ビットに対してコンテキストが設けられており、前記エントロピー符号化では、前記Ｎビットの情報の各ビットを、前記選択された符号化テーブルにおいて当該ビットに対して設けられているコンテキストを用いてエントロピー符号化する。【００１０】
本開示の一態様に係る三次元データ復号方法は、三次元データに含まれる複数の三次元点のＮ（Ｎは２以上の整数）分木構造を表すビット列を複数の符号化テーブルから選択された符号化テーブルを用いてエントロピー復号し、前記ビット列は、前記Ｎ分木構造におけるノード毎にＮビットの情報を含み、前記Ｎビットの情報は、対応するノードのＮ個の子ノードの各々に三次元点が存在するか否かを示す１ビットの情報をＮ個含み、前記複数の符号化テーブルの各々において、前記Ｎビットの情報の各ビットに対してコンテキストが設けられており、前記エントロピー復号では、前記Ｎビットの情報の各ビットを、前記選択された符号化テーブルにおいて当該ビットに対して設けられているコンテキストを用いてエントロピー復号する。
【発明の効果】
【００１１】
本開示は、符号化効率を向上できる三次元データ符号化方法、三次元データ復号方法、三次元データ符号化装置又は三次元データ復号装置を提供できる。
【図面の簡単な説明】
【００１２】
【図１】図１は、実施の形態１に係る符号化三次元データの構成を示す図である。
【図２】図２は、実施の形態１に係るＧＯＳの最下層レイヤに属するＳＰＣ間の予測構造の一例を示す図である。
【図３】図３は、実施の形態１に係るレイヤ間の予測構造の一例を示す図である。
【図４】図４は、実施の形態１に係るＧＯＳの符号化順の一例を示す図である。
【図５】図５は、実施の形態１に係るＧＯＳの符号化順の一例を示す図である。
【図６】図６は、実施の形態１に係る三次元データ符号化装置のブロック図である。
【図７】図７は、実施の形態１に係る符号化処理のフローチャートである。
【図８】図８は、実施の形態１に係る三次元データ復号装置のブロック図である。
【図９】図９は、実施の形態１に係る復号処理のフローチャートである。
【図１０】図１０は、実施の形態１に係るメタ情報の一例を示す図である。
【図１１】図１１は、実施の形態２に係るＳＷＬＤの構成例を示す図である。
【図１２】図１２は、実施の形態２に係るサーバ及びクライアントの動作例を示す図である。
【図１３】図１３は、実施の形態２に係るサーバ及びクライアントの動作例を示す図である。
【図１４】図１４は、実施の形態２に係るサーバ及びクライアントの動作例を示す図である。
【図１５】図１５は、実施の形態２に係るサーバ及びクライアントの動作例を示す図である。
【図１６】図１６は、実施の形態２に係る三次元データ符号化装置のブロック図である。
【図１７】図１７は、実施の形態２に係る符号化処理のフローチャートである。
【図１８】図１８は、実施の形態２に係る三次元データ復号装置のブロック図である。
【図１９】図１９は、実施の形態２に係る復号処理のフローチャートである。
【図２０】図２０は、実施の形態２に係るＷＬＤの構成例を示す図である。
【図２１】図２１は、実施の形態２に係るＷＬＤの８分木構造の例を示す図である。
【図２２】図２２は、実施の形態２に係るＳＷＬＤの構成例を示す図である。
【図２３】図２３は、実施の形態２に係るＳＷＬＤの８分木構造の例を示す図である。
【図２４】図２４は、実施の形態３に係る三次元データ作成装置のブロック図である。
【図２５】図２５は、実施の形態３に係る三次元データ送信装置のブロック図である。
【図２６】図２６は、実施の形態４に係る三次元情報処理装置のブロック図である。
【図２７】図２７は、実施の形態５に係る三次元データ作成装置のブロック図である。
【図２８】図２８は、実施の形態６に係るシステムの構成を示す図である。
【図２９】図２９は、実施の形態６に係るクライアント装置のブロック図である。
【図３０】図３０は、実施の形態６に係るサーバのブロック図である。
【図３１】図３１は、実施の形態６に係るクライアント装置による三次元データ作成処理のフローチャートである。
【図３２】図３２は、実施の形態６に係るクライアント装置によるセンサ情報送信処理のフローチャートである。
【図３３】図３３は、実施の形態６に係るサーバによる三次元データ作成処理のフローチャートである。
【図３４】図３４は、実施の形態６に係るサーバによる三次元マップ送信処理のフローチャートである。
【図３５】図３５は、実施の形態６に係るシステムの変形例の構成を示す図である。
【図３６】図３６は、実施の形態６に係るサーバ及びクライアント装置の構成を示す図である。
【図３７】図３７は、実施の形態７に係る三次元データ符号化装置のブロック図である。
【図３８】図３８は、実施の形態７に係る予測残差の例を示す図である。
【図３９】図３９は、実施の形態７に係るボリュームの例を示す図である。
【図４０】図４０は、実施の形態７に係るボリュームの８分木表現の例を示す図である。
【図４１】図４１は、実施の形態７に係るボリュームのビット列の例を示す図である。
【図４２】図４２は、実施の形態７に係るボリュームの８分木表現の例を示す図である。
【図４３】図４３は、実施の形態７に係るボリュームの例を示す図である。
【図４４】図４４は、実施の形態７に係るイントラ予測処理を説明するための図である。
【図４５】図４５は、実施の形態７に係る回転及び並進処理を説明するための図である。
【図４６】図４６は、実施の形態７に係るＲＴ適用フラグ及びＲＴ情報のシンタックス例を示す図である。
【図４７】図４７は、実施の形態７に係るインター予測処理を説明するための図である。
【図４８】図４８は、実施の形態７に係る三次元データ復号装置のブロック図である。
【図４９】図４９は、実施の形態７に係る三次元データ符号化装置による三次元データ符号化処理のフローチャートである。
【図５０】図５０は、実施の形態７に係る三次元データ復号装置による三次元データ復号処理のフローチャートである。
【図５１】図５１は、実施の形態８に係る配信システムの構成を示す図である。
【図５２】図５２は、実施の形態８に係る符号化三次元マップのビットストリームの構成例を示す図である。
【図５３】図５３は、実施の形態８に係る符号化効率の改善効果を説明するための図である。
【図５４】図５４は、実施の形態８に係るサーバによる処理のフローチャートである。
【図５５】図５５は、実施の形態８に係るクライアントによる処理のフローチャートである。
【図５６】図５６は、実施の形態８に係るサブマップのシンタックス例を示す図である。
【図５７】図５７は、実施の形態８に係る符号化タイプの切り替え処理を模式的に示す図である。
【図５８】図５８は、実施の形態８に係るサブマップのシンタックス例を示す図である。
【図５９】図５９は、実施の形態８に係る三次元データ符号化処理のフローチャートである。
【図６０】図６０は、実施の形態８に係る三次元データ復号処理のフローチャートである。
【図６１】図６１は、実施の形態８に係る符号化タイプの切り替え処理の変形例の動作を模式的に示す図である。
【図６２】図６２は、実施の形態８に係る符号化タイプの切り替え処理の変形例の動作を模式的に示す図である。
【図６３】図６３は、実施の形態８に係る符号化タイプの切り替え処理の変形例の動作を模式的に示す図である。
【図６４】図６４は、実施の形態８に係る差分値の算出処理の変形例の動作を模式的に示す図である。
【図６５】図６５は、実施の形態８に係る差分値の算出処理の変形例の動作を模式的に示す図である。
【図６６】図６６は、実施の形態８に係る差分値の算出処理の変形例の動作を模式的に示す図である。
【図６７】図６７は、実施の形態８に係る差分値の算出処理の変形例の動作を模式的に示す図である。
【図６８】図６８は、実施の形態８に係るボリュームのシンタックス例を示す図である。
【図６９】図６９は、実施の形態９に係る重要領域の例を示す図である。
【図７０】図７０は、実施の形態９に係るオキュパンシー符号の一例を示す図である。
【図７１】図７１は、実施の形態９に係る４分木構造の一例を示す図である。
【図７２】図７２は、実施の形態９に係るオキュパンシー符号及びロケーション符号の一例を示す図である。
【図７３】図７３は、実施の形態９に係るＬｉＤＡＲで得られた三次元点の例を示す図である。
【図７４】図７４は、実施の形態９に係る８分木構造の例を示す図である。
【図７５】図７５は、実施の形態９に係る混合符号化の例を示す図である。
【図７６】図７６は、実施の形態９に係るロケーション符号化とオキュパンシー符号化との切り替え方法を説明するための図である。
【図７７】図７７は、実施の形態９に係るロケーション符号化のビットストリームの一例を示す図である。
【図７８】図７８は、実施の形態９に係る混合符号化のビットストリームの一例を示す図である。
【図７９】図７９は、実施の形態９に係る重要三次元点のオキュパンシー符号の木構造を示す図である。
【図８０】図８０は、実施の形態９に係る非重要三次元点のオキュパンシー符号の木構造を示す図である。
【図８１】図８１は、実施の形態９に係る混合符号化のビットストリームの一例を示す図である。
【図８２】図８２は、実施の形態９に係る符号化モード情報を含むビットストリームの一例を示す図である。
【図８３】図８３は、実施の形態９に係るシンタックス例を示す図である。
【図８４】図８４は、実施の形態９に係る符号化処理のフローチャートである。
【図８５】図８５は、実施の形態９に係るノード符号化処理のフローチャートである。
【図８６】図８６は、実施の形態９に係る復号処理のフローチャートである。
【図８７】図８７は、実施の形態９に係るノード復号処理のフローチャートである。
【図８８】図８８は、実施の形態１０に係る木構造の一例を示す図である。
【図８９】図８９は、実施の形態１０に係る各枝が持つ有効リーフの数の例を表す図である。
【図９０】図９０は、実施の形態１０に係る符号化方式の適用例を示す図である。
【図９１】図９１は、実施の形態１０に係る密な枝領域の例を示す図である。
【図９２】図９２は、実施の形態１０に係る密な三次元点群の例を示す図である。
【図９３】図９３は、実施の形態１０に係る疎な三次元点群の例を示す図である。
【図９４】図９４は、実施の形態１０に係る符号化処理のフローチャートである。
【図９５】図９５は、実施の形態１０に係る復号処理のフローチャートである。
【図９６】図９６は、実施の形態１０に係る符号化処理のフローチャートである。
【図９７】図９７は、実施の形態１０に係る復号処理のフローチャートである。
【図９８】図９８は、実施の形態１０に係る符号化処理のフローチャートである。
【図９９】図９９は、実施の形態１０に係る復号処理のフローチャートである。
【図１００】図１００は、実施の形態１０に係る三次元点の分離処理のフローチャートである。
【図１０１】図１０１は、実施の形態１０に係るシンタックス例を示す図である。
【図１０２】図１０２は、実施の形態１０に係る密な枝の例を示す図である。
【図１０３】図１０３は、実施の形態１０に係る疎な枝の例を示す図である。
【図１０４】図１０４は、実施の形態１０の変形例に係る符号化処理のフローチャートである。
【図１０５】図１０５は、実施の形態１０の変形例に係る復号処理のフローチャートである。
【図１０６】図１０６は、実施の形態１０の変形例に係る三次元点の分離処理のフローチャートである。
【図１０７】図１０７は、実施の形態１０の変形例に係るシンタックス例を示す図である。
【図１０８】図１０８は、実施の形態１０に係る符号化処理のフローチャートである。
【図１０９】図１０９は、実施の形態１０に係る復号処理のフローチャートである。
【図１１０】図１１０は、実施の形態１１に係る木構造の一例を示す図である。
【図１１１】図１１１は、実施の形態１１に係るオキュパンシー符号の一例を示す図である。
【図１１２】図１１２は、実施の形態１１に係る三次元データ符号化装置の動作を模式的に示す図である。
【図１１３】図１１３は、実施の形態１１に係る幾何情報の一例を示す図である。
【図１１４】図１１４は、実施の形態１１に係る幾何情報を用いた符号化テーブルの選択例を示す図である。
【図１１５】図１１５は、実施の形態１１に係る構造情報を用いた符号化テーブルの選択例を示す図である。
【図１１６】図１１６は、実施の形態１１に係る属性情報を用いた符号化テーブルの選択例を示す図である。
【図１１７】図１１７は、実施の形態１１に係る属性情報を用いた符号化テーブルの選択例を示す図である。
【図１１８】図１１８は、実施の形態１１に係るビットストリームの構成例を示す図である。
【図１１９】図１１９は、実施の形態１１に係る符号化テーブルの一例を示す図である。
【図１２０】図１２０は、実施の形態１１に係る符号化テーブルの一例を示す図である。
【図１２１】図１２１は、実施の形態１１に係るビットストリームの構成例を示す図である。
【図１２２】図１２２は、実施の形態１１に係る符号化テーブルの一例を示す図である。
【図１２３】図１２３は、実施の形態１１に係る符号化テーブルの一例を示す図である。
【図１２４】図１２４は、実施の形態１１に係るオキュパンシー符号のビット番号の一例を示す図である。
【図１２５】図１２５は、実施の形態１１に係る幾何情報を用いた符号化処理のフローチャートである。
【図１２６】図１２６は、実施の形態１１に係る幾何情報を用いた復号処理のフローチャートである。
【図１２７】図１２７は、実施の形態１１に係る構造情報を用いた符号化処理のフローチャートである。
【図１２８】図１２８は、実施の形態１１に係る構造情報を用いた復号処理のフローチャートである。
【図１２９】図１２９は、実施の形態１１に係る属性情報を用いた符号化処理のフローチャートである。
【図１３０】図１３０は、実施の形態１１に係る属性情報を用いた復号処理のフローチャートである。
【図１３１】図１３１は、実施の形態１１に係る幾何情報を用いた符号化テーブル選択処理のフローチャートである。
【図１３２】図１３２は、実施の形態１１に係る構造情報を用いた符号化テーブル選択処理のフローチャートである。
【図１３３】図１３３は、実施の形態１１に係る属性情報を用いた符号化テーブル選択処理のフローチャートである。
【図１３４】図１３４は、実施の形態１１に係る三次元データ符号化装置のブロック図である。
【図１３５】図１３５は、実施の形態１１に係る三次元データ復号装置のブロック図である。
【発明を実施するための形態】
【００１３】
本開示の一態様に係る三次元データ符号化方法は、三次元データに含まれる複数の三次元点のＮ（Ｎは２以上の整数）分木構造を表すビット列を複数の符号化テーブルから選択された符号化テーブルを用いてエントロピー符号化し、前記ビット列は、前記Ｎ分木構造におけるノード毎にＮビットの情報を含み、前記Ｎビットの情報は、対応するノードのＮ個の子ノードの各々に三次元点が存在するか否かを示す１ビットの情報をＮ個含み、前記複数の符号化テーブルの各々において、前記Ｎビットの情報の各ビットに対してコンテキストが設けられており、前記エントロピー符号化では、前記Ｎビットの情報の各ビットを、前記選択された符号化テーブルにおいて当該ビットに対して設けられているコンテキストを用いてエントロピー符号化する。
【００１４】
これによれば、当該三次元データ符号化方法は、ビット毎にコンテキストを切り替えることで符号化効率を向上できる。
【００１５】
例えば、前記エントロピー符号化では、対象のノードに隣接する複数の隣接ノードの各々に三次元点が存在するかに基づき、前記複数の符号化テーブルから使用する符号化テーブルを選択してもよい。
【００１６】
これによれば、当該三次元データ符号化方法は、隣接ノードに三次元点が存在するか否かに基づき符号化テーブルを切り替えることで符号化効率を向上できる。
【００１７】
例えば、前記エントロピー符号化では、前記複数の隣接ノードのうち三次元点が存在する隣接ノードの配置位置を示す配置パターンに基づき前記符号化テーブルを選択し、前記配置パターンのうち、回転により同一の配置パターンとなる配置パターンに対しては、同一の符号化テーブルを選択してもよい。
【００１８】
これによれば、当該三次元データ符号化方法は、符号化テーブルの増加を抑制できる。
【００１９】
例えば、前記エントロピー符号化では、対象のノードが属する層に基づき、前記複数の符号化テーブルから使用する符号化テーブルを選択してもよい。
【００２０】
これによれば、当該三次元データ符号化方法は、対象ノードが属する層に基づき符号化テーブルを切り替えることで符号化効率を向上できる。
【００２１】
例えば、前記エントロピー符号化では、対象のノードの法線ベクトルに基づき、前記複数の符号化テーブルから使用する符号化テーブルを選択してもよい。
【００２２】
これによれば、当該三次元データ符号化方法は、法線ベクトルに基づき符号化テーブルを切り替えることで符号化効率を向上できる。
【００２３】
また、本開示の一態様に係る三次元データ復号方法は、三次元データに含まれる複数の三次元点のＮ（Ｎは２以上の整数）分木構造を表すビット列を複数の符号化テーブルから選択された符号化テーブルを用いてエントロピー復号し、前記ビット列は、前記Ｎ分木構造におけるノード毎にＮビットの情報を含み、前記Ｎビットの情報は、対応するノードのＮ個の子ノードの各々に三次元点が存在するか否かを示す１ビットの情報をＮ個含み、前記複数の符号化テーブルの各々において、前記Ｎビットの情報の各ビットに対してコンテキストが設けられており、前記エントロピー復号では、前記Ｎビットの情報の各ビットを、前記選択された符号化テーブルにおいて当該ビットに対して設けられているコンテキストを用いてエントロピー復号する。
【００２４】
これによれば、当該三次元データ復号方法は、ビット毎にコンテキストを切り替えることで符号化効率を向上できる。
【００２５】
例えば、前記エントロピー復号では、対象のノードに隣接する複数の隣接ノードの各々に三次元点が存在するかに基づき、前記複数の符号化テーブルから使用する符号化テーブルを選択してもよい。
【００２６】
これによれば、当該三次元データ復号方法は、隣接ノードに三次元点が存在するか否かに基づき符号化テーブルを切り替えることで符号化効率を向上できる。
【００２７】
例えば、前記エントロピー復号では、前記複数の隣接ノードのうち三次元点が存在する隣接ノードの配置位置を示す配置パターンに基づき前記符号化テーブルを選択し、前記配置パターンのうち、回転により同一の配置パターンとなる配置パターンに対しては、同一の符号化テーブルを選択してもよい。
【００２８】
これによれば、当該三次元データ復号方法は、符号化テーブルの増加を抑制できる。
【００２９】
例えば、前記エントロピー復号では、対象のノードが属する層に基づき、前記複数の符号化テーブルから使用する符号化テーブルを選択してもよい。
【００３０】
これによれば、当該三次元データ復号方法は、対象ノードが属する層に基づき符号化テーブルを切り替えることで符号化効率を向上できる。
【００３１】
例えば、前記エントロピー復号では、対象のノードの法線ベクトルに基づき、前記複数の符号化テーブルから使用する符号化テーブルを選択してもよい。
【００３２】
これによれば、当該三次元データ復号方法は、法線ベクトルに基づき符号化テーブルを切り替えることで符号化効率を向上できる。
【００３３】
また、本開示の一態様に係る三次元データ符号化装置は、プロセッサと、メモリとを備え、前記プロセッサは、前記メモリを用いて、三次元データに含まれる複数の三次元点のＮ（Ｎは２以上の整数）分木構造を表すビット列を複数の符号化テーブルから選択された符号化テーブルを用いてエントロピー符号化し、前記ビット列は、前記Ｎ分木構造におけるノード毎にＮビットの情報を含み、前記Ｎビットの情報は、対応するノードのＮ個の子ノードの各々に三次元点が存在するか否かを示す１ビットの情報をＮ個含み、前記複数の符号化テーブルの各々において、前記Ｎビットの情報の各ビットに対してコンテキストが設けられており、前記エントロピー符号化では、前記Ｎビットの情報の各ビットを、前記選択された符号化テーブルにおいて当該ビットに対して設けられているコンテキストを用いてエントロピー符号化する。
【００３４】
これによれば、当該三次元データ符号化装置は、ビット毎に符号化テーブルを切り替えることで符号化効率を向上できる。
【００３５】
また、本開示の一態様に係る三次元データ復号装置は、プロセッサと、メモリとを備え、前記プロセッサは、前記メモリを用いて、三次元データに含まれる複数の三次元点のＮ（Ｎは２以上の整数）分木構造を表すビット列を複数の符号化テーブルから選択された符号化テーブルを用いてエントロピー復号し、前記ビット列は、前記Ｎ分木構造におけるノード毎にＮビットの情報を含み、前記Ｎビットの情報は、対応するノードのＮ個の子ノードの各々に三次元点が存在するか否かを示す１ビットの情報をＮ個含み、前記複数の符号化テーブルの各々において、前記Ｎビットの情報の各ビットに対してコンテキストが設けられており、前記エントロピー復号では、前記Ｎビットの情報の各ビットを、前記選択された符号化テーブルにおいて当該ビットに対して設けられているコンテキストを用いてエントロピー復号する。
【００３６】
これによれば、当該三次元データ復号装置は、ビット毎に符号化テーブルを切り替えることで符号化効率を向上できる。
【００３７】
なお、これらの包括的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラム及び記録媒体の任意な組み合わせで実現されてもよい。
【００３８】
以下、実施の形態について、図面を参照しながら具体的に説明する。なお、以下で説明する実施の形態は、いずれも本開示の一具体例を示すものである。以下の実施の形態で示される数値、形状、材料、構成要素、構成要素の配置位置及び接続形態、ステップ、ステップの順序などは、一例であり、本開示を限定する主旨ではない。また、以下の実施の形態における構成要素のうち、最上位概念を示す独立請求項に記載されていない構成要素については、任意の構成要素として説明される。
【００３９】
（実施の形態１）
まず、本実施の形態に係る符号化三次元データ（以下、符号化データとも記す）のデータ構造について説明する。図１は、本実施の形態に係る符号化三次元データの構成を示す図である。
【００４０】
本実施の形態では、三次元空間は、動画像の符号化におけるピクチャに相当するスペース（ＳＰＣ）に分割され、スペースを単位として三次元データが符号化される。スペースは、さらに、動画像符号化におけるマクロブロックなどに相当するボリューム（ＶＬＭ）に分割され、ＶＬＭを単位として予測及び変換が行われる。ボリュームは、位置座標が対応付けられる最小単位である複数のボクセル（ＶＸＬ）を含む。なお、予測とは、二次元画像で行われる予測と同様に、他の処理単位を参照し、処理対象の処理単位と類似する予測三次元データを生成し、当該予測三次元データと処理対象の処理単位との差分を符号化することである。また、この予測は、同一時刻の他の予測単位を参照する空間予測のみならず、異なる時刻の予測単位を参照する時間予測を含む。
【００４１】
例えば、三次元データ符号化装置（以下、符号化装置とも記す）は、ポイントクラウドなどの点群データにより表現される三次元空間を符号化する際には、ボクセルのサイズに応じて、点群の各点、又は、ボクセル内に含まれる複数点をまとめて符号化する。ボクセルを細分化すれば点群の三次元形状を高精度に表現でき、ボクセルのサイズを大きくすれば点群の三次元形状をおおまかに表現できる。
【００４２】
なお、以下では、三次元データがポイントクラウドである場合を例に説明を行うが、三次元データはポイントクラウドに限定されず、任意の形式の三次元データでよい。
【００４３】
また、階層構造のボクセルを用いてもよい。この場合、ｎ次の階層では、ｎ−１次以下の階層（ｎ次の階層の下層）にサンプル点が存在するかどうかを順に示してもよい。例えば、ｎ次の階層のみを復号する際において、ｎ−１次以下の階層にサンプル点が存在する場合は、ｎ次階層のボクセルの中心にサンプル点が存在するとみなして復号できる。
【００４４】
また、符号化装置は、点群データを、距離センサ、ステレオカメラ、単眼カメラ、ジャイロ、又は慣性センサなどを用いて取得する。
【００４５】
スペースは、動画像の符号化と同様に、単独で復号可能なイントラ・スペース（Ｉ−ＳＰＣ）、単方向の参照のみ可能なプレディクティブ・スペース（Ｐ−ＳＰＣ）、及び、双方向の参照が可能なバイディレクショナル・スペース（Ｂ−ＳＰＣ）を含む少なくとも３つの予測構造のいずれかに分類される。また、スペースは復号時刻と表示時刻との２種類の時刻情報を有する。
【００４６】
また、図１に示すように、複数のスペースを含む処理単位として、ランダムアクセス単位であるＧＯＳ（Ｇｒｏｕｐ  Ｏｆ  Ｓｐａｃｅ）が存在する。さらに、複数のＧＯＳを含む処理単位としてワールド（ＷＬＤ）が存在する。
【００４７】
ワールドが占める空間領域は、ＧＰＳ又は緯度及び経度情報などにより、地球上の絶対位置と対応付けられる。この位置情報はメタ情報として格納される。なお、メタ情報は、符号化データに含まれてもよいし、符号化データとは別に伝送されてもよい。
【００４８】
また、ＧＯＳ内では、全てのＳＰＣが三次元的に隣接してもよいし、他のＳＰＣと三次元的に隣接しないＳＰＣが存在してもよい。
【００４９】
なお、以下では、ＧＯＳ、ＳＰＣ又はＶＬＭ等の処理単位に含まれる三次元データに対する、符号化、復号又は参照等の処理を、単に、処理単位を符号化、復号又は参照する等とも記す。また、処理単位に含まれる三次元データは、例えば、三次元座標等の空間位置と、色情報等の特性値との少なくとも一つの組を含む。
【００５０】
次に、ＧＯＳにおけるＳＰＣの予測構造について説明する。同一ＧＯＳ内の複数のＳＰＣ、又は、同一ＳＰＣ内の複数のＶＬＭは、互いに異なる空間を占めるが、同じ時刻情報（復号時刻及び表示時刻）を持つ。
【００５１】
また、ＧＯＳ内で復号順で先頭となるＳＰＣはＩ−ＳＰＣである。また、ＧＯＳにはクローズドＧＯＳとオープンＧＯＳとの２種類が存在する。クローズドＧＯＳは、先頭Ｉ−ＳＰＣから復号開始する際に、ＧＯＳ内の全てのＳＰＣを復号できるＧＯＳである。オープンＧＯＳでは、ＧＯＳ内で先頭Ｉ−ＳＰＣよりも表示時刻が前となる一部のＳＰＣは異なるＧＯＳを参照しており、当該ＧＯＳのみで復号を行うことができない。
【００５２】
なお、地図情報などの符号化データでは、ＷＬＤを符号化順とは逆方向から復号することがあり、ＧＯＳ間に依存性があると逆方向再生が困難である。よって、このような場合には、基本的にはクローズドＧＯＳが用いられる。
【００５３】
また、ＧＯＳは、高さ方向にレイヤ構造を有し、下のレイヤのＳＰＣから順に符号化又は復号が行われる。
【００５４】
図２はＧＯＳの最下層レイヤに属するＳＰＣ間の予測構造の一例を示す図である。図３はレイヤ間の予測構造の一例を示す図である。
【００５５】
ＧＯＳ内には１つ以上のＩ−ＳＰＣが存在する。三次元空間内には、ヒト、動物、車、自転車、信号、又はランドマークとなる建物などのオブジェクトが存在するが、特にサイズが小さいオブジェクトはＩ−ＳＰＣとして符号化すると有効である。例えば、三次元データ復号装置（以下、復号装置とも記す）は、ＧＯＳを低処理量又は高速に復号する際には、ＧＯＳ内のＩ−ＳＰＣのみを復号する。
【００５６】
また、符号化装置は、ＷＬＤ内のオブジェクトの粗密さに応じてＩ−ＳＰＣの符号化間隔又は出現頻度を切替えてもよい。
【００５７】
また、図３に示す構成において、符号化装置又は復号装置は、複数のレイヤを下層（レイヤ１）から順に符号化又は復号する。これにより、例えば自動走行車などにとってより情報量の多い地面付近のデータの優先度を上げることができる。
【００５８】
なお、ドローンなどで用いられる符号化データでは、ＧＯＳ内において高さ方向で上のレイヤのＳＰＣから順に符号化又は復号してもよい。
【００５９】
また、符号化装置又は復号装置は、復号装置が荒くＧＯＳを把握でき、徐々に解像度を上げるようにできるように、複数のレイヤを符号化又は復号してもよい。例えば、符号化装置又は復号装置は、レイヤ３、８、１、９…の順に符号化又は復号してもよい。
【００６０】
次に、静的オブジェクト及び動的オブジェクトの扱い方について説明する。
【００６１】
三次元空間には、建物又は道路など静的なオブジェクト又はシーン（以降、まとめて静的オブジェクトと呼ぶ）と、車又はヒトなどの動的なオブジェクト（以降、動的オブジェクトと呼ぶ）とが存在する。オブジェクトの検出は、ポイントクラウドのデータ、又は、ステレオカメラなどのカメラ映像などから特徴点を抽出するなどして、別途行われる。ここでは、動的オブジェクトの符号化方法の例について説明する。
【００６２】
第１方法は、静的オブジェクトと動的オブジェクトとを区別せずに符号化する方法である。第２方法は、静的オブジェクトと動的オブジェクトとを識別情報により区別する方法である。
【００６３】
例えば、ＧＯＳが識別単位として用いられる。この場合、静的オブジェクトを構成するＳＰＣを含むＧＯＳと、動的オブジェクトを構成するＳＰＣを含むＧＯＳとが、符号化データ内、又は符号化データとは別途格納される識別情報により区別される。
【００６４】
または、ＳＰＣが識別単位として用いられてもよい。この場合、静的オブジェクトを構成するＶＬＭを含むＳＰＣと、動的オブジェクトを構成するＶＬＭを含むＳＰＣとが、上記識別情報により区別される。
【００６５】
または、ＶＬＭ或いはＶＸＬが識別単位として用いられてもよい。この場合、静的オブジェクトを含むＶＬＭ又はＶＸＬと、動的オブジェクトを含むＶＬＭ又はＶＸＬとが上記識別情報により区別される。
【００６６】
また、符号化装置は、動的オブジェクトを１以上のＶＬＭ又はＳＰＣとして符号化し、静的オブジェクトを含むＶＬＭ又はＳＰＣと、動的オブジェクトを含むＳＰＣとを、互いに異なるＧＯＳとして符号化してもよい。また、符号化装置は、動的オブジェクトのサイズに応じてＧＯＳのサイズが可変となる場合には、ＧＯＳのサイズをメタ情報として別途格納する。
【００６７】
また、符号化装置は、静的オブジェクトと動的オブジェクトとを互いに独立に符号化し、静的オブジェクトから構成されるワールドに対して、動的オブジェクトを重畳してもよい。このとき、動的オブジェクトは１以上のＳＰＣから構成され、各ＳＰＣは、当該ＳＰＣが重畳される静的オブジェクトを構成する１以上のＳＰＣに対応付けられる。なお、動的オブジェクトをＳＰＣではなく、１以上のＶＬＭ又はＶＸＬにより表現してもよい。
【００６８】
また、符号化装置は、静的オブジェクトと動的オブジェクトとを互いに異なるストリームとして符号化してもよい。
【００６９】
また、符号化装置は、動的オブジェクトを構成する１以上のＳＰＣを含むＧＯＳを生成してもよい。さらに、符号化装置は、動的オブジェクトを含むＧＯＳ（ＧＯＳ＿Ｍ）と、ＧＯＳ＿Ｍの空間領域に対応する静的オブジェクトのＧＯＳとを同一サイズ（同一の空間領域を占める）に設定してもよい。これにより、ＧＯＳ単位で重畳処理を行うことができる。
【００７０】
動的オブジェクトを構成するＰ−ＳＰＣ又はＢ−ＳＰＣは、符号化済みの異なるＧＯＳに含まれるＳＰＣを参照してもよい。動的オブジェクトの位置が時間的に変化し、同一の動的オブジェクトが異なる時刻のＧＯＳとして符号化されるケースでは、ＧＯＳを跨いだ参照が圧縮率の観点から有効となる。
【００７１】
また、符号化データの用途に応じて、上記の第１方法と第２方法とを切替えてもよい。例えば、符号化三次元データを地図として用いる場合は、動的オブジェクトを分離できることが望ましいため、符号化装置は、第２方法を用いる。一方、符号化装置は、コンサート又はスポーツなどのイベントの三次元データを符号化する場合に、動的オブジェクトを分離する必要がなければ、第１方法を用いる。
【００７２】
また、ＧＯＳ又はＳＰＣの復号時刻と表示時刻とは符号化データ内、又はメタ情報として格納できる。また、静的オブジェクトの時刻情報は全て同一としてもよい。このとき、実際の復号時刻と表示時刻は、復号装置が決定するものとしてもよい。あるいは、復号時刻として、ＧＯＳ、あるいは、ＳＰＣ毎に異なる値が付与され、表示時刻として全て同一の値が付与されてもよい。さらに、ＨＥＶＣのＨＲＤ（Ｈｙｐｏｔｈｅｔｉｃａｌ  Ｒｅｆｅｒｅｎｃｅ  Ｄｅｃｏｄｅｒ）など動画像符号化におけるデコーダモデルのように、デコーダが所定のサイズのバッファを有し、復号時刻に従って所定のビットレートでビットストリームを読み込めば破綻なく復号できることを保証するモデルを導入してもよい。
【００７３】
次に、ワールド内におけるＧＯＳの配置について説明する。ワールドにおける三次元空間の座標は、互いに直交する３本の座標軸（ｘ軸、ｙ軸、ｚ軸）により表現される。ＧＯＳの符号化順に所定のルールを設けることで、空間的に隣接するＧＯＳが符号化データ内で連続するように符号化を行える。例えば、図４に示す例では、ｘｚ平面内のＧＯＳを連続的に符号化する。あるｘｚ平面内の全てのＧＯＳの符号化終了後にｙ軸の値を更新する。すなわち、符号化が進むにつれて、ワールドはｙ軸方向に伸びていく。また、ＧＯＳのインデックス番号は符号化順に設定される。
【００７４】
ここで、ワールドの三次元空間は、ＧＰＳ、或いは緯度及び経度などの地理的な絶対座標と１対１に対応付けておく。或いは、予め設定した基準位置からの相対位置により三次元空間が表現されてもよい。三次元空間のｘ軸、ｙ軸、ｚ軸の方向は、緯度及び経度などに基づいて決定される方向ベクトルとして表現され、当該方向ベクトルはメタ情報として符号化データと共に格納される。
【００７５】
また、ＧＯＳのサイズは固定とし、符号化装置は、当該サイズをメタ情報として格納する。また、ＧＯＳのサイズは、例えば、都市部か否か、又は、室内か外かなどに応じて切替えられてもよい。つまり、ＧＯＳのサイズは、情報としての価値があるオブジェクトの量又は性質に応じて切替えられてもよい。あるいは、符号化装置は、同一ワールド内において、オブジェクトの密度などに応じて、ＧＯＳのサイズ、又は、ＧＯＳ内のＩ−ＳＰＣの間隔を適応的に切替えてもよい。例えば、符号化装置は、オブジェクトの密度が高いほど、ＧＯＳのサイズを小さくし、ＧＯＳ内のＩ−ＳＰＣの間隔を短くする。
【００７６】
図５の例では、３番目から１０番目のＧＯＳの領域では、オブジェクトの密度が高いため、細かい粒度でのランダムアクセスを実現するために、ＧＯＳが細分化されている。なお、７番目から１０番目のＧＯＳは、それぞれ、３番目から６番目のＧＯＳの裏側に存在する。
【００７７】
次に、本実施の形態に係る三次元データ符号化装置の構成及び動作の流れを説明する。図６は、本実施の形態に係る三次元データ符号化装置１００のブロック図である。図７は、三次元データ符号化装置１００の動作例を示すフローチャートである。
【００７８】
図６に示す三次元データ符号化装置１００は、三次元データ１１１を符号化することで符号化三次元データ１１２を生成する。この三次元データ符号化装置１００は、取得部１０１と、符号化領域決定部１０２と、分割部１０３と、符号化部１０４とを備える。
【００７９】
図７に示すように、まず、取得部１０１は、点群データである三次元データ１１１を取得する（Ｓ１０１）。
【００８０】
次に、符号化領域決定部１０２は、取得した点群データに対応する空間領域のうち、符号化対象の領域を決定する（Ｓ１０２）。例えば、符号化領域決定部１０２は、ユーザ又は車両の位置に応じて、当該位置の周辺の空間領域を符号化対象の領域に決定する。
【００８１】
次に、分割部１０３は、符号化対象の領域に含まれる点群データを、各処理単位に分割する。ここで処理単位とは、上述したＧＯＳ及びＳＰＣ等である。また、この符号化対象の領域は、例えば、上述したワールドに対応する。具体的には、分割部１０３は、予め設定したＧＯＳのサイズ、又は、動的オブジェクトの有無或いはサイズに基づいて、点群データを処理単位に分割する（Ｓ１０３）。また、分割部１０３は、各ＧＯＳにおいて符号化順で先頭となるＳＰＣの開始位置を決定する。
【００８２】
次に、符号化部１０４は、各ＧＯＳ内の複数のＳＰＣを順次符号化することで符号化三次元データ１１２を生成する（Ｓ１０４）。
【００８３】
なお、ここでは、符号化対象の領域をＧＯＳ及びＳＰＣに分割した後に、各ＧＯＳを符号化する例を示したが、処理の手順は上記に限らない。例えば、一つのＧＯＳの構成を決定した後にそのＧＯＳを符号化し、その後、次のＧＯＳの構成を決定する等の手順を用いてもよい。
【００８４】
このように、三次元データ符号化装置１００は、三次元データ１１１を符号化することで符号化三次元データ１１２を生成する。具体的には、三次元データ符号化装置１００は、三次元データを、ランダムアクセス単位であって、各々が三次元座標に対応付けられている第１処理単位（ＧＯＳ）に分割し、第１処理単位（ＧＯＳ）を複数の第２処理単位（ＳＰＣ）に分割し、第２処理単位（ＳＰＣ）を複数の第３処理単位（ＶＬＭ）に分割する。また、第３処理単位（ＶＬＭ）は、位置情報が対応付けられる最小単位である１以上のボクセル（ＶＸＬ）を含む。
【００８５】
次に、三次元データ符号化装置１００は、複数の第１処理単位（ＧＯＳ）の各々を符号化することで符号化三次元データ１１２を生成する。具体的には、三次元データ符号化装置１００は、各第１処理単位（ＧＯＳ）において、複数の第２処理単位（ＳＰＣ）の各々を符号化する。また、三次元データ符号化装置１００は、各第２処理単位（ＳＰＣ）において、複数の第３処理単位（ＶＬＭ）の各々を符号化する。
【００８６】
例えば、三次元データ符号化装置１００は、処理対象の第１処理単位（ＧＯＳ）がクローズドＧＯＳである場合には、処理対象の第１処理単位（ＧＯＳ）に含まれる処理対象の第２処理単位（ＳＰＣ）を、処理対象の第１処理単位（ＧＯＳ）に含まれる他の第２処理単位（ＳＰＣ）を参照して符号化する。つまり、三次元データ符号化装置１００は、処理対象の第１処理単位（ＧＯＳ）とは異なる第１処理単位（ＧＯＳ）に含まれる第２処理単位（ＳＰＣ）を参照しない。
【００８７】
一方、処理対象の第１処理単位（ＧＯＳ）がオープンＧＯＳである場合には、処理対象の第１処理単位（ＧＯＳ）に含まれる処理対象の第２処理単位（ＳＰＣ）を、処理対象の第１処理単位（ＧＯＳ）に含まれる他の第２処理単位（ＳＰＣ）、又は、処理対象の第１処理単位（ＧＯＳ）とは異なる第１処理単位（ＧＯＳ）に含まれる第２処理単位（ＳＰＣ）を参照して符号化する。
【００８８】
また、三次元データ符号化装置１００は、処理対象の第２処理単位（ＳＰＣ）のタイプとして、他の第２処理単位（ＳＰＣ）を参照しない第１タイプ（Ｉ−ＳＰＣ）、他の一つの第２処理単位（ＳＰＣ）を参照する第２タイプ（Ｐ−ＳＰＣ）、及び他の二つの第２処理単位（ＳＰＣ）を参照する第３タイプのうちいずれかを選択し、選択したタイプに従い処理対象の第２処理単位（ＳＰＣ）を符号化する。
【００８９】
次に、本実施の形態に係る三次元データ復号装置の構成及び動作の流れを説明する。図８は、本実施の形態に係る三次元データ復号装置２００のブロックのブロック図である。図９は、三次元データ復号装置２００の動作例を示すフローチャートである。
【００９０】
図８に示す三次元データ復号装置２００は、符号化三次元データ２１１を復号することで復号三次元データ２１２を生成する。ここで、符号化三次元データ２１１は、例えば、三次元データ符号化装置１００で生成された符号化三次元データ１１２である。この三次元データ復号装置２００は、取得部２０１と、復号開始ＧＯＳ決定部２０２と、復号ＳＰＣ決定部２０３と、復号部２０４とを備える。
【００９１】
まず、取得部２０１は、符号化三次元データ２１１を取得する（Ｓ２０１）。次に、復号開始ＧＯＳ決定部２０２は、復号対象のＧＯＳに決定する（Ｓ２０２）。具体的には、復号開始ＧＯＳ決定部２０２は、符号化三次元データ２１１内、又は符号化三次元データとは別に格納されたメタ情報を参照して、復号を開始する空間位置、オブジェクト、又は、時刻に対応するＳＰＣを含むＧＯＳを復号対象のＧＯＳに決定する。
【００９２】
次に、復号ＳＰＣ決定部２０３は、ＧＯＳ内で復号するＳＰＣのタイプ（Ｉ、Ｐ、Ｂ）を決定する（Ｓ２０３）。例えば、復号ＳＰＣ決定部２０３は、（１）Ｉ−ＳＰＣのみを復号するか、（２）Ｉ−ＳＰＣ及びＰ−ＳＰＣを復号するか、（３）全てのタイプを復号するかを決定する。なお、全てのＳＰＣを復号するなど、予め復号するＳＰＣのタイプが決定している場合は、本ステップは行われなくてもよい。
【００９３】
次に、復号部２０４は、ＧＯＳ内で復号順（符号化順と同一）で先頭となるＳＰＣが符号化三次元データ２１１内で開始するアドレス位置を取得し、当該アドレス位置から先頭ＳＰＣの符号化データを取得し、当該先頭ＳＰＣから順に各ＳＰＣを順次復号する（Ｓ２０４）。なお、上記アドレス位置は、メタ情報等に格納されている。
【００９４】
このように、三次元データ復号装置２００は、復号三次元データ２１２を復号する。具体的には、三次元データ復号装置２００は、ランダムアクセス単位であって、各々が三次元座標に対応付けられている第１処理単位（ＧＯＳ）の符号化三次元データ２１１の各々を復号することで第１処理単位（ＧＯＳ）の復号三次元データ２１２を生成する。より具体的には、三次元データ復号装置２００は、各第１処理単位（ＧＯＳ）において、複数の第２処理単位（ＳＰＣ）の各々を復号する。また、三次元データ復号装置２００は、各第２処理単位（ＳＰＣ）において、複数の第３処理単位（ＶＬＭ）の各々を復号する。
【００９５】
以下、ランダムアクセス用のメタ情報について説明する。このメタ情報は、三次元データ符号化装置１００で生成され、符号化三次元データ１１２（２１１）に含まれる。
【００９６】
従来の二次元の動画像におけるランダムアクセスでは、指定した時刻の近傍となるランダムアクセス単位の先頭フレームから復号を開始していた。一方、ワールドにおいては、時刻に加えて、空間（座標又はオブジェクトなど）に対するランダムアクセスが想定される。
【００９７】
そこで、少なくとも座標、オブジェクト、及び時刻の３つの要素へのランダムアクセスを実現するために、各要素とＧＯＳのインデックス番号とを対応付けるテーブルを用意する。さらに、ＧＯＳのインデックス番号とＧＯＳの先頭となるＩ−ＳＰＣのアドレスを対応付ける。図１０は、メタ情報に含まれるテーブルの一例を示す図である。なお、図１０に示す全てのテーブルが用いられる必要はなく、少なくとも一つのテーブルが用いられればよい。
【００９８】
以下、一例として、座標を起点とするランダムアクセスについて説明する。座標（ｘ２、ｙ２、ｚ２）にアクセスする際には、まず、座標−ＧＯＳテーブルを参照して、座標が（ｘ２、ｙ２、ｚ２）である地点は２番目のＧＯＳに含まれることが分かる。次に、ＧＯＳアドレステーブルを参照し、２番目のＧＯＳにおける先頭のＩ−ＳＰＣのアドレスがａｄｄｒ（２）であることが分かるため、復号部２０４は、このアドレスからデータを取得して復号を開始する。
【００９９】
なお、アドレスは、論理フォーマットにおけるアドレスであっても、ＨＤＤ又はメモリの物理アドレスであってもよい。また、アドレスの代わりにファイルセグメントを特定する情報が用いられてもよい。例えば、ファイルセグメントは、１つ以上のＧＯＳなどをセグメント化した単位である。
【０１００】
また、オブジェクトが複数のＧＯＳに跨る場合には、オブジェクト−ＧＯＳテーブルにおいて、オブジェクトが属するＧＯＳを複数示してもよい。当該複数のＧＯＳがクローズドＧＯＳであれば、符号化装置及び復号装置は、並列に符号化又は復号を行うことができる。一方、当該複数のＧＯＳがオープンＧＯＳであれば、複数のＧＯＳが互いに参照しあうことでより圧縮効率を高めることができる。
【０１０１】
オブジェクトの例としては、ヒト、動物、車、自転車、信号、又はランドマークとなる建物などがある。例えば、三次元データ符号化装置１００は、ワールドの符号化時に三次元のポイントクラウドなどからオブジェクトに特有の特徴点を抽出し、当該特徴点に基づきオブジェクトを検出し、検出したオブジェクトをランダムアクセスポイントとして設定できる。
【０１０２】
このように、三次元データ符号化装置１００は、複数の第１処理単位（ＧＯＳ）と、複数の第１処理単位（ＧＯＳ）の各々に対応付けられている三次元座標とを示す第１情報を生成する。また、符号化三次元データ１１２（２１１）は、この第１情報を含む。また、第１情報は、さらに、複数の第１処理単位（ＧＯＳ）の各々に対応付けられている、オブジェクト、時刻及びデータ格納先のうち少なくとも一つを示す。
【０１０３】
三次元データ復号装置２００は、符号化三次元データ２１１から第１情報を取得し、第１情報を用いて、指定された三次元座標、オブジェクト又は時刻に対応する第１処理単位の符号化三次元データ２１１を特定し、当該符号化三次元データ２１１を復号する。
【０１０４】
以下、その他のメタ情報の例について説明する。ランダムアクセス用のメタ情報の他に、三次元データ符号化装置１００は、以下のようなメタ情報を生成及び格納してもよい。また、三次元データ復号装置２００は、このメタ情報を復号時に利用してもよい。
【０１０５】
三次元データを地図情報として用いる場合などには、用途に応じてプロファイルが規定され、当該プロファイルを示す情報がメタ情報に含まれてもよい。例えば、市街地或いは郊外向け、又は、飛行物体向けのプロファイルが規定され、それぞれにおいてワールド、ＳＰＣ又はＶＬＭの最大又は最小サイズなどが定義される。例えば、市街地向けでは、郊外向けよりも詳細な情報が必要なため、ＶＬＭの最小サイズが小さく設定される。
【０１０６】
メタ情報は、オブジェクトの種類を示すタグ値を含んでもよい。このタグ値はオブジェクトを構成するＶＬＭ、ＳＰＣ、又はＧＯＳと対応付けられる。例えば、タグ値「０」は「人」を示し、タグ値「１」は「車」を示し、タグ値「２」は「信号機」を示す、などオブジェクトの種類ごとにタグ値が設定されてもよい。または、オブジェクトの種類が判定しにくい又は判定する必要がない場合はサイズ、又は、動的オブジェクトか静的オブジェクトかなどの性質を示すタグ値が用いられてもよい。
【０１０７】
また、メタ情報は、ワールドが占める空間領域の範囲を示す情報を含んでもよい。
【０１０８】
また、メタ情報は、符号化データのストリーム全体、又は、ＧＯＳ内のＳＰＣなど、複数のＳＰＣに共通のヘッダ情報として、ＳＰＣ又はＶＸＬのサイズを格納してもよい。
【０１０９】
また、メタ情報は、ポイントクラウドの生成に用いた距離センサ或いはカメラなどの識別情報、又は、ポイントクラウド内の点群の位置精度を示す情報を含んでもよい。
【０１１０】
また、メタ情報は、ワールドが静的オブジェクトのみから構成されるか、動的オブジェクトを含むかを示す情報を含んでもよい。
【０１１１】
以下、本実施の形態の変形例について説明する。
【０１１２】
符号化装置又は復号装置は、互いに異なる２以上のＳＰＣ又はＧＯＳを並列で符号化又は復号してもよい。並列で符号化又は復号するＧＯＳは、ＧＯＳの空間位置を示すメタ情報などに基づいて決定できる。
【０１１３】
三次元データを車又は飛行物体などが移動する際の空間地図として用いる、又はこのような空間地図を生成するケースなどでは、符号化装置又は復号装置は、ＧＰＳ、経路情報、又はズーム倍率などに基づいて特定される空間に含まれるＧＯＳ又はＳＰＣを符号化又は復号してもよい。
【０１１４】
また、復号装置は、自己位置又は走行経路に近い空間から順に復号を行ってもよい。符号化装置又は復号装置は、自己位置又は走行経路から遠い空間を、近い空間に比べて優先度を落として符号化又は復号してもよい。ここで、優先度を落とすとは、処理順を下げる、解像度を下げる（間引いて処理する）、又は、画質を下げる（符号化効率を上げる。例えば、量子化ステップを大きくする。）等である。
【０１１５】
また、復号装置は、空間内で階層的に符号化されている符号化データを復号する際は、低階層のみを復号してもよい。
【０１１６】
また、復号装置は、地図のズーム倍率又は用途に応じて、低階層から優先的に復号してもよい。
【０１１７】
また、車又はロボットの自律走行時に行う自己位置推定又は物体認識などの用途では、符号化装置又は復号装置は、路面から特定高さ以内の領域（認識を行う領域）以外は解像度を落として符号化又は復号を行ってもよい。
【０１１８】
また、符号化装置は、室内と室外との空間形状を表現するポイントクラウドをそれぞれ個別に符号化してもよい。例えば、室内を表現するＧＯＳ（室内ＧＯＳ）と室外を表現するＧＯＳ（室外ＧＯＳ）とを分けることで、復号装置は、符号化データを利用する際に、視点位置に応じて復号するＧＯＳを選択できる。
【０１１９】
また、符号化装置は、座標が近い室内ＧＯＳと室外ＧＯＳとを、符号化ストリーム内で隣接するように符号化してもよい。例えば、符号化装置は、両者の識別子を対応付け、符号化ストリーム内、又は別途格納されるメタ情報内に対応付けた識別子を示す情報を格納する。これにより、復号装置は、メタ情報内の情報を参照して、座標が近い室内ＧＯＳと室外ＧＯＳとを識別できる。
【０１２０】
また、符号化装置は、室内ＧＯＳと室外ＧＯＳとで、ＧＯＳ又はＳＰＣのサイズを切替えてもよい。例えば、符号化装置は、室内では室外に比べてＧＯＳのサイズを小さく設定する。また、符号化装置は、室内ＧＯＳと室外ＧＯＳとで、ポイントクラウドから特徴点を抽出する際の精度、又はオブジェクト検出の精度などを変更してもよい。
【０１２１】
また、符号化装置は、復号装置が動的オブジェクトを静的オブジェクトと区別して表示するための情報を符号化データに付加してもよい。これにより、復号装置は、動的オブジェクトと赤枠又は説明用の文字などとを合わせて表示できる。なお、復号装置は、動的オブジェクトの代わりに赤枠又は説明用の文字のみを表示してもよい。また、復号装置は、より細かいオブジェクト種別を表示してもよい。例えば、車には赤枠が用いられ、ヒトには黄色枠が用いられてもよい。
【０１２２】
また、符号化装置又は復号装置は、動的オブジェクトの出現頻度、又は、静的オブジェクトと動的オブジェクトとの割合などに応じて、動的オブジェクトと静的オブジェクトとを異なるＳＰＣ又はＧＯＳとして符号化又は復号するかどうかを決定してもよい。例えば、動的オブジェクトの出現頻度又は割合が閾値を超える場合には、動的オブジェクトと静的オブジェクトとが混在するＳＰＣ又はＧＯＳが許容され、動的オブジェクトの出現頻度又は割合が閾値を超えない場合には、動的オブジェクトと静的オブジェクトとが混在するＳＰＣ又はＧＯＳが許容されない。
【０１２３】
動的オブジェクトをポイントクラウドではなく、カメラの二次元画像情報から検出する際には、符号化装置は、検出結果を識別するための情報（枠又は文字など）とオブジェクト位置とを別途取得し、これらの情報を三次元の符号化データの一部として符号化してもよい。この場合、復号装置は、静的オブジェクトの復号結果に対して、動的オブジェクトを示す補助情報（枠又は文字）を重畳して表示する。
【０１２４】
また、符号化装置は、静的オブジェクトの形状の複雑さなどに応じて、ＳＰＣにおけるＶＸＬ又はＶＬＭの粗密さを変更してもよい。例えば、符号化装置は、静的オブジェクトの形状が複雑なほど、ＶＸＬ又はＶＬＭを密に設定する。さらに、符号化装置は、空間位置又は色情報を量子化する際の量子化ステップなどをＶＸＬ又はＶＬＭの粗密さに応じて決定してもよい。例えば、符号化装置は、ＶＸＬ又はＶＬＭが密なほど量子化ステップを小さく設定する。
【０１２５】
以上のように、本実施の形態に係る符号化装置又は復号装置は、座標情報を有するスペース単位で空間の符号化又は復号を行う。
【０１２６】
また、符号化装置及び復号装置は、スペース内において、ボリューム単位で符号化又は復号を行う。ボリュームは、位置情報が対応付けられる最小単位であるボクセルを含む。
【０１２７】
また、符号化装置及び復号装置は、座標、オブジェクト、及び時間等を含む空間情報の各要素とＧＯＰとを対応付けたテーブル、又は各要素間を対応付けたテーブルにより任意の要素間を対応付けて符号化又は復号を行う。また、復号装置は、選択された要素の値を用いて座標を判定し、座標からボリューム、ボクセル又はスペースを特定し、当該ボリューム又はボクセルを含むスペース、又は特定されたスペースを復号する。
【０１２８】
また、符号化装置は、特徴点抽出又はオブジェクト認識により、要素により選択可能なボリューム、ボクセル又はスペースを判定し、ランダムアクセス可能なボリューム、ボクセル又はスペースとして符号化する。
【０１２９】
スペースは、当該スペース単体で符号化又は復号可能なＩ−ＳＰＣと、任意の１つの処理済みスペースを参照して符号化又は復号されるＰ−ＳＰＣと、任意の二つの処理済みスペースを参照して符号化又は復号されるＢ−ＳＰＣとの３種類のタイプに分類される。
【０１３０】
１以上のボリュームが、静的オブジェクト又は動的なオブジェクトに対応する。静的オブジェクトを含むスペースと動的オブジェクトを含むスペースとは互いに異なるＧＯＳとして符号化又は復号される。つまり、静的オブジェクトを含むＳＰＣと、動的オブジェクトを含むＳＰＣとが異なるＧＯＳに割り当てられる。
【０１３１】
動的オブジェクトはオブジェクトごとに符号化又は復号され、静的オブジェクトを含む１以上のスペースに対応付けられる。つまり、複数の動的オブジェクトは個別に符号化され、得られた複数の動的オブジェクトの符号化データは、静的オブジェクトを含むＳＰＣに対応付けられる。
【０１３２】
符号化装置及び復号装置は、ＧＯＳ内のＩ−ＳＰＣの優先度を上げて、符号化又は復号を行う。例えば、符号化装置は、Ｉ−ＳＰＣの劣化が少なくなるように（復号後に元の三次元データがより忠実に再現されるように）符号化を行う。また、復号装置は、例えば、Ｉ−ＳＰＣのみを復号する。
【０１３３】
符号化装置は、ワールド内のオブジェクトの疎密さ又は数（量）に応じてＩ−ＳＰＣを用いる頻度を変えて符号化を行ってもよい。つまり、符号化装置は、三次元データに含まれるオブジェクトの数又は粗密さに応じて、Ｉ−ＳＰＣを選択する頻度を変更する。例えば、符号化装置は、ワールド内のオブジェクトが密であるほどＩスペースを用いる頻度を上げる。
【０１３４】
また、符号化装置は、ランダムアクセスポイントをＧＯＳ単位で設定し、ＧＯＳに対応する空間領域を示す情報をヘッダ情報に格納する。
【０１３５】
符号化装置は、ＧＯＳの空間サイズとして、例えば、デフォルト値を使用する。なお、符号化装置は、オブジェクト又は動的オブジェクトの数（量）又は粗密さに応じてＧＯＳのサイズを変更してもよい。例えば、符号化装置は、オブジェクト或いは動的オブジェクトが密なほど、又は数が多いほど、ＧＯＳの空間サイズを小さくする。
【０１３６】
また、スペース又はボリュームは、デプスセンサ、ジャイロ、又はカメラ等のセンサで得られた情報を用いて導出された特徴点群を含む。特徴点の座標はボクセルの中心位置に設定される。また、ボクセルの細分化により位置情報の高精度化を実現できる。
【０１３７】
特徴点群は、複数のピクチャを用いて導出される。複数のピクチャは、実際の時刻情報と、スペースに対応付けられた複数のピクチャで同一の時刻情報（例えば、レート制御等に用いられる符号化時刻）との少なくとも２種類の時刻情報を有する。
【０１３８】
また、１以上のスペースを含むＧＯＳ単位で符号化又は復号が行われる。
【０１３９】
符号化装置及び復号装置は、処理済みのＧＯＳ内のスペースを参照して、処理対象のＧＯＳ内のＰスペース又はＢスペースの予測を行う。
【０１４０】
または、符号化装置及び復号装置は、異なるＧＯＳを参照せず、処理対象のＧＯＳ内の処理済スペースを用いて処理対象のＧＯＳ内のＰスペース又はＢスペースの予測を行う。
【０１４１】
また、符号化装置及び復号装置は、１以上のＧＯＳを含むワールド単位で符号化ストリームを送信又は受信する。
【０１４２】
また、ＧＯＳは少なくともワールド内で１方向にレイヤ構造を持ち、符号化装置及び復号装置は、下位レイヤから符号化又は復号を行う。例えば、ランダムアクセス可能なＧＯＳは最下位レイヤに属する。上位レイヤに属するＧＯＳは同一レイヤ以下に属するＧＯＳを参照する。つまり、ＧＯＳは、予め定められた方向に空間分割され、各々が１以上のＳＰＣを含む複数のレイヤを含む。符号化装置及び復号装置は、各ＳＰＣを、当該ＳＰＣと同一レイヤ又は当該ＳＰＣより下層のレイヤに含まれるＳＰＣを参照して符号化又は復号する。
【０１４３】
また、符号化装置及び復号装置は、複数のＧＯＳを含むワールド単位内で、連続してＧＯＳを符号化又は復号する。符号化装置及び復号装置は、符号化又は復号の順序（方向）を示す情報をメタデータとして書き込む又は読み出す。つまり、符号化データは、複数のＧＯＳの符号化順を示す情報を含む。
【０１４４】
また、符号化装置及び復号装置は、互いに異なる２以上のスペース又はＧＯＳを並列で符号化又は復号する。
【０１４５】
また、符号化装置及び復号装置は、スペース又はＧＯＳの空間情報（座標、サイズ等）を符号化又は復号する。
【０１４６】
また、符号化装置及び復号装置は、ＧＰＳ、経路情報、又は倍率など、自己の位置又は／及び領域サイズに関する外部情報に基づいて特定される特定空間に含まれるスペース又はＧＯＳを符号化又は復号する。
【０１４７】
符号化装置又は復号装置は、自己の位置から遠い空間は、近い空間に比べて優先度を落として符号化又は復号する。
【０１４８】
符号化装置は、倍率又は用途に応じて、ワールドのある１方向を設定し、当該方向にレイヤ構造を持つＧＯＳを符号化する。また、復号装置は、倍率又は用途に応じて設定されたワールドのある１方向にレイヤ構造を持つＧＯＳを、下位レイヤから優先的に復号する。
【０１４９】
符号化装置は、室内と室外とでスペースに含まれる特徴点抽出、オブジェクト認識の精度、又は空間領域サイズなどを変化させる。ただし、符号化装置及び復号装置は、座標が近い室内ＧＯＳと室外ＧＯＳとをワールド内で隣接して符号化又は復号し、これらの識別子も対応付けて符号化又は復号する。
【０１５０】
（実施の形態２）
ポイントクラウドの符号化データを実際の装置又はサービスにおいて使用する際には、ネットワーク帯域を抑制するために用途に応じて必要な情報を送受信することが望ましい。しかしながら、これまで、三次元データの符号化構造にはそのような機能が存在せず、そのための符号化方法も存在しなかった。
【０１５１】
本実施の形態では、三次元のポイントクラウドの符号化データにおいて用途に応じて必要な情報のみを送受信する機能を提供するための三次元データ符号化方法及び三次元データ符号化装置、並びに、当該符号化データを復号する三次元データ復号方法及び三次元データ復号装置について説明する。
【０１５２】
特徴量を一定以上持つボクセル（ＶＸＬ）を特徴ボクセル（ＦＶＸＬ）と定義し、ＦＶＸＬで構成されるワールド（ＷＬＤ）をスパースワールド（ＳＷＬＤ）と定義する。図１１は、スパースワールド及びワールドの構成例を示す図である。ＳＷＬＤには、ＦＶＸＬで構成されるＧＯＳであるＦＧＯＳと、ＦＶＸＬで構成されるＳＰＣであるＦＳＰＣと、ＦＶＸＬで構成されるＶＬＭであるＦＶＬＭと含まれる。ＦＧＯＳ、ＦＳＰＣ及びＦＶＬＭのデータ構造及び予測構造はＧＯＳ、ＳＰＣ及びＶＬＭと同様であっても構わない。
【０１５３】
特徴量とは、ＶＸＬの三次元位置情報、又はＶＸＬ位置の可視光情報を表現する特徴量であり、特に立体物のコーナー及びエッジ等で多く検出される特徴量である。具体的には、この特徴量は、下記のような三次元特徴量又は可視光の特徴量であるが、その他、ＶＸＬの位置、輝度、又は色情報などを表す特徴量であれば、どのようなものでも構わない。
【０１５４】
三次元特徴量として、ＳＨＯＴ特徴量（Ｓｉｇｎａｔｕｒｅ  ｏｆ  Ｈｉｓｔｏｇｒａｍｓ  ｏｆ  ＯｒｉｅｎＴａｔｉｏｎｓ）、ＰＦＨ特徴量（Ｐｏｉｎｔ  Ｆｅａｔｕｒｅ  Ｈｉｓｔｏｇｒａｍｓ）、又はＰＰＦ特徴量（Ｐｏｉｎｔ  Ｐａｉｒ  Ｆｅａｔｕｒｅ）が用いられる。
【０１５５】
ＳＨＯＴ特徴量は、ＶＸＬ周辺を分割し、基準点と分割された領域の法線ベクトルとの内積を計算してヒストグラム化することで得られる。このＳＨＯＴ特徴量は、次元数が高く、特徴表現力が高いという特徴を有する。
【０１５６】
ＰＦＨ特徴量は、ＶＸＬ近傍の多数の２点組を選択し、その２点から法線ベクトル等を算出してヒストグラム化することで得られる。このＰＦＨ特徴量は、ヒストグラム特徴なので、多少の外乱に対してロバスト性を有し、特徴表現力も高いという特徴を有する。
【０１５７】
ＰＰＦ特徴量は、２点のＶＸＬ毎に法線ベクトル等を用いて算出される特徴量である。このＰＰＦ特徴量には、全ＶＸＬが使われるため、オクルージョンに対してロバスト性を有する。
【０１５８】
また、可視光の特徴量として、画像の輝度勾配情報等の情報を用いたＳＩＦＴ（Ｓｃａｌｅ−Ｉｎｖａｒｉａｎｔ  Ｆｅａｔｕｒｅ  Ｔｒａｎｓｆｏｒｍ）、ＳＵＲＦ（Ｓｐｅｅｄｅｄ  Ｕｐ  Ｒｏｂｕｓｔ  Ｆｅａｔｕｒｅｓ）、又はＨＯＧ（Ｈｉｓｔｏｇｒａｍ  ｏｆ  Ｏｒｉｅｎｔｅｄ  Ｇｒａｄｉｅｎｔｓ）等を用いることができる。
【０１５９】
ＳＷＬＤは、ＷＬＤの各ＶＸＬから上記特徴量を算出し、ＦＶＸＬを抽出することで生成される。ここで、ＳＷＬＤはＷＬＤが更新される度に更新しても構わないし、ＷＬＤの更新タイミングに関わらず、一定時間経過後に定期的に更新するようにしても構わない。
【０１６０】
ＳＷＬＤは特徴量毎に生成しても構わない。例えば、ＳＨＯＴ特徴量に基づくＳＷＬＤ１とＳＩＦＴ特徴量に基づくＳＷＬＤ２とのように、特徴量毎に別々のＳＷＬＤが生成され、用途に応じてＳＷＬＤを使い分けるようにしても構わない。また、算出した各ＦＶＸＬの特徴量を特徴量情報として各ＦＶＸＬに保持するようにしても構わない。
【０１６１】
次に、スパースワールド（ＳＷＬＤ）の利用方法について説明する。ＳＷＬＤは特徴ボクセル（ＦＶＸＬ）のみを含むため、全てのＶＸＬを含むＷＬＤと比べて一般的にデータサイズが小さい。
【０１６２】
特徴量を利用して何らかの目的を果たすアプリケーションにおいては、ＷＬＤの代わりにＳＷＬＤの情報を利用することで、ハードディスクからの読み出し時間、並びにネットワーク転送時の帯域及び転送時間を抑制することができる。例えば、地図情報として、ＷＬＤとＳＷＬＤとをサーバに保持しておき、クライアントからの要望に応じて、送信する地図情報をＷＬＤ又はＳＷＬＤに切り替えることにより、ネットワーク帯域及び転送時間を抑制することができる。以下、具体的な例を示す。
【０１６３】
図１２及び図１３は、ＳＷＬＤ及びＷＬＤの利用例を示す図である。図１２に示すように、車載装置であるクライアント１が自己位置判定用途として地図情報を必要な場合は、クライアント１はサーバに自己位置推定用の地図データの取得要望を送る（Ｓ３０１）。サーバは、当該取得要望に応じてＳＷＬＤをクライアント１に送信する（Ｓ３０２）。クライアント１は、受信したＳＷＬＤを用いて自己位置判定を行う（Ｓ３０３）。この際、クライアント１はレンジファインダなどの距離センサ、ステレオカメラ、又は複数の単眼カメラの組合せ等の様々な方法でクライアント１の周辺のＶＸＬ情報を取得し、得られたＶＸＬ情報とＳＷＬＤとから自己位置情報を推定する。ここで自己位置情報は、クライアント１の三次元位置情報及び向き等を含む。
【０１６４】
図１３に示すように、車載装置であるクライアント２が三次元地図等の地図描画の用途として地図情報が必要な場合は、クライアント２はサーバに地図描画用の地図データの取得要望を送る（Ｓ３１１）。サーバは、当該取得要望に応じてＷＬＤをクライアント２に送信する（Ｓ３１２）。クライアント２は、受信したＷＬＤを用いて地図描画を行う（Ｓ３１３）。この際、クライアント２は、例えば、自己が可視光カメラ等で撮影した画像と、サーバから取得したＷＬＤとを用いてレンダリング画像を作成し、作成した画像をカーナビ等の画面に描画する。
【０１６５】
上記のように、サーバは、自己位置推定のような各ＶＸＬの特徴量を主に必要とする用途ではＳＷＬＤをクライアントに送信し、地図描画のように詳細なＶＸＬ情報が必要な場合はＷＬＤをクライアントに送信する。これにより、地図データを効率よく送受信することが可能となる。
【０１６６】
なお、クライアントは、自分でＳＷＬＤとＷＬＤのどちらが必要かを判断し、サーバへＳＷＬＤ又はＷＬＤの送信を要求しても構わない。また、サーバは、クライアント又はネットワークの状況に合わせて、ＳＷＬＤかＷＬＤのどちらを送信すべきかを判断しても構わない。
【０１６７】
次に、スパースワールド（ＳＷＬＤ）とワールド（ＷＬＤ）との送受信を切り替える方法を説明する。
【０１６８】
ネットワーク帯域に応じてＷＬＤ又はＳＷＬＤを受信するかを切替えるようにしてもよい。図１４は、この場合の動作例を示す図である。例えば、ＬＴＥ（Ｌｏｎｇ  Ｔｅｒｍ  Ｅｖｏｌｕｔｉｏｎ）環境下等の使用できるネットワーク帯域が限られている低速ネットワークが用いられている場合には、クライアントは、低速ネットワーク経由でサーバにアクセスし（Ｓ３２１）、サーバから地図情報としてＳＷＬＤを取得する（Ｓ３２２）。一方、Ｗｉ‐Ｆｉ（登録商標）環境下等のネットワーク帯域に余裕がある高速ネットワークが用いられている場合には、クライアントは、高速ネットワーク経由でサーバにアクセスし（Ｓ３２３）、サーバからＷＬＤを取得する（Ｓ３２４）。これにより、クライアントは、当該クライアントのネットワーク帯域に応じて適切な地図情報を取得することができる。
【０１６９】
具体的には、クライアントは、屋外ではＬＴＥ経由でＳＷＬＤを受信し、施設等の屋内に入った場合はＷｉ‐Ｆｉ（登録商標）経由でＷＬＤを取得する。これにより、クライアントは、屋内のより詳細な地図情報を取得することが可能となる。
【０１７０】
このように、クライアントは、自身が用いるネットワークの帯域に応じてサーバにＷＬＤ又はＳＷＬＤを要求してもよい。または、クライアントは、自身が用いるネットワークの帯域を示す情報をサーバに送信し、サーバは当該情報に応じて当該クライアントに適したデータ（ＷＬＤ又はＳＷＬＤ）を送信してもよい。または、サーバは、クライアントのネットワーク帯域を判別し、当該クライアントに適したデータ（ＷＬＤ又はＳＷＬＤ）を送信してもよい。
【０１７１】
また、移動速度に応じてＷＬＤ又はＳＷＬＤを受信するかを切替えるようにしてもよい。図１５は、この場合の動作例を示す図である。例えば、クライアントが高速移動をしている場合は（Ｓ３３１）、クライアントはＳＷＬＤをサーバから受信する（Ｓ３３２）。一方、クライアントが低速移動をしている場合は（Ｓ３３３）、クライアントはＷＬＤをサーバから受信する（Ｓ３３４）。これにより、クライアントは、ネットワーク帯域を抑制しながら、速度に合った地図情報を取得することができる。具体的には、クライアントは、高速道路を走行中にはデータ量の少ないＳＷＬＤを受信することにより、大まかな地図情報を適切な速度で更新することができる。一方、クライアントは、一般道路を走行中にはＷＬＤを受信することにより、より詳細な地図情報を取得することが可能となる。
【０１７２】
このように、クライアントは、自身の移動速度に応じてサーバにＷＬＤ又はＳＷＬＤを要求してもよい。または、クライアントは、自身の移動速度を示す情報をサーバに送信し、サーバは当該情報に応じて当該クライアントに適したデータ（ＷＬＤ又はＳＷＬＤ）を送信してもよい。または、サーバは、クライアントの移動速度を判別し、当該クライアントに適したデータ（ＷＬＤ又はＳＷＬＤ）を送信してもよい。
【０１７３】
また、クライアントは、最初にＳＷＬＤをサーバより取得し、その中で重要な領域のＷＬＤを取得しても構わない。例えば、クライアントは、地図データを取得する際に、最初に大まかな地図情報をＳＷＬＤで取得し、そこから建物、標識、又は人物等の特徴が多く出現する領域を絞り込み、絞り込んだ領域のＷＬＤを後から取得する。これにより、クライアントは、サーバからの受信データ量を抑制しつつ、必要な領域の詳細な情報を取得することが可能となる。
【０１７４】
また、サーバは、ＷＬＤから物体毎に別々のＳＷＬＤを作成し、クライアントは、用途に合わせて、それぞれを受信してもよい。これにより、ネットワーク帯域を抑制できる。例えば、サーバは、ＷＬＤから予め人又は車を認識し、人のＳＷＬＤと車のＳＷＬＤを作成する。クライアントは、周囲の人の情報を取得したい場合には人のＳＷＬＤを、車の情報を取得したい場合には車のＳＷＬＤを受信する。また、このようなＳＷＬＤの種類はヘッダ等に付加された情報（フラグ又はタイプ等）によって区別するようにしても構わない。
【０１７５】
次に、本実施の形態に係る三次元データ符号化装置（例えばサーバ）の構成及び動作の流れを説明する。図１６は、本実施の形態に係る三次元データ符号化装置４００のブロック図である。図１７は、三次元データ符号化装置４００による三次元データ符号化処理のフローチャートである。
【０１７６】
図１６に示す三次元データ符号化装置４００は、入力三次元データ４１１を符号化することで符号化ストリームである符号化三次元データ４１３及び４１４を生成する。ここで、符号化三次元データ４１３はＷＬＤに対応する符号化三次元データであり、符号化三次元データ４１４はＳＷＬＤに対応する符号化三次元データである。この三次元データ符号化装置４００は、取得部４０１と、符号化領域決定部４０２と、ＳＷＬＤ抽出部４０３と、ＷＬＤ符号化部４０４と、ＳＷＬＤ符号化部４０５とを備える。
【０１７７】
図１７に示すように、まず、取得部４０１は、三次元空間内の点群データである入力三次元データ４１１を取得する（Ｓ４０１）。
【０１７８】
次に、符号化領域決定部４０２は、点群データが存在する空間領域に基づいて、符号化対象の空間領域を決定する（Ｓ４０２）。
【０１７９】
次に、ＳＷＬＤ抽出部４０３は、符号化対象の空間領域をＷＬＤと定義し、ＷＬＤに含まれる各ＶＸＬから特徴量を算出する。そして、ＳＷＬＤ抽出部４０３は、特徴量が予め定められた閾値以上のＶＸＬを抽出し、抽出したＶＸＬをＦＶＸＬと定義し、当該ＦＶＸＬをＳＷＬＤへ追加することで、抽出三次元データ４１２を生成する（Ｓ４０３）。つまり、入力三次元データ４１１から特徴量が閾値以上の抽出三次元データ４１２が抽出される。
【０１８０】
次に、ＷＬＤ符号化部４０４は、ＷＬＤに対応する入力三次元データ４１１を符号化することでＷＬＤに対応する符号化三次元データ４１３を生成する（Ｓ４０４）。このとき、ＷＬＤ符号化部４０４は、符号化三次元データ４１３のヘッダに、当該符号化三次元データ４１３がＷＬＤを含むストリームであることを区別するための情報を付加する。
【０１８１】
また、ＳＷＬＤ符号化部４０５は、ＳＷＬＤに対応する抽出三次元データ４１２を符号化することでＳＷＬＤに対応する符号化三次元データ４１４を生成する（Ｓ４０５）。このとき、ＳＷＬＤ符号化部４０５は、符号化三次元データ４１４のヘッダに、当該符号化三次元データ４１４がＳＷＬＤを含むストリームであることを区別するための情報を付加する。
【０１８２】
なお、符号化三次元データ４１３を生成する処理と、符号化三次元データ４１４を生成する処理との処理順は上記と逆でもよい。また、これらの処理の一部又は全てが並列に行われてもよい。
【０１８３】
符号化三次元データ４１３及び４１４のヘッダに付与される情報として、例えば、「ｗｏｒｌｄ＿ｔｙｐｅ」というパラメータが定義される。ｗｏｒｌｄ＿ｔｙｐｅ＝０の場合はストリームがＷＬＤを含むことを表し、ｗｏｒｌｄ＿ｔｙｐｅ＝１の場合はストリームがＳＷＬＤを含むことを表す。更にその他の多数の種別を定義する場合には、ｗｏｒｌｄ＿ｔｙｐｅ＝２のように割り当てる数値を増やすようにしても構わない。また、符号化三次元データ４１３及び４１４の一方に特定のフラグが含まれてもよい。例えば、符号化三次元データ４１４に、当該ストリームがＳＷＬＤを含むことを含むフラグが付与されてもよい。この場合、復号装置は、フラグの有無によりＷＬＤを含むストリームか、ＳＷＬＤを含むストリームかを判別できる。
【０１８４】
また、ＷＬＤ符号化部４０４がＷＬＤを符号化する際に使用する符号化方法と、ＳＷＬＤ符号化部４０５がＳＷＬＤを符号化する際に使用する符号化方法とは異なってもよい。
【０１８５】
例えば、ＳＷＬＤではデータが間引かされているため、ＷＬＤに比べ、周辺のデータとの相関が低くなる可能性がある。よって、ＳＷＬＤに用いられる符号化方法では、ＷＬＤに用いられる符号化方法よりもイントラ予測及びインター予測のうちインター予測が優先されてもよい。
【０１８６】
また、ＳＷＬＤに用いられる符号化方法とＷＬＤに用いられる符号化方法とでは、三次元位置の表現手法が異なってもよい。例えば、ＳＷＬＤでは、三次元座標によりＦＶＸＬの三次元位置を表現し、ＷＬＤでは、後述する８分木により三次元位置が表現されてもよいし、その逆でもよい。
【０１８７】
また、ＳＷＬＤ符号化部４０５は、ＳＷＬＤの符号化三次元データ４１４のデータサイズがＷＬＤの符号化三次元データ４１３のデータサイズより小さくなるように符号化を行う。例えば、上述したようにＳＷＬＤは、ＷＬＤに比べ、データ間の相関が低くなる可能性がある。これにより、符号化効率が下がり、符号化三次元データ４１４のデータサイズがＷＬＤの符号化三次元データ４１３のデータサイズより大きくなる可能性がある。よって、ＳＷＬＤ符号化部４０５は、得られた符号化三次元データ４１４のデータサイズが、ＷＬＤの符号化三次元データ４１３のデータサイズより大きい場合には、再符号化を行うことで、データサイズを低減した符号化三次元データ４１４を再生成する。
【０１８８】
例えば、ＳＷＬＤ抽出部４０３は、抽出する特徴点の数を減らした抽出三次元データ４１２を再生成し、ＳＷＬＤ符号化部４０５は、当該抽出三次元データ４１２を符号化する。または、ＳＷＬＤ符号化部４０５における量子化の程度をより粗くしてもよい。例えば、後述する８分木構造において、最下層のデータを丸め込むことで、量子化の程度を粗くすることができる。
【０１８９】
また、ＳＷＬＤ符号化部４０５は、ＳＷＬＤの符号化三次元データ４１４のデータサイズをＷＬＤの符号化三次元データ４１３のデータサイズより小さくできない場合は、ＳＷＬＤの符号化三次元データ４１４を生成しなくてもよい。または、ＷＬＤの符号化三次元データ４１３がＳＷＬＤの符号化三次元データ４１４にコピーされてもよい。つまり、ＳＷＬＤの符号化三次元データ４１４としてＷＬＤの符号化三次元データ４１３がそのまま用いられてもよい。
【０１９０】
次に、本実施の形態に係る三次元データ復号装置（例えばクライアント）の構成及び動作の流れを説明する。図１８は、本実施の形態に係る三次元データ復号装置５００のブロック図である。図１９は、三次元データ復号装置５００による三次元データ復号処理のフローチャートである。
【０１９１】
図１８に示す三次元データ復号装置５００は、符号化三次元データ５１１を復号することで復号三次元データ５１２又は５１３を生成する。ここで、符号化三次元データ５１１は、例えば、三次元データ符号化装置４００で生成された符号化三次元データ４１３又は４１４である。
【０１９２】
この三次元データ復号装置５００は、取得部５０１と、ヘッダ解析部５０２と、ＷＬＤ復号部５０３と、ＳＷＬＤ復号部５０４とを備える。
【０１９３】
図１９に示すように、まず、取得部５０１は、符号化三次元データ５１１を取得する（Ｓ５０１）。次に、ヘッダ解析部５０２は、符号化三次元データ５１１のヘッダを解析し、符号化三次元データ５１１がＷＬＤを含むストリームか、ＳＷＬＤを含むストリームかを判別する（Ｓ５０２）。例えば、上述したｗｏｒｌｄ＿ｔｙｐｅのパラメータが参照され、判別が行われる。
【０１９４】
符号化三次元データ５１１がＷＬＤを含むストリームである場合（Ｓ５０３でＹｅｓ）、ＷＬＤ復号部５０３は、符号化三次元データ５１１を復号することでＷＬＤの復号三次元データ５１２を生成する（Ｓ５０４）。一方、符号化三次元データ５１１がＳＷＬＤを含むストリームである場合（Ｓ５０３でＮｏ）、ＳＷＬＤ復号部５０４は、符号化三次元データ５１１を復号することでＳＷＬＤの復号三次元データ５１３を生成する（Ｓ５０５）。
【０１９５】
また、符号化装置と同様に、ＷＬＤ復号部５０３がＷＬＤを復号する際に使用する復号方法と、ＳＷＬＤ復号部５０４がＳＷＬＤを復号する際に使用する復号方法とは異なってもよい。例えば、ＳＷＬＤに用いられる復号方法では、ＷＬＤに用いられる復号方法よりもイントラ予測及びインター予測のうちインター予測が優先されてもよい。
【０１９６】
また、ＳＷＬＤに用いられる復号方法とＷＬＤに用いられる復号方法とでは、三次元位置の表現手法が異なってもよい。例えば、ＳＷＬＤでは、三次元座標によりＦＶＸＬの三次元位置を表現し、ＷＬＤでは、後述する８分木により三次元位置が表現されてもよいし、その逆でもよい。
【０１９７】
次に、三次元位置の表現手法である８分木表現について説明する。三次元データに含まれるＶＸＬデータは８分木構造に変換された後、符号化される。図２０は、ＷＬＤのＶＸＬの一例を示す図である。図２１は、図２０に示すＷＬＤの８分木構造を示す図である。図２０に示す例では、点群を含むＶＸＬ（以下、有効ＶＸＬ）である３つＶＸＬ１〜３が存在する。図２１に示すように、８分木構造はノードとリーフで構成される。各ノードは最大で８つのノードまたはリーフを持つ。各リーフはＶＸＬ情報を持つ。ここで、図２１に示すリーフのうち、リーフ１、２、３はそれぞれ図２０に示すＶＸＬ１、ＶＸＬ２、ＶＸＬ３を表す。
【０１９８】
具体的には、各ノード及びリーフは三次元位置に対応する。ノード１は、図２０に示す全体のブロックに対応する。ノード１に対応するブロックは８つのブロックに分割され、８つのブロックのうち、有効ＶＸＬを含むブロックがノードに設定され、それ以外のブロックはリーフに設定される。ノードに対応するブロックは、さらに８つのノードまたはリーフに分割され、この処理が木構造の階層分繰り返される。また、最下層のブロックは、全てリーフに設定される。
【０１９９】
また、図２２は、図２０に示すＷＬＤから生成したＳＷＬＤの例を示す図である。図２０に示すＶＸＬ１及びＶＸＬ２は特徴量抽出の結果、ＦＶＸＬ１及びＦＶＸＬ２と判定され、ＳＷＬＤに加えられている。一方で、ＶＸＬ３はＦＶＸＬと判定されず、ＳＷＬＤに含まれていない。図２３は、図２２に示すＳＷＬＤの８分木構造を示す図である。図２３に示す８分木構造では、図２１に示す、ＶＸＬ３に相当するリーフ３が削除されている。これにより、図２１に示すノード３が有効ＶＸＬを持たなくなり、リーフに変更されている。このように一般的にＳＷＬＤのリーフ数はＷＬＤのリーフ数より少なくなり、ＳＷＬＤの符号化三次元データもＷＬＤの符号化三次元データより小さくなる。
【０２００】
以下、本実施の形態の変形例について説明する。
【０２０１】
例えば、車載装置等のクライアントは、自己位置推定を行う場合に、ＳＷＬＤをサーバから受信し、ＳＷＬＤを用いて自己位置推定を行い、障害物検知を行う場合は、レンジファインダなどの距離センサ、ステレオカメラ、又は複数の単眼カメラの組合せ等の様々な方法を用いて自分で取得した周辺の三次元情報に基づいて障害物検知を実施してもよい。
【０２０２】
また、一般的にＳＷＬＤには平坦領域のＶＸＬデータが含まれにくい。そのため、サーバは、静的な障害物の検知用に、ＷＬＤをサブサンプルしたサブサンプルワールド（ｓｕｂＷＬＤ）を保持し、ＳＷＬＤとｓｕｂＷＬＤをクライアントに送信してもよい。これにより、ネットワーク帯域を抑制しつつ、クライアント側で自己位置推定及び障害物検知を行うことができる。
【０２０３】
また、クライアントが三次元地図データを高速に描画する際には、地図情報がメッシュ構造である方が便利な場合がある。そこで、サーバは、ＷＬＤからメッシュを生成し、メッシュワールド（ＭＷＬＤ）として予め保持してもよい。例えばクライアントは、粗い三次元描画を必要としている場合にはＭＷＬＤを受信し、詳細な三次元描画を必要としている場合にはＷＬＤを受信する。これにより、ネットワーク帯域を抑制することができる。
【０２０４】
また、サーバは、各ＶＸＬのうち、特徴量が閾値以上であるＶＸＬをＦＶＸＬに設定したが、異なる方法にてＦＶＸＬを算出しても構わない。例えば、サーバは、信号又は交差点などを構成するＶＸＬ、ＶＬＭ、ＳＰＣ、又はＧＯＳを、自己位置推定、運転アシスト、又は自動運転等に必要と判断し、ＦＶＸＬ、ＦＶＬＭ、ＦＳＰＣ、ＦＧＯＳとしてＳＷＬＤに含めるようにしても構わない。また、上記判断は手動で行われてもよい。なお、特徴量に基づき設定されたＦＶＸＬ等に、上記方法で得られたＦＶＸＬ等を加えてもよい。つまり、ＳＷＬＤ抽出部４０３は、さらに、入力三次元データ４１１から予め定められた属性を有する物体に対応するデータを抽出三次元データ４１２として抽出してもよい。
【０２０５】
また、それらの用途に必要な旨を特徴量とは別にラベリングするようにしても構わない。また、サーバは、ＳＷＬＤの上位レイヤ（例えばレーンワールド）として、信号又は交差点などの自己位置推定、運転アシスト、又は自動運転等に必要なＦＶＸＬを別途保持してもよい。
【０２０６】
また、サーバは、ＷＬＤ内のＶＸＬにもランダムアクセス単位又は所定の単位毎に属性を付加してもよい。属性は、例えば、自己位置推定に必要或いは不要かを示す情報、又は、信号或いは交差点などの交通情報として重要かどうかなどを示す情報を含む。また、属性は、レーン情報（ＧＤＦ：Ｇｅｏｇｒａｐｈｉｃ  Ｄａｔａ  Ｆｉｌｅｓなど）におけるＦｅａｔｕｒｅ（交差点又は道路など）との対応関係を含んでもよい。
【０２０７】
また、ＷＬＤ又はＳＷＬＤの更新方法として下記のような方法を用いても構わない。
【０２０８】
人、工事、又は並木（トラック向け）の変化などを示す更新情報が点群又はメタデータとしてサーバにアップロードされる。サーバは、当該アップロードに基づき、ＷＬＤを更新し、その後、更新したＷＬＤを用いてＳＷＬＤを更新する。
【０２０９】
また、クライアントは、自己位置推定時に自身で生成した三次元情報とサーバから受信した三次元情報との不整合を検知した場合、自身で生成した三次元情報を更新通知とともにサーバに送信してもよい。この場合、サーバは、ＷＬＤを用いてＳＷＬＤを更新する。ＳＷＬＤが更新されない場合、サーバは、ＷＬＤ自体が古いと判断する。
【０２１０】
また、符号化ストリームのヘッダ情報として、ＷＬＤかＳＷＬＤかを区別する情報が付加されるとしたが、例えば、メッシュワールド又はレーンワールド等、多種類のワールドが存在する場合には、それらを区別する情報がヘッダ情報に付加されても構わない。また、特徴量が異なるＳＷＬＤが多数存在する場合には、それぞれを区別する情報がヘッダ情報に付加されても構わない。
【０２１１】
また、ＳＷＬＤは、ＦＶＸＬで構成されるとしたが、ＦＶＸＬと判定されなかったＶＸＬを含んでもよい。例えば、ＳＷＬＤは、ＦＶＸＬの特徴量を算出する際に使用する隣接ＶＸＬを含んでもよい。これにより、ＳＷＬＤの各ＦＶＸＬに特徴量情報が付加されない場合でも、クライアントは、ＳＷＬＤを受信した際にＦＶＸＬの特徴量を算出することができる。なお、その際には、ＳＷＬＤは各ＶＸＬがＦＶＸＬかＶＸＬかを区別するための情報を含んでもよい。
【０２１２】
以上のように、三次元データ符号化装置４００は、入力三次元データ４１１（第１三次元データ）から特徴量が閾値以上の抽出三次元データ４１２（第２三次元データ）を抽出し、抽出三次元データ４１２を符号化することで符号化三次元データ４１４（第１符号化三次元データ）を生成する。
【０２１３】
これによれば、三次元データ符号化装置４００は、特徴量が閾値以上のデータを符号化した符号化三次元データ４１４を生成する。これにより、入力三次元データ４１１をそのまま符号化する場合に比べてデータ量を削減できる。よって、三次元データ符号化装置４００は、伝送するデータ量を削減できる。
【０２１４】
また、三次元データ符号化装置４００は、さらに、入力三次元データ４１１を符号化することで符号化三次元データ４１３（第２符号化三次元データ）を生成する。
【０２１５】
これによれば、三次元データ符号化装置４００は、例えば、使用用途等に応じて、符号化三次元データ４１３と符号化三次元データ４１４とを選択的に伝送できる。
【０２１６】
また、抽出三次元データ４１２は、第１符号化方法により符号化され、入力三次元データ４１１は、第１符号化方法とは異なる第２符号化方法により符号化される。
【０２１７】
これによれば、三次元データ符号化装置４００は、入力三次元データ４１１と抽出三次元データ４１２とにそれぞれ適した符号化方法を用いることができる。
【０２１８】
また、第１符号化方法では、第２符号化方法よりもイントラ予測及びインター予測のうちインター予測が優先される。
【０２１９】
これによれば、三次元データ符号化装置４００は、隣接するデータ間の相関が低くなりやすい抽出三次元データ４１２に対して、インター予測の優先度を上げることができる。
【０２２０】
また、第１符号化方法と第２符号化方法とでは、三次元位置の表現手法が異なる。例えば、例えば、第２符号化方法では、８分木により三次元位置が表現され、第１符号化方法では、三次元座標により三次元位置を表現される。
【０２２１】
これによれば、三次元データ符号化装置４００は、データ数（ＶＸＬ又はＦＶＸＬの数）が異なる三次元データに対して、より適した三次元位置の表現手法を用いることができる。
【０２２２】
また、符号化三次元データ４１３及び４１４の少なくとも一方は、当該符号化三次元データが入力三次元データ４１１を符号化することで得られた符号化三次元データであるか、入力三次元データ４１１のうちの一部を符号化することで得られた符号化三次元データであるかを示す識別子を含む。つまり、当該識別子は、符号化三次元データがＷＬＤの符号化三次元データ４１３であるかＳＷＬＤの符号化三次元データ４１４であるかを示す。
【０２２３】
これによれば、復号装置は、取得した符号化三次元データが符号化三次元データ４１３であるか符号化三次元データ４１４であるかを容易に判定できる。
【０２２４】
また、三次元データ符号化装置４００は、符号化三次元データ４１４のデータ量が符号化三次元データ４１３のデータ量より小さくなるように抽出三次元データ４１２を符号化する。
【０２２５】
これによれば、三次元データ符号化装置４００は、符号化三次元データ４１４のデータ量を符号化三次元データ４１３のデータ量より小さくできる。
【０２２６】
また、三次元データ符号化装置４００は、さらに、入力三次元データ４１１から予め定められた属性を有する物体に対応するデータを抽出三次元データ４１２として抽出する。例えば、予め定められた属性を有する物体とは、自己位置推定、運転アシスト、又は自動運転等に必要な物体であり、信号又は交差点などである。
【０２２７】
これによれば、三次元データ符号化装置４００は、復号装置で必要となるデータを含む符号化三次元データ４１４を生成できる。
【０２２８】
また、三次元データ符号化装置４００（サーバ）は、さらに、クライアントの状態に応じて、符号化三次元データ４１３及び４１４の一方をクライアントに送信する。
【０２２９】
これによれば、三次元データ符号化装置４００は、クライアントの状態に応じて適切なデータを送信できる。
【０２３０】
また、クライアントの状態は、クライアントの通信状況（例えばネットワーク帯域）、又はクライアントの移動速度を含む。
【０２３１】
また、三次元データ符号化装置４００は、さらに、クライアントの要求に応じて、符号化三次元データ４１３及び４１４の一方をクライアントに送信する。
【０２３２】
これによれば、三次元データ符号化装置４００は、クライアントの要求に応じて適切なデータを送信できる。
【０２３３】
また、本実施の形態に係る三次元データ復号装置５００は、上記三次元データ符号化装置４００により生成された符号化三次元データ４１３又は４１４を復号する。
【０２３４】
つまり、三次元データ復号装置５００は、入力三次元データ４１１から抽出された特徴量が閾値以上の抽出三次元データ４１２が符号化されることで得られた符号化三次元データ４１４を第１復号方法により復号する。また、三次元データ復号装置５００は、入力三次元データ４１１が符号化されることで得られた符号化三次元データ４１３を、第１復号方法とは異なる第２復号方法により復号する。
【０２３５】
これによれば、三次元データ復号装置５００は、特徴量が閾値以上のデータを符号化した符号化三次元データ４１４と、符号化三次元データ４１３とを、例えば、使用用途等に応じて選択的に受信できる。これにより、三次元データ復号装置５００は、伝送するデータ量を削減できる。さらに、三次元データ復号装置５００は、入力三次元データ４１１と抽出三次元データ４１２とにそれぞれ適した復号方法を用いることができる。
【０２３６】
また、第１復号方法では、第２復号方法よりもイントラ予測及びインター予測のうちインター予測が優先される。
【０２３７】
これによれば、三次元データ復号装置５００は、隣接するデータ間の相関が低くなりやすい抽出三次元データに対して、インター予測の優先度を上げることができる。
【０２３８】
また、第１復号方法と第２復号方法とでは、三次元位置の表現手法が異なる。例えば、例えば、第２復号方法では、８分木により三次元位置が表現され、第１復号方法では、三次元座標により三次元位置を表現される。
【０２３９】
これによれば、三次元データ復号装置５００は、データ数（ＶＸＬ又はＦＶＸＬの数）が異なる三次元データに対して、より適した三次元位置の表現手法を用いることができる。
【０２４０】
また、符号化三次元データ４１３及び４１４の少なくとも一方は、当該符号化三次元データが入力三次元データ４１１を符号化することで得られた符号化三次元データであるか、入力三次元データ４１１のうちの一部を符号化することで得られた符号化三次元データであるかを示す識別子を含む。三次元データ復号装置５００は、当該識別子を参照して、符号化三次元データ４１３及び４１４を識別する。
【０２４１】
これによれば、三次元データ復号装置５００は、取得した符号化三次元データが符号化三次元データ４１３であるか符号化三次元データ４１４であるかを容易に判定できる。
【０２４２】
また、三次元データ復号装置５００は、さらに、クライアント（三次元データ復号装置５００）の状態をサーバに通知する。三次元データ復号装置５００は、クライアントの状態に応じて、サーバから送信された符号化三次元データ４１３及び４１４の一方を受信する。
【０２４３】
これによれば、三次元データ復号装置５００は、クライアントの状態に応じて適切なデータを受信できる。
【０２４４】
また、クライアントの状態は、クライアントの通信状況（例えばネットワーク帯域）、又はクライアントの移動速度を含む。
【０２４５】
また、三次元データ復号装置５００は、さらに、符号化三次元データ４１３及び４１４の一方をサーバに要求し、当該要求に応じて、サーバから送信された符号化三次元データ４１３及び４１４の一方を受信する。
【０２４６】
これによれば、三次元データ復号装置５００は、用途に応じた適切なデータを受信できる。
【０２４７】
（実施の形態３）
本実施の形態では、車両間での三次元データを送受信する方法について説明する。例えば、自車両と周辺車両との間での三次元データの送受信が行われる。
【０２４８】
図２４は、本実施の形態に係る三次元データ作成装置６２０のブロック図である。この三次元データ作成装置６２０は、例えば、自車両に含まれ、三次元データ作成装置６２０が作成した第１三次元データ６３２に、受信した第２三次元データ６３５を合成することで、より密な第３三次元データ６３６を作成する。
【０２４９】
この三次元データ作成装置６２０は、三次元データ作成部６２１と、要求範囲決定部６２２と、探索部６２３と、受信部６２４と、復号部６２５と、合成部６２６とを備える。
【０２５０】
まず、三次元データ作成部６２１は、自車両が備えるセンサで検知したセンサ情報６３１を用いて第１三次元データ６３２を作成する。次に、要求範囲決定部６２２は、作成した第１三次元データ６３２の中でデータが不足している三次元空間範囲である要求範囲を決定する。
【０２５１】
次に、探索部６２３は、要求範囲の三次元データを所有する周辺車両を探索し、探索により特定した周辺車両に要求範囲を示す要求範囲情報６３３を送信する。次に、受信部６２４は、周辺車両から、要求範囲の符号化ストリームである符号化三次元データ６３４を受信する（Ｓ６２４）。なお、探索部６２３は、特定範囲に存在する全ての車両に対し、無差別にリクエストを出し、応答があった相手から符号化三次元データ６３４を受信してもよい。また、探索部６２３は、車両に限らず、信号機又は標識などの物体にリクエストを出し、当該物体から符号化三次元データ６３４を受信してもよい。
【０２５２】
次に、復号部６２５は、受信した符号化三次元データ６３４を復号することで第２三次元データ６３５を取得する。次に、合成部６２６は、第１三次元データ６３２と第２三次元データ６３５とを合成することで、より密な第３三次元データ６３６を作成する。
【０２５３】
次に、本実施の形態に係る三次元データ送信装置６４０の構成及び動作を説明する。図２５は、三次元データ送信装置６４０のブロック図である。
【０２５４】
三次元データ送信装置６４０は、例えば、上述した周辺車両に含まれ、周辺車両が作成した第５三次元データ６５２を自車両が要求する第６三次元データ６５４に加工し、第６三次元データ６５４を符号化することで符号化三次元データ６３４を生成し、符号化三次元データ６３４を自車両に送信する。
【０２５５】
三次元データ送信装置６４０は、三次元データ作成部６４１と、受信部６４２と、抽出部６４３と、符号化部６４４と、送信部６４５とを備える。
【０２５６】
まず、三次元データ作成部６４１は、周辺車両が備えるセンサで検知したセンサ情報６５１を用いて第５三次元データ６５２を作成する。次に、受信部６４２は、自車両から送信された要求範囲情報６３３を受信する。
【０２５７】
次に、抽出部６４３は、第５三次元データ６５２から、要求範囲情報６３３で示される要求範囲の三次元データを抽出することで、第５三次元データ６５２を第６三次元データ６５４に加工する。次に、符号化部６４４は、第６三次元データ６５４を符号化することで、符号化ストリームである符号化三次元データ６３４を生成する。そして、送信部６４５は、自車両へ符号化三次元データ６３４を送信する。
【０２５８】
なお、ここでは、自車両が三次元データ作成装置６２０を備え、周辺車両が三次元データ送信装置６４０を備える例を説明するが、各車両が、三次元データ作成装置６２０と三次元データ送信装置６４０との機能を有してもよい。
【０２５９】
（実施の形態４）
本実施の形態では、三次元マップに基づく自己位置推定における異常系の動作について説明する。
【０２６０】
車の自動運転、又は、ロボット、或いはドローンなどの飛行体などの移動体を自律的に移動させるなどの用途が今後拡大すると予想される。このような自律的な移動を実現する手段の一例として、移動体が、三次元マップ内における自らの位置を推定（自己位置推定）しながら、マップに従って走行する方法がある。
【０２６１】
自己位置推定は、三次元マップと、自車に搭載したレンジファインダー（ＬｉＤＡＲなど）又はステレオカメラなどのセンサにより取得した自車周辺の三次元情報（以降、自車検知三次元データ）とをマッチングして、三次元マップ内の自車位置を推定することで実現できる。
【０２６２】
三次元マップは、ＨＥＲＥ社が提唱するＨＤマップなどのように、三次元のポイントクラウドだけでなく、道路及び交差点の形状情報など二次元の地図データ、又は、渋滞及び事故などの実時間で変化する情報を含んでもよい。三次元データ、二次元データ、実時間で変化するメタデータなど複数のレイヤから三次元マップが構成され、装置は、必要なデータのみを取得、又は、参照することも可能である。
【０２６３】
ポイントクラウドのデータは、上述したＳＷＬＤであってもよいし、特徴点ではない点群データを含んでもよい。また、ポイントクラウドのデータの送受信は、１つ、または、複数のランダムアクセス単位を基本として行われる。
【０２６４】
三次元マップと自車検知三次元データとのマッチング方法として以下の方法を用いることができる。例えば、装置は、互いのポイントクラウドにおける点群の形状を比較し、特徴点間の類似度が高い部位が同一位置であると決定する。また、装置は、三次元マップがＳＷＬＤから構成される場合、ＳＷＬＤを構成する特徴点と、自車検知三次元データから抽出した三次元特徴点とを比較してマッチングを行う。
【０２６５】
ここで、高精度に自己位置推定を行うためには、（Ａ）三次元マップと自車検知三次元データが取得できており、かつ、（Ｂ）それらの精度が予め定められた基準を満たすことが必要となる。しかしながら、以下のような異常ケースでは、（Ａ）又は（Ｂ）が満たせない。
【０２６６】
（１）三次元マップを通信経由で取得できない。
【０２６７】
（２）三次元マップが存在しない、又は、三次元マップを取得したが破損している。
【０２６８】
（３）自車のセンサが故障している、又は、悪天候のために、自車検知三次元データの生成精度が十分でない。
【０２６９】
これらの異常ケースに対処するための動作を、以下で説明する。以下では、車を例に動作を説明するが、以下の手法は、ロボット又はドローンなど、自律的に移動する動物体全般に対して適用できる。
【０２７０】
以下、三次元マップ又は自車検知三次元データにおける異常ケースに対応するための、本実施の形態に係る三次元情報処理装置の構成及び動作を説明する。図２６は、本実施の形態に係る三次元情報処理装置７００の構成例を示すブロック図である。
【０２７１】
三次元情報処理装置７００は、例えば、自動車等の動物体に搭載される。図２６に示すように、三次元情報処理装置７００は、三次元マップ取得部７０１と、自車検知データ取得部７０２と、異常ケース判定部７０３と、対処動作決定部７０４と、動作制御部７０５とを備える。
【０２７２】
なお、三次元情報処理装置７００は、二次元画像を取得するカメラ、又は、超音波或いはレーザーを用いた一次元データのセンサなど、自車周辺の構造物又は動物体を検知するための図示しない二次元又は一次元のセンサを備えてもよい。また、三次元情報処理装置７００は、三次元マップを４Ｇ或いは５Ｇなどの移動体通信網、又は、車車間通信或いは路車間通信により取得するための通信部（図示せず）を備えてもよい。
【０２７３】
三次元マップ取得部７０１は、走行経路近傍の三次元マップ７１１を取得する。例えば、三次元マップ取得部７０１は、移動体通信網、又は、車車間通信或いは路車間通信により三次元マップ７１１を取得する。
【０２７４】
次に、自車検知データ取得部７０２は、センサ情報に基づいて自車検知三次元データ７１２を取得する。例えば、自車検知データ取得部７０２は、自車が備えるセンサにより取得されたセンサ情報に基づき、自車検知三次元データ７１２を生成する。
【０２７５】
次に、異常ケース判定部７０３は、取得した三次元マップ７１１及び自車検知三次元データ７１２の少なくとも一方に対して予め定められたチェックを実施することで異常ケースを検出する。つまり、異常ケース判定部７０３は、取得した三次元マップ７１１及び自車検知三次元データ７１２の少なくとも一方が異常であるかを判定する。
【０２７６】
異常ケースが検出された場合、対処動作決定部７０４は、異常ケースに対する対処動作を決定する。次に、動作制御部７０５は、三次元マップ取得部７０１など、対処動作の実施に必要となる各処理部の動作を制御する。
【０２７７】
一方、異常ケースが検出されない場合、三次元情報処理装置７００は、処理を終了する。
【０２７８】
また、三次元情報処理装置７００は、三次元マップ７１１と自車検知三次元データ７１２とを用いて、三次元情報処理装置７００を有する車両の自己位置推定を行う。次に、三次元情報処理装置７００は、自己位置推定の結果を用いて、当該車両を自動運転する。
【０２７９】
このように、三次元情報処理装置７００は、第１の三次元位置情報を含むマップデータ（三次元マップ７１１）を通信路を介して取得する。例えば、第１の三次元位置情報は、三次元の座標情報を有する部分空間を単位として符号化され、各々が１以上の部分空間の集合体であり、各々を独立に復号可能な複数のランダムアクセス単位を含む。例えば、第１の三次元位置情報は、三次元の特徴量が所定の閾値以上となる特徴点が符号化されたデータ（ＳＷＬＤ）である。
【０２８０】
また、三次元情報処理装置７００は、センサで検知した情報から第２の三次元位置情報（自車検知三次元データ７１２）を生成する。次に、三次元情報処理装置７００は、第１の三次元位置情報又は第２の三次元位置情報に対して異常判定処理を実施することで、第１の三次元位置情報又は前記第２の三次元位置情報が異常であるかどうかを判定する。
【０２８１】
三次元情報処理装置７００は、第１の三次元位置情報又は第２の三次元位置情報が異常であると判定された場合、当該異常に対する対処動作を決定する。次に、三次元情報処理装置７００は、対処動作の実施に必要となる制御を実施する。
【０２８２】
これにより、三次元情報処理装置７００は、第１の三次元位置情報又は第２の三次元位置情報の異常を検知し、対処動作を行うことができる。
【０２８３】
（実施の形態５）
本実施の形態では、後続車両への三次元データ送信方法等について説明する。
【０２８４】
図２７は、本実施の形態に係る三次元データ作成装置８１０の構成例を示すブロック図である。この三次元データ作成装置８１０は、例えば、車両に搭載される。三次元データ作成装置８１０は、外部の交通監視クラウド、前走車両又は後続車両と三次元データの送受信を行うとともに、三次元データを作成及び蓄積する。
【０２８５】
三次元データ作成装置８１０は、データ受信部８１１と、通信部８１２と、受信制御部８１３と、フォーマット変換部８１４と、複数のセンサ８１５と、三次元データ作成部８１６と、三次元データ合成部８１７と、三次元データ蓄積部８１８と、通信部８１９と、送信制御部８２０と、フォーマット変換部８２１と、データ送信部８２２とを備える。
【０２８６】
データ受信部８１１は、交通監視クラウド又は前走車両から三次元データ８３１を受信する。三次元データ８３１は、例えば、自車両のセンサ８１５で検知不能な領域を含む、ポイントクラウド、可視光映像、奥行き情報、センサ位置情報、又は速度情報などの情報を含む。
【０２８７】
通信部８１２は、交通監視クラウド又は前走車両と通信し、データ送信要求などを交通監視クラウド又は前走車両に送信する。
【０２８８】
受信制御部８１３は、通信部８１２を介して、対応フォーマット等の情報を通信先と交換し、通信先との通信を確立する。
【０２８９】
フォーマット変換部８１４は、データ受信部８１１が受信した三次元データ８３１にフォーマット変換等を行うことで三次元データ８３２を生成する。また、フォーマット変換部８１４は、三次元データ８３１が圧縮又は符号化されている場合には、伸張又は復号処理を行う。
【０２９０】
複数のセンサ８１５は、ＬｉＤＡＲ、可視光カメラ又は赤外線カメラなどの、車両の外部の情報を取得するセンサ群であり、センサ情報８３３を生成する。例えば、センサ情報８３３は、センサ８１５がＬｉＤＡＲなどのレーザセンサである場合、ポイントクラウド（点群データ）等の三次元データである。なお、センサ８１５は複数でなくてもよい。
【０２９１】
三次元データ作成部８１６は、センサ情報８３３から三次元データ８３４を生成する。三次元データ８３４は、例えば、ポイントクラウド、可視光映像、奥行き情報、センサ位置情報、又は速度情報などの情報を含む。
【０２９２】
三次元データ合成部８１７は、自車両のセンサ情報８３３に基づいて作成された三次元データ８３４に、交通監視クラウド又は前走車両等が作成した三次元データ８３２を合成することで、自車両のセンサ８１５では検知できない前走車両の前方の空間も含む三次元データ８３５を構築する。
【０２９３】
三次元データ蓄積部８１８は、生成された三次元データ８３５等を蓄積する。
【０２９４】
通信部８１９は、交通監視クラウド又は後続車両と通信し、データ送信要求などを交通監視クラウド又は後続車両に送信する。
【０２９５】
送信制御部８２０は、通信部８１９を介して、対応フォーマット等の情報を通信先と交換し、通信先と通信を確立する。また、送信制御部８２０は、三次元データ合成部８１７で生成された三次元データ８３２の三次元データ構築情報と、通信先からのデータ送信要求とに基づき、送信対象の三次元データの空間である送信領域を決定する。
【０２９６】
具体的には、送信制御部８２０は、交通監視クラウド又は後続車両からのデータ送信要求に応じて、後続車両のセンサでは検知できない自車両の前方の空間を含む送信領域を決定する。また、送信制御部８２０は、三次元データ構築情報に基づいて送信可能な空間又は送信済み空間の更新有無等を判断することで送信領域を決定する。例えば、送信制御部８２０は、データ送信要求で指定された領域であり、かつ、対応する三次元データ８３５が存在する領域を送信領域に決定する。そして、送信制御部８２０は、通信先が対応するフォーマット、及び送信領域をフォーマット変換部８２１に通知する。
【０２９７】
フォーマット変換部８２１は、三次元データ蓄積部８１８に蓄積されている三次元データ８３５のうち、送信領域の三次元データ８３６を、受信側が対応しているフォーマットへ変換することで三次元データ８３７を生成する。なお、フォーマット変換部８２１は、三次元データ８３７を圧縮又は符号化することでデータ量を削減してもよい。
【０２９８】
データ送信部８２２は、三次元データ８３７を交通監視クラウド又は後続車両に送信する。この三次元データ８３７は、例えば、後続車両の死角になる領域を含む、自車両の前方のポイントクラウド、可視光映像、奥行き情報、又はセンサ位置情報などの情報を含む。
【０２９９】
なお、ここでは、フォーマット変換部８１４及び８２１にてフォーマット変換等が行われる例を述べたが、フォーマット変換は行われなくてもよい。
【０３００】
このような構成により、三次元データ作成装置８１０は、自車両のセンサ８１５では検知できない領域の三次元データ８３１を外部から取得し、三次元データ８３１と自車両のセンサ８１５で検知したセンサ情報８３３に基づく三次元データ８３４とを合成することで三次元データ８３５を生成する。これにより、三次元データ作成装置８１０は、自車両のセンサ８１５で検知できない範囲の三次元データを生成できる。
【０３０１】
また、三次元データ作成装置８１０は、交通監視クラウド又は後続車両からのデータ送信要求に応じて、後続車両のセンサでは検知できない自車両の前方の空間を含む三次元データを、交通監視クラウド又は後続車両等へ送信できる。
【０３０２】
（実施の形態６）
実施の形態５において、車両等のクライアント装置が、他の車両又は交通監視クラウド等のサーバに三次元データを送信する例を説明した。本実施の形態では、クライアント装置は、サーバ又は他のクライアント装置にセンサで得られたセンサ情報を送信する。
【０３０３】
まず、本実施の形態に係るシステムの構成を説明する。図２８は、本実施の形態に係る三次元マップ及びセンサ情報の送受信システムの構成を示す図である。このシステムは、サーバ９０１と、クライアント装置９０２Ａ及び９０２Ｂを含む。なお、クライアント装置９０２Ａ及び９０２Ｂを特に区別しない場合には、クライアント装置９０２とも記す。
【０３０４】
クライアント装置９０２は、例えば、車両等の移動体に搭載される車載機器である。サーバ９０１は、例えば、交通監視クラウド等であり、複数のクライアント装置９０２と通信可能である。
【０３０５】
サーバ９０１は、クライアント装置９０２に、ポイントクラウドから構成される三次元マップを送信する。なお、三次元マップの構成はポイントクラウドに限定されず、メッシュ構造等、他の三次元データを表すものであってもよい。
【０３０６】
クライアント装置９０２は、サーバ９０１に、クライアント装置９０２が取得したセンサ情報を送信する。センサ情報は、例えば、ＬｉＤＡＲ取得情報、可視光画像、赤外画像、デプス画像、センサ位置情報及び速度情報のうち少なくとも一つを含む。
【０３０７】
サーバ９０１とクライアント装置９０２との間で送受信されるデータは、データ削減のために圧縮されてもよいし、データの精度を維持するために非圧縮のままでも構わない。データを圧縮する場合、ポイントクラウドには例えば８分木構造に基づく三次元圧縮方式を用いることができる。また、可視光画像、赤外画像、及びデプス画像には二次元の画像圧縮方式を用いることできる。二次元の画像圧縮方式とは、例えば、ＭＰＥＧで規格化されたＭＰＥＧ−４  ＡＶＣ又はＨＥＶＣ等である。
【０３０８】
また、サーバ９０１は、クライアント装置９０２からの三次元マップの送信要求に応じてサーバ９０１で管理する三次元マップをクライアント装置９０２に送信する。なお、サーバ９０１はクライアント装置９０２からの三次元マップの送信要求を待たずに三次元マップを送信してもよい。例えば、サーバ９０１は、予め定められた空間にいる１つ以上のクライアント装置９０２に三次元マップをブロードキャストしても構わない。また、サーバ９０１は、一度送信要求を受けたクライアント装置９０２に、一定時間毎にクライアント装置９０２の位置に適した三次元マップを送信してもよい。また、サーバ９０１は、サーバ９０１が管理する三次元マップが更新される度にクライアント装置９０２に三次元マップを送信してもよい。
【０３０９】
クライアント装置９０２は、サーバ９０１に三次元マップの送信要求を出す。例えば、クライアント装置９０２が、走行時に自己位置推定を行いたい場合に、クライアント装置９０２は、三次元マップの送信要求をサーバ９０１に送信する。
【０３１０】
なお、次のような場合に、クライアント装置９０２はサーバ９０１に三次元マップの送信要求を出してもよい。クライアント装置９０２の保持する三次元マップが古い場合に、クライアント装置９０２はサーバ９０１に三次元マップの送信要求を出してもよい。例えば、クライアント装置９０２が三次元マップを取得してから一定期間が経過した場合に、クライアント装置９０２はサーバ９０１に三次元マップの送信要求を出してもよい。
【０３１１】
クライアント装置９０２が保持する三次元マップで示される空間から、クライアント装置９０２が外に出る一定時刻前に、クライアント装置９０２はサーバ９０１に三次元マップの送信要求を出してもよい。例えば、クライアント装置９０２が、クライアント装置９０２が保持する三次元マップで示される空間の境界から予め定められた距離以内に存在する場合に、クライアント装置９０２はサーバ９０１に三次元マップの送信要求を出してもよい。また、クライアント装置９０２の移動経路及び移動速度が把握できている場合には、これらに基づき、クライアント装置９０２が保持する三次元マップで示される空間から、クライアント装置９０２が外に出る時刻を予測してもよい。
【０３１２】
クライアント装置９０２がセンサ情報から作成した三次元データと三次元マップとの位置合せ時の誤差が一定以上の場合に、クライアント装置９０２はサーバ９０１に三次元マップの送信要求を出してもよい。
【０３１３】
クライアント装置９０２は、サーバ９０１から送信されたセンサ情報の送信要求に応じて、サーバ９０１にセンサ情報を送信する。なお、クライアント装置９０２はサーバ９０１からのセンサ情報の送信要求を待たずにセンサ情報をサーバ９０１に送ってもよい。例えば、クライアント装置９０２は、一度サーバ９０１からセンサ情報の送信要求を得た場合、一定期間の間、定期的にセンサ情報をサーバ９０１に送信してもよい。また、クライアント装置９０２は、クライアント装置９０２がセンサ情報を元に作成した三次元データと、サーバ９０１から得た三次元マップとの位置合せ時の誤差が一定以上の場合、クライアント装置９０２の周辺の三次元マップに変化が生じた可能性があると判断し、その旨とセンサ情報とをサーバ９０１に送信してもよい。
【０３１４】
サーバ９０１は、クライアント装置９０２にセンサ情報の送信要求を出す。例えば、サーバ９０１は、クライアント装置９０２から、ＧＰＳ等のクライアント装置９０２の位置情報を受信する。サーバ９０１は、クライアント装置９０２の位置情報に基づき、サーバ９０１が管理する三次元マップにおいて情報が少ない空間にクライアント装置９０２が近づいていると判断した場合、新たな三次元マップを生成するためにクライアント装置９０２にセンサ情報の送信要求を出す。また、サーバ９０１は、三次元マップを更新したい場合、積雪時或いは災害時などの道路状況を確認したい場合、渋滞状況、或いは事件事故状況等を確認したい場合に、センサ情報の送信要求を出してもよい。
【０３１５】
また、クライアント装置９０２は、サーバ９０１から受け取るセンサ情報の送信要求の受信時における通信状態又は帯域に応じて、サーバ９０１に送信するセンサ情報のデータ量を設定してもよい。サーバ９０１に送信するセンサ情報のデータ量を設定するというのは、例えば、当該データそのものを増減させること、又は圧縮方式を適宜選択することである。
【０３１６】
図２９は、クライアント装置９０２の構成例を示すブロック図である。クライアント装置９０２は、サーバ９０１からポイントクラウド等で構成される三次元マップを受信し、クライアント装置９０２のセンサ情報に基づいて作成した三次元データからクライアント装置９０２の自己位置を推定する。また、クライアント装置９０２は、取得したセンサ情報をサーバ９０１に送信する。
【０３１７】
クライアント装置９０２は、データ受信部１０１１と、通信部１０１２と、受信制御部１０１３と、フォーマット変換部１０１４と、複数のセンサ１０１５と、三次元データ作成部１０１６と、三次元画像処理部１０１７と、三次元データ蓄積部１０１８と、フォーマット変換部１０１９と、通信部１０２０と、送信制御部１０２１と、データ送信部１０２２とを備える。
【０３１８】
データ受信部１０１１は、サーバ９０１から三次元マップ１０３１を受信する。三次元マップ１０３１は、ＷＬＤ又はＳＷＬＤ等のポイントクラウドを含むデータである。三次元マップ１０３１には、圧縮データ、及び非圧縮データのどちらが含まれていてもよい。
【０３１９】
通信部１０１２は、サーバ９０１と通信し、データ送信要求（例えば、三次元マップの送信要求）などをサーバ９０１に送信する。
【０３２０】
受信制御部１０１３は、通信部１０１２を介して、対応フォーマット等の情報を通信先と交換し、通信先との通信を確立する。
【０３２１】
フォーマット変換部１０１４は、データ受信部１０１１が受信した三次元マップ１０３１にフォーマット変換等を行うことで三次元マップ１０３２を生成する。また、フォーマット変換部１０１４は、三次元マップ１０３１が圧縮又は符号化されている場合には、伸張又は復号処理を行う。なお、フォーマット変換部１０１４は、三次元マップ１０３１が非圧縮データであれば、伸張又は復号処理を行わない。
【０３２２】
複数のセンサ１０１５は、ＬｉＤＡＲ、可視光カメラ、赤外線カメラ、又はデプスセンサなど、クライアント装置９０２が搭載されている車両の外部の情報を取得するセンサ群であり、センサ情報１０３３を生成する。例えば、センサ情報１０３３は、センサ１０１５がＬｉＤＡＲなどのレーザセンサである場合、ポイントクラウド（点群データ）等の三次元データである。なお、センサ１０１５は複数でなくてもよい。
【０３２３】
三次元データ作成部１０１６は、センサ情報１０３３に基づいて自車両の周辺の三次元データ１０３４を作成する。例えば、三次元データ作成部１０１６は、ＬｉＤＡＲで取得した情報と、可視光カメラで得られた可視光映像とを用いて自車両の周辺の色情報付きのポイントクラウドデータを作成する。
【０３２４】
三次元画像処理部１０１７は、受信したポイントクラウド等の三次元マップ１０３２と、センサ情報１０３３から生成した自車両の周辺の三次元データ１０３４とを用いて、自車両の自己位置推定処理等を行う。なお、三次元画像処理部１０１７は、三次元マップ１０３２と三次元データ１０３４とを合成することで自車両の周辺の三次元データ１０３５を作成し、作成した三次元データ１０３５を用いて自己位置推定処理を行ってもよい。
【０３２５】
三次元データ蓄積部１０１８は、三次元マップ１０３２、三次元データ１０３４及び三次元データ１０３５等を蓄積する。
【０３２６】
フォーマット変換部１０１９は、センサ情報１０３３を、受信側が対応しているフォーマットへ変換することでセンサ情報１０３７を生成する。なお、フォーマット変換部１０１９は、センサ情報１０３７を圧縮又は符号化することでデータ量を削減してもよい。また、フォーマット変換部１０１９は、フォーマット変換をする必要がない場合は処理を省略してもよい。また、フォーマット変換部１０１９は、送信範囲の指定に応じて送信するデータ量を制御してもよい。
【０３２７】
通信部１０２０は、サーバ９０１と通信し、データ送信要求（センサ情報の送信要求）などをサーバ９０１から受信する。
【０３２８】
送信制御部１０２１は、通信部１０２０を介して、対応フォーマット等の情報を通信先と交換し、通信を確立する。
【０３２９】
データ送信部１０２２は、センサ情報１０３７をサーバ９０１に送信する。センサ情報１０３７は、例えば、ＬｉＤＡＲで取得した情報、可視光カメラで取得した輝度画像、赤外線カメラで取得した赤外画像、デプスセンサで取得したデプス画像、センサ位置情報、及び速度情報など、複数のセンサ１０１５によって取得した情報を含む。
【０３３０】
次に、サーバ９０１の構成を説明する。図３０は、サーバ９０１の構成例を示すブロック図である。サーバ９０１は、クライアント装置９０２から送信されたセンサ情報を受信し、受信したセンサ情報に基づいて三次元データを作成する。サーバ９０１は、作成した三次元データを用いて、サーバ９０１が管理する三次元マップを更新する。また、サーバ９０１は、クライアント装置９０２からの三次元マップの送信要求に応じて、更新した三次元マップをクライアント装置９０２に送信する。
【０３３１】
サーバ９０１は、データ受信部１１１１と、通信部１１１２と、受信制御部１１１３と、フォーマット変換部１１１４と、三次元データ作成部１１１６と、三次元データ合成部１１１７と、三次元データ蓄積部１１１８と、フォーマット変換部１１１９と、通信部１１２０と、送信制御部１１２１と、データ送信部１１２２とを備える。
【０３３２】
データ受信部１１１１は、クライアント装置９０２からセンサ情報１０３７を受信する。センサ情報１０３７は、例えば、ＬｉＤＡＲで取得した情報、可視光カメラで取得した輝度画像、赤外線カメラで取得した赤外画像、デプスセンサで取得したデプス画像、センサ位置情報、及び速度情報などを含む。
【０３３３】
通信部１１１２は、クライアント装置９０２と通信し、データ送信要求（例えば、センサ情報の送信要求）などをクライアント装置９０２に送信する。
【０３３４】
受信制御部１１１３は、通信部１１１２を介して、対応フォーマット等の情報を通信先と交換し、通信を確立する。
【０３３５】
フォーマット変換部１１１４は、受信したセンサ情報１０３７が圧縮又は符号化されている場合には、伸張又は復号処理を行うことでセンサ情報１１３２を生成する。なお、フォーマット変換部１１１４は、センサ情報１０３７が非圧縮データであれば、伸張又は復号処理を行わない。
【０３３６】
三次元データ作成部１１１６は、センサ情報１１３２に基づいてクライアント装置９０２の周辺の三次元データ１１３４を作成する。例えば、三次元データ作成部１１１６は、ＬｉＤＡＲで取得した情報と、可視光カメラで得られた可視光映像とを用いてクライアント装置９０２の周辺の色情報付ポイントクラウドデータを作成する。
【０３３７】
三次元データ合成部１１１７は、センサ情報１１３２を元に作成した三次元データ１１３４を、サーバ９０１が管理する三次元マップ１１３５に合成することで三次元マップ１１３５を更新する。
【０３３８】
三次元データ蓄積部１１１８は、三次元マップ１１３５等を蓄積する。
【０３３９】
フォーマット変換部１１１９は、三次元マップ１１３５を、受信側が対応しているフォーマットへ変換することで三次元マップ１０３１を生成する。なお、フォーマット変換部１１１９は、三次元マップ１１３５を圧縮又は符号化することでデータ量を削減してもよい。また、フォーマット変換部１１１９は、フォーマット変換をする必要がない場合は処理を省略してもよい。また、フォーマット変換部１１１９は、送信範囲の指定に応じて送信するデータ量を制御してもよい。
【０３４０】
通信部１１２０は、クライアント装置９０２と通信し、データ送信要求（三次元マップの送信要求）などをクライアント装置９０２から受信する。
【０３４１】
送信制御部１１２１は、通信部１１２０を介して、対応フォーマット等の情報を通信先と交換し、通信を確立する。
【０３４２】
データ送信部１１２２は、三次元マップ１０３１をクライアント装置９０２に送信する。三次元マップ１０３１は、ＷＬＤ又はＳＷＬＤ等のポイントクラウドを含むデータである。三次元マップ１０３１には、圧縮データ、及び非圧縮データのどちらが含まれていてもよい。
【０３４３】
次に、クライアント装置９０２の動作フローについて説明する。図３１は、クライアント装置９０２による三次元マップ取得時の動作を示すフローチャートである。
【０３４４】
まず、クライアント装置９０２は、サーバ９０１へ三次元マップ（ポイントクラウド等）の送信を要求する（Ｓ１００１）。このとき、クライアント装置９０２は、ＧＰＳ等で得られたクライアント装置９０２の位置情報を合わせて送信することで、その位置情報に関連する三次元マップの送信をサーバ９０１に要求してもよい。
【０３４５】
次に、クライアント装置９０２は、サーバ９０１から三次元マップを受信する（Ｓ１００２）。受信した三次元マップが圧縮データであれば、クライアント装置９０２は、受信した三次元マップを復号して非圧縮の三次元マップを生成する（Ｓ１００３）。
【０３４６】
次に、クライアント装置９０２は、複数のセンサ１０１５で得られたセンサ情報１０３３からクライアント装置９０２の周辺の三次元データ１０３４を作成する（Ｓ１００４）。次に、クライアント装置９０２は、サーバ９０１から受信した三次元マップ１０３２と、センサ情報１０３３から作成した三次元データ１０３４とを用いてクライアント装置９０２の自己位置を推定する（Ｓ１００５）。
【０３４７】
図３２は、クライアント装置９０２によるセンサ情報の送信時の動作を示すフローチャートである。まず、クライアント装置９０２は、サーバ９０１からセンサ情報の送信要求を受信する（Ｓ１０１１）。送信要求を受信したクライアント装置９０２は、センサ情報１０３７をサーバ９０１に送信する（Ｓ１０１２）。なお、クライアント装置９０２は、センサ情報１０３３が複数のセンサ１０１５で得られた複数の情報を含む場合、各情報を、各情報に適した圧縮方式で圧縮することでセンサ情報１０３７を生成してもよい。
【０３４８】
次に、サーバ９０１の動作フローについて説明する。図３３は、サーバ９０１によるセンサ情報の取得時の動作を示すフローチャートである。まず、サーバ９０１は、クライアント装置９０２へセンサ情報の送信を要求する（Ｓ１０２１）。次に、サーバ９０１は、当該要求に応じてクライアント装置９０２から送信されたセンサ情報１０３７を受信する（Ｓ１０２２）。次に、サーバ９０１は、受信したセンサ情報１０３７を用いて三次元データ１１３４を作成する（Ｓ１０２３）。次に、サーバ９０１は、作成した三次元データ１１３４を三次元マップ１１３５に反映する（Ｓ１０２４）。
【０３４９】
図３４は、サーバ９０１による三次元マップの送信時の動作を示すフローチャートである。まず、サーバ９０１は、クライアント装置９０２から三次元マップの送信要求を受信する（Ｓ１０３１）。三次元マップの送信要求を受信したサーバ９０１は、クライアント装置９０２へ三次元マップ１０３１を送信する（Ｓ１０３２）。このとき、サーバ９０１は、クライアント装置９０２の位置情報に合わせてその付近の三次元マップを抽出し、抽出した三次元マップを送信してもよい。また、サーバ９０１は、ポイントクラウドで構成される三次元マップを、例えば８分木構造による圧縮方式等を用いて圧縮し、圧縮後の三次元マップを送信してもよい。
【０３５０】
以下、本実施の形態の変形例について説明する。
【０３５１】
サーバ９０１は、クライアント装置９０２から受信したセンサ情報１０３７を用いてクライアント装置９０２の位置付近の三次元データ１１３４を作成する。次に、サーバ９０１は、作成した三次元データ１１３４と、サーバ９０１が管理する同エリアの三次元マップ１１３５とのマッチングを行うことによって、三次元データ１１３４と三次元マップ１１３５との差分を算出する。サーバ９０１は、差分が予め定められた閾値以上の場合は、クライアント装置９０２の周辺で何らかの異常が発生したと判断する。例えば、地震等の自然災害によって地盤沈下等が発生した際などに、サーバ９０１が管理する三次元マップ１１３５と、センサ情報１０３７を基に作成した三次元データ１１３４との間に大きな差が発生することが考えられる。
【０３５２】
センサ情報１０３７は、センサの種類、センサの性能、及びセンサの型番のうち少なくとも一つを示す情報を含んでもよい。また、センサ情報１０３７に、センサの性能に応じたクラスＩＤ等が付加されてもよい。例えば、センサ情報１０３７がＬｉＤＡＲで取得された情報である場合、数ｍｍ単位の精度で情報を取得できるセンサをクラス１、数ｃｍ単位の精度で情報を取得できるセンサをクラス２、数ｍ単位の精度で情報を取得できるセンサをクラス３のように、センサの性能に識別子を割り当てることが考えられる。また、サーバ９０１は、センサの性能情報等を、クライアント装置９０２の型番から推定してもよい。例えば、クライアント装置９０２が車両に搭載されている場合、サーバ９０１は、当該車両の車種からセンサのスペック情報を判断してもよい。この場合、サーバ９０１は、車両の車種の情報を事前に取得していてもよいし、センサ情報に、当該情報が含まれてもよい。また、サーバ９０１は取得したセンサ情報１０３７を用いて、センサ情報１０３７を用いて作成した三次元データ１１３４に対する補正の度合いを切り替えてもよい。例えば、センサ性能が高精度（クラス１）である場合、サーバ９０１は、三次元データ１１３４に対する補正を行わない。センサ性能が低精度（クラス３）である場合、サーバ９０１は、三次元データ１１３４に、センサの精度に応じた補正を適用する。例えば、サーバ９０１は、センサの精度が低いほど補正の度合い（強度）を強くする。
【０３５３】
サーバ９０１は、ある空間にいる複数のクライアント装置９０２に同時にセンサ情報の送信要求を出してもよい。サーバ９０１は、複数のクライアント装置９０２から複数のセンサ情報を受信した場合に、全てのセンサ情報を三次元データ１１３４の作成に利用する必要はなく、例えば、センサの性能に応じて、利用するセンサ情報を選択してもよい。例えば、サーバ９０１は、三次元マップ１１３５を更新する場合、受信した複数のセンサ情報の中から高精度なセンサ情報（クラス１）を選別し、選別したセンサ情報を用いて三次元データ１１３４を作成してもよい。
【０３５４】
サーバ９０１は、交通監視クラウド等のサーバのみに限定されず、他のクライアント装置（車載）であってもよい。図３５は、この場合のシステム構成を示す図である。
【０３５５】
例えば、クライアント装置９０２Ｃが近くにいるクライアント装置９０２Ａにセンサ情報の送信要求を出し、クライアント装置９０２Ａからセンサ情報を取得する。そして、クライアント装置９０２Ｃは、取得したクライアント装置９０２Ａのセンサ情報を用いて三次元データを作成し、クライアント装置９０２Ｃの三次元マップを更新する。これにより、クライアント装置９０２Ｃは、クライアント装置９０２Ａから取得可能な空間の三次元マップを、クライアント装置９０２Ｃの性能を活かして生成できる。例えば、クライアント装置９０２Ｃの性能が高い場合に、このようなケースが発生すると考えられる。
【０３５６】
また、この場合、センサ情報を提供したクライアント装置９０２Ａは、クライアント装置９０２Ｃが生成した高精度な三次元マップを取得する権利が与えられる。クライアント装置９０２Ａは、その権利に従ってクライアント装置９０２Ｃから高精度な三次元マップを受信する。
【０３５７】
また、クライアント装置９０２Ｃは近くにいる複数のクライアント装置９０２（クライアント装置９０２Ａ及びクライアント装置９０２Ｂ）にセンサ情報の送信要求を出してもよい。クライアント装置９０２Ａ又はクライアント装置９０２Ｂのセンサが高性能である場合には、クライアント装置９０２Ｃは、この高性能なセンサで得られたセンサ情報を用いて三次元データを作成できる。
【０３５８】
図３６は、サーバ９０１及びクライアント装置９０２の機能構成を示すブロック図である。サーバ９０１は、例えば、三次元マップを圧縮及び復号する三次元マップ圧縮／復号処理部１２０１と、センサ情報を圧縮及び復号するセンサ情報圧縮／復号処理部１２０２とを備える。
【０３５９】
クライアント装置９０２は、三次元マップ復号処理部１２１１と、センサ情報圧縮処理部１２１２とを備える。三次元マップ復号処理部１２１１は、圧縮された三次元マップの符号化データを受信し、符号化データを復号して三次元マップを取得する。センサ情報圧縮処理部１２１２は、取得したセンサ情報から作成した三次元データの代わりに、センサ情報そのものを圧縮し、圧縮したセンサ情報の符号化データをサーバ９０１へ送信する。この構成により、クライアント装置９０２は、三次元マップ（ポイントクラウド等）を復号する処理を行う処理部（装置又はＬＳＩ）を内部に保持すればよく、三次元マップ（ポイントクラウド等）の三次元データを圧縮する処理を行う処理部を内部に保持する必要がない。これにより、クライアント装置９０２のコスト及び消費電力等を抑えることができる。
【０３６０】
以上のように、本実施の形態に係るクライアント装置９０２は、移動体に搭載され、移動体に搭載されたセンサ１０１５により得られた、移動体の周辺状況を示すセンサ情報１０３３から、移動体の周辺の三次元データ１０３４を作成する。クライアント装置９０２は、作成された三次元データ１０３４を用いて移動体の自己位置を推定する。クライアント装置９０２は、取得したセンサ情報１０３３をサーバ９０１又は他の移動体９０２に送信する。
【０３６１】
これによれば、クライアント装置９０２は、センサ情報１０３３をサーバ９０１等に送信する。これにより、三次元データを送信する場合に比べて、送信データのデータ量を削減できる可能性がある。また、三次元データの圧縮又は符号化等の処理をクライアント装置９０２で行う必要がないので、クライアント装置９０２の処理量を削減できる。よって、クライアント装置９０２は、伝送されるデータ量の削減、又は、装置の構成の簡略化を実現できる。
【０３６２】
また、クライアント装置９０２は、さらに、サーバ９０１に三次元マップの送信要求を送信し、サーバ９０１から三次元マップ１０３１を受信する。クライアント装置９０２は、自己位置の推定では、三次元データ１０３４と三次元マップ１０３２とを用いて、自己位置を推定する。
【０３６３】
また、センサ情報１０３３は、レーザセンサで得られた情報、輝度画像、赤外画像、デプス画像、センサの位置情報、及びセンサの速度情報のうち少なくとも一つを含む。
【０３６４】
また、センサ情報１０３３は、センサの性能を示す情報を含む。
【０３６５】
また、クライアント装置９０２は、センサ情報１０３３を符号化又は圧縮し、センサ情報の送信では、符号化又は圧縮後のセンサ情報１０３７を、サーバ９０１又は他の移動体９０２に送信する。これによれば、クライアント装置９０２は、伝送されるデータ量を削減できる。
【０３６６】
例えば、クライアント装置９０２は、プロセッサと、メモリとを備え、プロセッサは、メモリを用いて、上記の処理を行う。
【０３６７】
また、本実施の形態に係るサーバ９０１は、移動体に搭載されるクライアント装置９０２と通信可能であり、移動体に搭載されたセンサ１０１５により得られた、移動体の周辺状況を示すセンサ情報１０３７をクライアント装置９０２から受信する。サーバ９０１は、受信したセンサ情報１０３７から、移動体の周辺の三次元データ１１３４を作成する。
【０３６８】
これによれば、サーバ９０１は、クライアント装置９０２から送信されたセンサ情報１０３７を用いて三次元データ１１３４を作成する。これにより、クライアント装置９０２が三次元データを送信する場合に比べて、送信データのデータ量を削減できる可能性がある。また、三次元データの圧縮又は符号化等の処理をクライアント装置９０２で行う必要がないので、クライアント装置９０２の処理量を削減できる。よって、サーバ９０１は、伝送されるデータ量の削減、又は、装置の構成の簡略化を実現できる。
【０３６９】
また、サーバ９０１は、さらに、クライアント装置９０２にセンサ情報の送信要求を送信する。
【０３７０】
また、サーバ９０１は、さらに、作成された三次元データ１１３４を用いて三次元マップ１１３５を更新し、クライアント装置９０２からの三次元マップ１１３５の送信要求に応じて三次元マップ１１３５をクライアント装置９０２に送信する。
【０３７１】
また、センサ情報１０３７は、レーザセンサで得られた情報、輝度画像、赤外画像、デプス画像、センサの位置情報、及びセンサの速度情報のうち少なくとも一つを含む。
【０３７２】
また、センサ情報１０３７は、センサの性能を示す情報を含む。
【０３７３】
また、サーバ９０１は、さらに、センサの性能に応じて、三次元データを補正する。これによれば、当該三次元データ作成方法は、三次元データの品質を向上できる。
【０３７４】
また、サーバ９０１は、センサ情報の受信では、複数のクライアント装置９０２から複数のセンサ情報１０３７を受信し、複数のセンサ情報１０３７に含まれるセンサの性能を示す複数の情報に基づき、三次元データ１１３４の作成に用いるセンサ情報１０３７を選択する。これによれば、サーバ９０１は、三次元データ１１３４の品質を向上できる。
【０３７５】
また、サーバ９０１は、受信したセンサ情報１０３７を復号又は伸張し、復号又は伸張後のセンサ情報１１３２から、三次元データ１１３４を作成する。これによれば、サーバ９０１は、伝送されるデータ量を削減できる。
【０３７６】
例えば、サーバ９０１は、プロセッサと、メモリとを備え、プロセッサは、メモリを用いて、上記の処理を行う。
【０３７７】
（実施の形態７）
本実施の形態では、インター予測処理を用いた三次元データの符号化方法及び復号方法について説明する。
【０３７８】
図３７は、本実施の形態に係る三次元データ符号化装置１３００のブロック図である。この三次元データ符号装置１３００は、三次元データを符号化することで符号化信号である符号化ビットストリーム（以下、単にビットストリームとも記す）を生成する。図３７に示すように、三次元データ符号化装置１３００は、分割部１３０１と、減算部１３０２と、変換部１３０３と、量子化部１３０４と、逆量子化部１３０５と、逆変換部１３０６と、加算部１３０７と、参照ボリュームメモリ１３０８と、イントラ予測部１３０９と、参照スペースメモリ１３１０と、インター予測部１３１１と、予測制御部１３１２と、エントロピー符号化部１３１３とを備える。
【０３７９】
分割部１３０１は、三次元データに含まれる各スペース（ＳＰＣ）を符号化単位である複数のボリューム（ＶＬＭ）に分割する。また、分割部１３０１は、各ボリューム内のボクセルを８分木表現化（Ｏｃｔｒｅｅ化）する。なお、分割部１３０１は、スペースとボリュームを同一サイズとし、スペースを８分木表現化してもよい。また、分割部１３０１は、８分木化に必要な情報（深度情報など）をビットストリームのヘッダ等に付加してもよい。
【０３８０】
減算部１３０２は、分割部１３０１から出力されたボリューム（符号化対象ボリューム）と、後述するイントラ予測又はインター予測によって生成される予測ボリュームとの差分を算出し、算出された差分を予測残差として変換部１３０３に出力する。図３８は、予測残差の算出例を示す図である。なお、ここで示す符号化対象ボリューム及び予測ボリュームのビット列は、例えば、ボリュームに含まれる三次元点（例えばポイントクラウド）の位置を示す位置情報である。
【０３８１】
以下、８分木表現とボクセルのスキャン順について説明する。ボリュームは８分木構造に変換（８分木化）された後、符号化される。８分木構造はノードとリーフとで構成される。各ノードは８つのノード又はリーフを持ち、各リーフはボクセル（ＶＸＬ）情報を持つ。図３９は、複数のボクセルを含むボリュームの構造例を示す図である。図４０は、図３９に示すボリュームを８分木構造に変換した例を示す図である。ここで、図４０に示すリーフのうち、リーフ１、２、３はそれぞれ図３９に示すボクセルＶＸＬ１、ＶＸＬ２、ＶＸＬ３を表し、点群を含むＶＸＬ（以下、有効ＶＸＬ）を表現している。
【０３８２】
８分木は、例えば０、１の二値列で表現される。例えば、ノード又は有効ＶＸＬを値１、それ以外を値０とすると、各ノード及びリーフには図４０に示す二値列が割当てられる。そして、幅優先又は深さ優先のスキャン順に応じて、この二値列がスキャンされる。例えば幅優先でスキャンされた場合、図４１のＡに示す二値列が得られる。深さ優先でスキャンした場合は図４１のＢに示す二値列が得られる。このスキャンにより得られた二値列はエントロピー符号化によって符号化され情報量が削減される。
【０３８３】
次に、８分木表現における深度情報について説明する。８分木表現における深度は、ボリューム内に含まれるポイントクラウド情報を、どの粒度まで保持するかをコントロールするために使用される。深度を大きく設定すると、より細かいレベルまでポイントクラウド情報を再現することができるが、ノード及びリーフを表現するためのデータ量が増える。逆に深度を小さく設定すると、データ量が減少するが、複数の異なる位置及び色の異なるポイントクラウド情報が同一位置かつ同一色であるとみなされるため、本来のポイントクラウド情報が持つ情報を失うことになる。
【０３８４】
例えば、図４２は、図４０に示す深度＝２の８分木を、深度＝１の８分木で表現した例を示す図である。図４２に示す８分木は図４０に示す８分木よりデータ量が少なくなる。つまり、図４２に示す８分木は図４２に示す８分木より二値列化後のビット数が少ない。ここで、図４０に示すリーフ１とリーフ２が図４１に示すリーフ１で表現されることになる。つまり、図４０に示すリーフ１とリーフ２とが異なる位置であったという情報が失われる。
【０３８５】
図４３は、図４２に示す８分木に対応するボリュームを示す図である。図３９に示すＶＸＬ１とＶＸＬ２が図４３に示すＶＸＬ１２に対応する。この場合、三次元データ符号化装置１３００は、図４３に示すＶＸＬ１２の色情報を、図３９に示すＶＸＬ１とＶＸＬ２との色情報から生成する。例えば、三次元データ符号化装置１３００は、ＶＸＬ１とＶＸＬ２との色情報の平均値、中間値、又は重み平均値などをＶＸＬ１２の色情報として算出する。このように、三次元データ符号化装置１３００は、８分木の深度を変えることで、データ量の削減を制御してもよい。
【０３８６】
三次元データ符号化装置１３００は、８分木の深度情報を、ワールド単位、スペース単位、及びボリューム単位のいずれの単位で設定しても構わない。またその際、三次元データ符号化装置１３００は、ワールドのヘッダ情報、スペースのヘッダ情報、又はボリュームのヘッダ情報に深度情報を付加してもよい。また、時間の異なる全てのワールド、スペース、及びボリュームで深度情報して同一の値を使用してもよい。この場合、三次元データ符号化装置１３００は、全時間のワールドを管理するヘッダ情報に深度情報を付加してもよい。
【０３８７】
ボクセルに色情報が含まれる場合には、変換部１３０３は、ボリューム内のボクセルの色情報の予測残差に対し、直交変換等の周波数変換を適用する。例えば、変換部１３０３は、あるスキャン順で予測残差をスキャンすることで一次元配列を作成する。その後、変換部１３０３は、作成した一次元配列に一次元の直交変換を適用することで一次元配列を周波数領域に変換する。これにより、ボリューム内の予測残差の値が近い場合には低域の周波数成分の値が大きくなり、高域の周波数成分の値が小さくなる。よって、量子化部１３０４においてより効率的に符号量を削減することができる。
【０３８８】
また、変換部１３０３は、一次元ではなく、二次元以上の直交変換を用いてもよい。例えば、変換部１３０３は、あるスキャン順で予測残差を二次元配列にマッピングし、得られた二次元配列に二次元直交変換を適用する。また、変換部１３０３は、複数の直交変換方式から使用する直交変換方式を選択してもよい。この場合、三次元データ符号化装置１３００は、どの直交変換方式を用いたかを示す情報をビットストリームに付加する。また、変換部１３０３は、次元の異なる複数の直交変換方式から使用する直交変換方式を選択してもよい。この場合、三次元データ符号化装置１３００は、どの次元の直交変換方式を用いたかをビットストリームに付加する。
【０３８９】
例えば、変換部１３０３は、予測残差のスキャン順を、ボリューム内の８分木におけるスキャン順（幅優先又は深さ優先など）に合わせる。これにより、予測残差のスキャン順を示す情報をビットストリームに付加する必要がないので、オーバーヘッドを削減できる。また、変換部１３０３は、８分木のスキャン順とは異なるスキャン順を適用してもよい。この場合、三次元データ符号化装置１３００は、予測残差のスキャン順を示す情報をビットストリームに付加する。これにより、三次元データ符号化装置１３００は、予測残差を効率よく符号化することができる。また、三次元データ符号化装置１３００は、８分木のスキャン順を適用するか否かを示す情報（フラグ等）をビットストリームに付加し、８分木のスキャン順を適用しない場合に、予測残差のスキャン順を示す情報をビットストリームに付加してもよい。
【０３９０】
変換部１３０３は、色情報の予測残差だけでなく、ボクセルが持つその他の属性情報を変換してもよい。例えば、変換部１３０３は、ポイントクラウドをＬｉＤＡＲ等で取得した際に得られる反射度等の情報を変換し、符号化してもよい。
【０３９１】
変換部１３０３は、スペースが色情報等の属性情報を持たない場合は、処理をスキップしてもよい。また、三次元データ符号化装置１３００は、変換部１３０３の処理をスキップするか否かを示す情報（フラグ）をビットストリームに付加してもよい。
【０３９２】
量子化部１３０４は、変換部１３０３で生成された予測残差の周波数成分に対し、量子化制御パラメータを用いて量子化を行うことで量子化係数を生成する。これにより情報量が削減される。生成された量子化係数はエントロピー符号化部１３１３に出力される。量子化部１３０４は、量子化制御パラメータを、ワールド単位、スペース単位、又はボリューム単位で制御してもよい。その際には、三次元データ符号化装置１３００は、量子化制御パラメータをそれぞれのヘッダ情報等に付加する。また、量子化部１３０４は、予測残差の周波数成分毎に、重みを変えて量子化制御を行ってもよい。例えば、量子化部１３０４は、低周波数成分は細かく量子化し、高周波成分は粗く量子化してもよい。この場合、三次元データ符号化装置１３００は、各周波数成分の重みを表すパラメータをヘッダに付加してもよい。
【０３９３】
量子化部１３０４は、スペースが色情報等の属性情報を持たない場合は、処理をスキップしてもよい。また、三次元データ符号化装置１３００は、量子化部１３０４の処理をスキップするか否かを示す情報（フラグ）をビットストリームに付加してもよい。
【０３９４】
逆量子化部１３０５は、量子化制御パラメータを用いて、量子化部１３０４で生成された量子化係数に逆量子化を行うことで予測残差の逆量子化係数を生成し、生成した逆量子化係数を逆変換部１３０６に出力する。
【０３９５】
逆変換部１３０６は、逆量子化部１３０５で生成された逆量子化係数に対し逆変換を適用することで逆変換適用後予測残差を生成する。この逆変換適用後予測残差は、量子化後に生成された予測残差であるため、変換部１３０３が出力した予測残差とは完全には一致しなくてもよい。
【０３９６】
加算部１３０７は、逆変換部１３０６で生成された逆変換適用後予測残差と、量子化前の予測残差の生成に用いられた、後述するイントラ予測又はインター予測により生成された予測ボリュームとを加算して再構成ボリュームを生成する。この再構成ボリュームは、参照ボリュームメモリ１３０８、又は、参照スペースメモリ１３１０に格納される。
【０３９７】
イントラ予測部１３０９は、参照ボリュームメモリ１３０８に格納された隣接ボリュームの属性情報を用いて、符号化対象ボリュームの予測ボリュームを生成する。属性情報とは、ボクセルの色情報又は反射度を含む。イントラ予測部１３０９は、符号化対象ボリュームの色情報又は反射度の予測値を生成する。
【０３９８】
図４４は、イントラ予測部１３０９の動作を説明するための図である。例えば、イントラ予測部１３０９は、図４４に示す、符号化対象ボリューム（ボリュームｉｄｘ＝３）の予測ボリュームを、隣接ボリューム（ボリュームｉｄｘ＝０）から生成する。ここで、ボリュームｉｄｘとはスペース内のボリュームに対し付加される識別子情報であり、各ボリュームに異なる値が割当てられる。ボリュームｉｄｘの割当ての順番は符号化順と同じ順番であってもよいし、符号化順とは異なる順番であってもよい。例えば、イントラ予測部１３０９は、図４４に示す符号化対象ボリュームの色情報の予測値として、隣接ボリュームであるボリュームｉｄｘ＝０内に含まれるボクセルの色情報の平均値を用いる。この場合、符号化対象ボリューム内に含まれる各ボクセルの色情報から、色情報の予測値が差し引かれることで予測残差が生成される。この予測残差に対して変換部１３０３以降の処理が行われる。また、この場合、三次元データ符号化装置１３００は、隣接ボリューム情報と、予測モード情報とをビットストリームに付加する。ここで隣接ボリューム情報とは、予測に用いた隣接ボリュームを示す情報であり、例えば、予測に用いた隣接ボリュームのボリュームｉｄｘを示す。また、予測モード情報とは、予測ボリュームの生成に使用したモードを示す。モードとは、例えば、隣接ボリューム内のボクセルの平均値から予測値を生成する平均値モード、又は隣接ボリューム内のボクセルの中間値から予測値を生成する中間値モード等である。
【０３９９】
イントラ予測部１３０９は、予測ボリュームを、複数の隣接ボリュームから生成してもよい。例えば、図４４に示す構成において、イントラ予測部１３０９は、ボリュームｉｄｘ＝０のボリュームから予測ボリューム０を生成し、ボリュームｉｄｘ＝１のボリュームから予測ボリューム１を生成する。そして、イントラ予測部１３０９は、予測ボリューム０と予測ボリューム１の平均を最終的な予測ボリュームとして生成する。この場合、三次元データ符号化装置１３００は、予測ボリュームの生成に使用した複数のボリュームの複数のボリュームｉｄｘをビットストリームに付加してもよい。
【０４００】
図４５は、本実施の形態に係るインター予測処理を模式的に示す図である。インター予測部１３１１は、ある時刻Ｔ＿Ｃｕｒのスペース（ＳＰＣ）を、異なる時刻Ｔ＿ＬＸの符号化済みスペースを用いて符号化（インター予測）する。この場合、インター予測部１３１１は、異なる時刻Ｔ＿ＬＸの符号化済みスペースに回転及び並進処理を適用して符号化処理を行う。
【０４０１】
また、三次元データ符号化装置１３００は、異なる時刻Ｔ＿ＬＸのスペースに適用した回転及び並進処理に関わるＲＴ情報をビットストリームに付加する。異なる時刻Ｔ＿ＬＸとは、例えば、前記ある時刻Ｔ＿Ｃｕｒより前の時刻Ｔ＿Ｌ０である。このとき、三次元データ符号化装置１３００は、時刻Ｔ＿Ｌ０のスペースに適用した回転及び並進処理に関わるＲＴ情報ＲＴ＿Ｌ０をビットストリームに付加してもよい。
【０４０２】
または、異なる時刻Ｔ＿ＬＸとは、例えば、前記ある時刻Ｔ＿Ｃｕｒより後の時刻Ｔ＿Ｌ１である。このとき、三次元データ符号化装置１３００は、時刻Ｔ＿Ｌ１のスペースに適用した回転及び並進処理に関わるＲＴ情報ＲＴ＿Ｌ１をビットストリームに付加してもよい。
【０４０３】
または、インター予測部１３１１は、異なる時刻Ｔ＿Ｌ０及び時刻Ｔ＿Ｌ１の両方のスペースを参照して符号化（双予測）を行う。この場合には、三次元データ符号化装置１３００は、それぞれのスペースに適用した回転及び並進に関わるＲＴ情報ＲＴ＿Ｌ０及びＲＴ＿Ｌ１の両方をビットストリームに付加してもよい。
【０４０４】
なお、上記ではＴ＿Ｌ０をＴ＿Ｃｕｒより前の時刻、Ｔ＿Ｌ１をＴ＿Ｃｕｒより後の時刻としたが、必ずしもこれに限らない。例えば、Ｔ＿Ｌ０とＴ＿Ｌ１は共にＴ＿Ｃｕｒより前の時刻でもよい。または、Ｔ＿Ｌ０とＴ＿Ｌ１は共にＴ＿Ｃｕｒより後の時刻でもよい。
【０４０５】
また、三次元データ符号化装置１３００は、複数の異なる時刻のスペースを参照して符号化を行う場合には、それぞれのスペースに適用した回転及び並進に関わるＲＴ情報をビットストリームに付加してもよい。例えば、三次元データ符号化装置１３００は、参照する複数の符号化済みスペースを２つの参照リスト（Ｌ０リスト及びＬ１リスト）で管理する。Ｌ０リスト内の第１の参照スペースをＬ０Ｒ０とし、Ｌ０リスト内の第２の参照スペースをＬ０Ｒ１とし、Ｌ１リスト内の第１の参照スペースをＬ１Ｒ０とし、Ｌ１リスト内の第２の参照スペースをＬ１Ｒ１とした場合、三次元データ符号化装置１３００は、Ｌ０Ｒ０のＲＴ情報ＲＴ＿Ｌ０Ｒ０と、Ｌ０Ｒ１のＲＴ情報ＲＴ＿Ｌ０Ｒ１と、Ｌ１Ｒ０のＲＴ情報ＲＴ＿Ｌ１Ｒ０と、Ｌ１Ｒ１のＲＴ情報ＲＴ＿Ｌ１Ｒ１とをビットストリームに付加する。例えば、三次元データ符号化装置１３００は、これらのＲＴ情報をビットストリームのヘッダ等に付加する。
【０４０６】
また、三次元データ符号化装置１３００は、複数の異なる時刻の参照スペースを参照して符号化を行う場合、参照スペース毎に回転及び並進を適用するか否かを判定する。その際、三次元データ符号化装置１３００は、参照スペース毎に回転及び並進を適用したか否かを示す情報（ＲＴ適用フラグ等）をビットストリームのヘッダ情報等に付加してもよい。例えば、三次元データ符号化装置１３００は、符号化対象スペースから参照する参照スペース毎にＩＣＰ（Ｉｎｔｅｒａｃｔｉｖｅ  Ｃｌｏｓｅｓｔ  Ｐｏｉｎｔ）アルゴリズムを用いてＲＴ情報、及びＩＣＰエラー値を算出する。三次元データ符号化装置１３００は、ＩＣＰエラー値が、予め定められた一定値以下の場合は、回転及び並進を行う必要がないと判定してＲＴ適用フラグをオフに設定する。一方、三次元データ符号化装置１３００は、ＩＣＰエラー値が上記一定値より大きい場合は、ＲＴ適用フラグをオンに設定し、ＲＴ情報をビットストリームに付加する。
【０４０７】
図４６は、ＲＴ情報及びＲＴ適用フラグをヘッダに付加するシンタックス例を示す図である。なお、各シンタックスに割当てるビット数は、そのシンタックスが取りうる範囲で決定してもよい。例えば、参照リストＬ０内に含まれる参照スペース数が８つの場合、ＭａｘＲｅｆＳｐｃ＿ｌ０には３ｂｉｔが割当てられてもよい。割当てるビット数を、各シンタックスが取りうる値に応じて可変にしてもよいし、取りうる値に関わらず固定にしてもよい。割り当てるビット数を固定にする場合は、三次元データ符号化装置１３００は、その固定ビット数を別のヘッダ情報に付加してもよい。
【０４０８】
ここで、図４６に示す、ＭａｘＲｅｆＳｐｃ＿ｌ０は、参照リストＬ０内に含まれる参照スペース数を示す。ＲＴ＿ｆｌａｇ＿ｌ０［ｉ］は、参照リストＬ０内の参照スペースｉのＲＴ適用フラグである。ＲＴ＿ｆｌａｇ＿ｌ０［ｉ］が１の場合、参照スペースｉに回転及び並進が適用される。ＲＴ＿ｆｌａｇ＿ｌ０［ｉ］が０の場合、参照スペースｉに回転及び並進が適用されない。
【０４０９】
Ｒ＿ｌ０［ｉ］及びＴ＿ｌ０［ｉ］は、参照リストＬ０内の参照スペースｉのＲＴ情報である。Ｒ＿ｌ０［ｉ］は、参照リストＬ０内の参照スペースｉの回転情報である。回転情報は、適用された回転処理の内容を示し、例えば、回転行列、又はクォータニオン等である。Ｔ＿ｌ０［ｉ］は、参照リストＬ０内の参照スペースｉの並進情報である。並進情報は、適用された並進処理の内容を示し、例えば、並進ベクトル等である。
【０４１０】
ＭａｘＲｅｆＳｐｃ＿ｌ１は、参照リストＬ１内に含まれる参照スペース数を示す。ＲＴ＿ｆｌａｇ＿ｌ１［ｉ］は、参照リストＬ１内の参照スペースｉのＲＴ適用フラグである。ＲＴ＿ｆｌａｇ＿ｌ１［ｉ］が１の場合、参照スペースｉに回転及び並進が適用される。ＲＴ＿ｆｌａｇ＿ｌ１［ｉ］が０の場合、参照スペースｉに回転及び並進が適用されない。
【０４１１】
Ｒ＿ｌ１［ｉ］及びＴ＿ｌ１［ｉ］は、参照リストＬ１内の参照スペースｉのＲＴ情報である。Ｒ＿ｌ１［ｉ］は、参照リストＬ１内の参照スペースｉの回転情報である。回転情報は、適用された回転処理の内容を示し、例えば、回転行列、又はクォータニオン等である。Ｔ＿ｌ１［ｉ］は、参照リストＬ１内の参照スペースｉの並進情報である。並進情報は、適用された並進処理の内容を示し、例えば、並進ベクトル等である。
【０４１２】
インター予測部１３１１は、参照スペースメモリ１３１０に格納された符号化済みの参照スペースの情報を用いて符号化対象ボリュームの予測ボリュームを生成する。上述したように、インター予測部１３１１は、符号化対象ボリュームの予測ボリュームを生成する前に、符号化対象スペースと参照スペースの全体的な位置関係を近づけるために、符号化対象スペースと参照スペースでＩＣＰ（Ｉｎｔｅｒａｃｔｉｖｅ  Ｃｌｏｓｅｓｔ  Ｐｏｉｎｔ）アルゴリズムを用いてＲＴ情報を求める。そして、インター予測部１３１１は、求めたＲＴ情報を用いて参照スペースに回転及び並進処理を適用することで参照スペースＢを得る。その後、インター予測部１３１１は、符号化対象スペース内の符号化対象ボリュームの予測ボリュームを参照スペースＢ内の情報を用いて生成する。ここで、三次元データ符号化装置１３００は、参照スペースＢを得るために用いられたＲＴ情報を符号化対象スペースのヘッダ情報等に付加する。
【０４１３】
このように、インター予測部１３１１は、参照スペースに回転及び並進処理を適用することにより符号化対象スペースと参照スペースとの全体的な位置関係を近づけてから、参照スペースの情報を用いて予測ボリュームを生成することで予測ボリュームの精度を向上できる。また、予測残差を抑制できるので符号量を削減できる。なお、ここでは、符号化対象スペースと参照スペースとを用いてＩＣＰを行う例を示したが、必ずしもこれに限らない。例えば、インター予測部１３１１は、処理量を削減するために、ボクセル又はポイントクラウド数を間引いた符号化対象スペース、及び、ボクセル又はポイントクラウド数を間引いた参照スペースの少なくとも一方を用いてＩＣＰを行うことで、ＲＴ情報を求めてもよい。
【０４１４】
また、インター予測部１３１１は、ＩＣＰの結果得られるＩＣＰエラー値が、予め定められた第１閾値より小さい場合、つまり、例えば符号化対象スペースと参照スペースの位置関係が近い場合には、回転及び並進処理は必要ないと判断し、回転及び並進を行わなくてもよい。この場合、三次元データ符号化装置１３００は、ＲＴ情報をビットストリームに付加しないことによりオーバーヘッドを抑制してもよい。
【０４１５】
また、インター予測部１３１１は、ＩＣＰエラー値が、予め定められた第２閾値より大きい場合には、スペース間の形状変化が大きいと判断し、符号化対象スペースの全てのボリュームにイントラ予測を適用してもよい。以下、イントラ予測を適用するスペースをイントラスペースと呼ぶ。また、第２閾値は上記第１閾値より大きい値である。また、ＩＣＰに限定せず、２つのボクセル集合、又は、２つのポイントクラウド集合からＲＴ情報を求める方法であれば、どのような手法を適用してもよい。
【０４１６】
また、三次元データに形状又は色等の属性情報が含まれる場合には、インター予測部１３１１は、符号化対象スペース内の符号化対象ボリュームの予測ボリュームとして、例えば参照スペース内で符号化対象ボリュームと最も形状又は色等の属性情報が近いボリュームを探索する。また、この参照スペースは、例えば、上述した回転及び並進処理が行われた後の参照スペースである。インター予測部１３１１は、探索により得られたボリューム（参照ボリューム）から予測ボリュームを生成する。図４７は、予測ボリュームの生成動作を説明するための図である。インター予測部１３１１は、図４７に示す符号化対象ボリューム（ボリュームｉｄｘ＝０）を、インター予測を用いて符号化する場合、参照スペース内の参照ボリュームを順にスキャンしながら、符号化対象ボリュームと参照ボリュームとの差分である予測残差が一番小さいボリュームを探索する。インター予測部１３１１は、予測残差が一番小さいボリュームを予測ボリュームとして選択する。符号化対象ボリュームと予測ボリュームとの予測残差が変換部１３０３以降の処理により符号化される。ここで、予測残差とは、符号化対象ボリュームの属性情報と予測ボリュームの属性情報との差分である。また、三次元データ符号化装置１３００は、予測ボリュームとして参照した参照スペース内の参照ボリュームのボリュームｉｄｘをビットストリームのヘッダ等に付加する。
【０４１７】
図４７に示す例では、参照スペースＬ０Ｒ０のボリュームｉｄｘ＝４の参照ボリュームが符号化対象ボリュームの予測ボリュームとして選択される。そして、符号化対象ボリュームと参照ボリュームとの予測残差と、参照ボリュームｉｄｘ＝４とが符号化されてビットストリームに付加される。
【０４１８】
なお、ここでは属性情報の予測ボリュームを生成する例を説明したが、位置情報の予測ボリュームについても同様の処理が行われてもよい。
【０４１９】
予測制御部１３１２は、符号化対象ボリュームをイントラ予測、及びインター予測のいずれを用いて符号化するかを制御する。ここで、イントラ予測、及びインター予測を含むモードを予測モードと呼ぶ。例えば、予測制御部１３１２は、符号化対象ボリュームをイントラ予測で予測した場合の予測残差と、インター予測で予測した場合の予測残差とを評価値として算出し、評価値が小さい方の予測モードを選択する。なお、予測制御部１３１２は、イントラ予測の予測残差とインター予測の予測残差とに、それぞれ直交変換、量子化、及び、エントロピー符号化を適用することで実際の符号量を算出し、算出した符号量を評価値として予測モードを選択してもよい。また、評価値に予測残差以外のオーバーヘッド情報（参照ボリュームｉｄｘ情報など）を加えるようにしてもよい。また、予測制御部１３１２は、符号化対象スペースをイントラスペースで符号化すると予め決定されている場合には、常にイントラ予測を選択してもよい。
【０４２０】
エントロピー符号化部１３１３は、量子化部１３０４からの入力である量子化係数を可変長符号化することにより符号化信号（符号化ビットストリーム）を生成する。具体的には、エントロピー符号化部１３１３は、例えば、量子化係数を二値化し、得られた二値信号を算術符号化する。
【０４２１】
次に、三次元データ符号化装置１３００により生成された符号化信号を復号する三次元データ復号装置について説明する。図４８は、本実施の形態に係る三次元データ復号装置１４００のブロック図である。この三次元データ復号装置１４００は、エントロピー復号部１４０１と、逆量子化部１４０２と、逆変換部１４０３と、加算部１４０４と、参照ボリュームメモリ１４０５と、イントラ予測部１４０６と、参照スペースメモリ１４０７と、インター予測部１４０８と、予測制御部１４０９とを備える。
【０４２２】
エントロピー復号部１４０１は、符号化信号（符号化ビットストリーム）を可変長復号する。例えば、エントロピー復号部１４０１は、符号化信号を算術復号して二値信号を生成し、生成した二値信号から量子化係数を生成する。
【０４２３】
逆量子化部１４０２は、エントロピー復号部１４０１から入力された量子化係数を、ビットストリーム等に付加された量子化パラメータを用いて逆量子化することで逆量子化係数を生成する。
【０４２４】
逆変換部１４０３は、逆量子化部１４０２から入力された逆量子化係数を逆変換することで予測残差を生成する。例えば、逆変換部１４０３は、逆量子化係数を、ビットストリームに付加された情報に基づいて逆直交変換することで予測残差を生成する。
【０４２５】
加算部１４０４は、逆変換部１４０３で生成された予測残差と、イントラ予測又はインター予測により生成された予測ボリュームとを加算して再構成ボリュームを生成する。この再構成ボリュームは、復号三次元データとして出力されるとともに、参照ボリュームメモリ１４０５、又は、参照スペースメモリ１４０７に格納される。
【０４２６】
イントラ予測部１４０６は、参照ボリュームメモリ１４０５内の参照ボリュームとビットストリームに付加された情報とを用いてイントラ予測により予測ボリュームを生成する。具体的には、イントラ予測部１４０６は、ビットストリームに付加された隣接ボリューム情報（例えばボリュームｉｄｘ）と、予測モード情報とを取得し、隣接ボリューム情報で示さる隣接ボリュームを用いて、予測モード情報で示されるモードにより予測ボリュームを生成する。なお、これらの処理の詳細は、ビットストリームに付与された情報が用いられる点を除き、上述したイントラ予測部１３０９による処理と同様である。
【０４２７】
インター予測部１４０８は、参照スペースメモリ１４０７内の参照スペースとビットストリームに付加された情報とを用いてインター予測により予測ボリュームを生成する。具体的には、インター予測部１４０８は、ビットストリームに付加された参照スペース毎のＲＴ情報を用いて参照スペースに対して回転及び並進処理を適用し、適用後の参照スペースを用いて予測ボリュームを生成する。なお、参照スペース毎のＲＴ適用フラグがビットストリーム内に存在する場合には、インター予測部１４０８は、ＲＴ適用フラグに応じて参照スペースに回転及び並進処理を適用する。なお、これらの処理の詳細は、ビットストリームに付与された情報が用いられる点を除き、上述したインター予測部１３１１による処理と同様である。
【０４２８】
予測制御部１４０９は、復号対象ボリュームをイントラ予測で復号するか、インター予測で復号するかを制御する。例えば、予測制御部１４０９は、ビットストリームに付加された、使用する予測モードを示す情報に応じてイントラ予測又はインター予測を選択する。なお、予測制御部１４０９は、復号対象スペースをイントラスペースで復号すると予め決定されている場合は、常にイントラ予測を選択してもよい。
【０４２９】
以下、本実施の形態の変形例について説明する。本実施の形態ではスペース単位で回転及び並進が適用される例を説明したが、より細かい単位で回転及び並進が適用されてもよい。例えば、三次元データ符号化装置１３００は、スペースをサブスペースに分割し、サブスペース単位で回転及び並進を適用してもよい。この場合、三次元データ符号化装置１３００は、サブスペース毎にＲＴ情報を生成し、生成したＲＴ情報をビットストリームのヘッダ等に付加する。また、三次元データ符号化装置１３００は、符号化単位であるボリューム単位で回転及び並進を適用してもよい。この場合、三次元データ符号化装置１３００は、符号化ボリューム単位でＲＴ情報を生成し、生成したＲＴ情報をビットストリームのヘッダ等に付加する。さらに、上記を組み合わせてもよい。つまり、三次元データ符号化装置１３００は、大きい単位で回転及び並進を適用し、その後、細かい単位で回転及び並進を適用してもよい。例えば、三次元データ符号化装置１３００は、スペース単位で回転及び並進を適用し、得られたスペースに含まれる複数のボリュームの各々に対して、互いに異なる回転及び並進を適用してもよい。
【０４３０】
また、本実施の形態では参照スペースに回転及び並進を適用する例を説明したが、必ずしもこれに限らない。例えば、三次元データ符号化装置１３００は、例えば、スケール処理を適用して三次元データの大きさを変化させてもよい。また、三次元データ符号化装置１３００は、回転、並進及びスケールのうち、いずれか１つ又は２つを適用してもよい。また、上記のように多段階で異なる単位で処理を適用する場合には、各単位に適用される処理の種類が異なってもよい。例えば、スペース単位では回転及び並進が適用され、ボリューム単位では並進が適用されてもよい。
【０４３１】
なお、これらの変形例については、三次元データ復号装置１４００に対しても同様に適用できる。
【０４３２】
以上のように、本実施の形態に係る三次元データ符号化装置１３００は、以下の処理を行う。図４８は、三次元データ符号化装置１３００によるインター予測処理のフローチャートである。
【０４３３】
まず、三次元データ符号化装置１３００は、対象三次元データ（例えば符号化対象スペース）と異なる時刻の参照三次元データ（例えば参照スペース）に含まれる三次元点の位置情報を用いて予測位置情報（例えば予測ボリューム）を生成する（Ｓ１３０１）。具体的には、三次元データ符号化装置１３００は、参照三次元データに含まれる三次元点の位置情報に回転及び並進処理を適用することで予測位置情報を生成する。
【０４３４】
なお、三次元データ符号化装置１３００は、回転及び並進処理を第１の単位（例えばスペース）で行い、予測位置情報の生成を第１の単位より細かい第２の単位（例えばボリューム）で行ってもよい。例えば、三次元データ符号化装置１３００は、回転及び並進処理後の参照スペースに含まれる複数のボリュームのうち、符号化対象スペースに含まれる符号化対象ボリュームと位置情報の差が最小となるボリュームを探索し、得られたボリュームを予測ボリュームとして用いる。なお、三次元データ符号化装置１３００は、回転及び並進処理と、予測位置情報の生成とを同一の単位で行ってもよい。
【０４３５】
また、三次元データ符号化装置１３００は、参照三次元データに含まれる三次元点の位置情報に第１の単位（例えばスペース）で第１回転及び並進処理を適用し、第１回転及び並進処理により得られた三次元点の位置情報に、第１の単位より細かい第２の単位（例えばボリューム）で第２回転及び並進処理を適用することで予測位置情報を生成してもよい。
【０４３６】
ここで、三次元点の位置情報及び予測位置情報は、例えば図４１に示すように、８分木構造で表現される。例えば、三次元点の位置情報及び予測位置情報は、８分木構造における深度と幅とのうち、幅を優先したスキャン順で表される。または、三次元点の位置情報及び予測位置情報は、８分木構造における深度と幅とのうち、深度を優先したスキャン順で表される。
【０４３７】
また、図４６に示すように、三次元データ符号化装置１３００は、参照三次元データに含まれる三次元点の位置情報に回転及び並進処理を適用するか否かを示すＲＴ適用フラグを符号化する。つまり、三次元データ符号化装置１３００は、ＲＴ適用フラグを含む符号化信号（符号化ビットストリーム）を生成する。また、三次元データ符号化装置１３００は、回転及び並進処理の内容を示すＲＴ情報を符号化する。つまり、三次元データ符号化装置１３００は、ＲＴ情報を含む符号化信号（符号化ビットストリーム）を生成する。なお、三次元データ符号化装置１３００は、ＲＴ適用フラグにより回転及び並進処理を適用することが示される場合にＲＴ情報を符号化し、ＲＴ適用フラグにより回転及び並進処理を適用しないことが示される場合にＲＴ情報を符号化しなくてもよい。
【０４３８】
また、三次元データは、例えば、三次元点の位置情報と、各三次元点の属性情報（色情報等）とを含む。三次元データ符号化装置１３００は、参照三次元データに含まれる三次元点の属性情報を用いて予測属性情報を生成する（Ｓ１３０２）。
【０４３９】
次に、三次元データ符号化装置１３００は、対象三次元データに含まれる三次元点の位置情報を、予測位置情報を用いて符号化する。例えば、三次元データ符号化装置１３００は、図３８に示すように対象三次元データに含まれる三次元点の位置情報と予測位置情報との差分である差分位置情報を算出する（Ｓ１３０３）。
【０４４０】
また、三次元データ符号化装置１３００は、対象三次元データに含まれる三次元点の属性情報を、予測属性情報を用いて符号化する。例えば、三次元データ符号化装置１３００は、対象三次元データに含まれる三次元点の属性情報と予測属性情報との差分である差分属性情報を算出する（Ｓ１３０４）。次に、三次元データ符号化装置１３００は、算出された差分属性情報に変換及び量子化を行う（Ｓ１３０５）。
【０４４１】
最後に、三次元データ符号化装置１３００は、差分位置情報と、量子化後の差分属性情報とを符号化（例えばエントロピー符号化）する（Ｓ１３０６）。つまり、三次元データ符号化装置１３００は、差分位置情報と差分属性情報とを含む符号化信号（符号化ビットストリーム）を生成する。
【０４４２】
なお、三次元データに属性情報が含まれない場合には、三次元データ符号化装置１３００は、ステップＳ１３０２、Ｓ１３０４及びＳ１３０５を行わなくてもよい。また、三次元データ符号化装置１３００は、三次元点の位置情報の符号化と、三次元点の属性情報の符号化とのうち、一方のみを行ってもよい。
【０４４３】
また、図４９に示す処理の順序は一例であり、これに限定されない。例えば、位置情報に対する処理（Ｓ１３０１、Ｓ１３０３）と、属性情報に対する処理（Ｓ１３０２、Ｓ１３０４、Ｓ１３０５）とは互いに独立しているため、任意の順序で行われてもよいし、一部が並列処理されてもよい。
【０４４４】
以上により、本実施の形態に三次元データ符号化装置１３００は、対象三次元データと異なる時刻の参照三次元データに含まれる三次元点の位置情報を用いて予測位置情報を生成し、対象三次元データに含まれる三次元点の位置情報と予測位置情報との差分である差分位置情報を符号化する。これにより、符号化信号のデータ量を削減できるので符号化効率を向上できる。
【０４４５】
また、本実施の形態に三次元データ符号化装置１３００は、参照三次元データに含まれる三次元点の属性情報を用いて予測属性情報を生成し、対象三次元データに含まれる三次元点の属性情報と予測属性情報との差分である差分属性情報を符号化する。これにより、符号化信号のデータ量を削減できるので符号化効率を向上できる。
【０４４６】
例えば、三次元データ符号化装置１３００は、プロセッサと、メモリとを備え、プロセッサは、メモリを用いて、上記の処理を行う。
【０４４７】
図４８は、三次元データ復号装置１４００によるインター予測処理のフローチャートである。
【０４４８】
まず、三次元データ復号装置１４００は、符号化信号（符号化ビットストリーム）から、差分位置情報と差分属性情報とを復号（例えばエントロピー復号）する（Ｓ１４０１）。
【０４４９】
また、三次元データ復号装置１４００は、符号化信号から、参照三次元データに含まれる三次元点の位置情報に回転及び並進処理を適用するか否かを示すＲＴ適用フラグを復号する。また、三次元データ復号装置１４００は、回転及び並進処理の内容を示すＲＴ情報を復号する。なお、三次元データ復号装置１４００は、ＲＴ適用フラグにより回転及び並進処理を適用することが示される場合にＲＴ情報を復号し、ＲＴ適用フラグにより回転及び並進処理を適用しないことが示される場合にＲＴ情報を復号しなくてもよい。
【０４５０】
次に、三次元データ復号装置１４００は、復号された差分属性情報に逆量子化及び逆変換を行う（Ｓ１４０２）。
【０４５１】
次に、三次元データ復号装置１４００は、対象三次元データ（例えば復号対象スペース）と異なる時刻の参照三次元データ（例えば参照スペース）に含まれる三次元点の位置情報を用いて予測位置情報（例えば予測ボリューム）を生成する（Ｓ１４０３）。具体的には、三次元データ復号装置１４００は、参照三次元データに含まれる三次元点の位置情報に回転及び並進処理を適用することで予測位置情報を生成する。
【０４５２】
より具体的には、三次元データ復号装置１４００は、ＲＴ適用フラグにより回転及び並進処理を適用することが示される場合に、ＲＴ情報で示される参照三次元データに含まれる三次元点の位置情報に回転及び並進処理を適用する。一方、ＲＴ適用フラグにより回転及び並進処理を適用しないことが示される場合には、三次元データ復号装置１４００は、参照三次元データに含まれる三次元点の位置情報に回転及び並進処理を適用しない。
【０４５３】
なお、三次元データ復号装置１４００は、回転及び並進処理を第１の単位（例えばスペース）で行い、予測位置情報の生成を第１の単位より細かい第２の単位（例えばボリューム）で行ってもよい。なお、三次元データ復号装置１４００は、回転及び並進処理と、予測位置情報の生成とを同一の単位で行ってもよい。
【０４５４】
また、三次元データ復号装置１４００は、参照三次元データに含まれる三次元点の位置情報に第１の単位（例えばスペース）で第１回転及び並進処理を適用し、第１回転及び並進処理により得られた三次元点の位置情報に、第１の単位より細かい第２の単位（例えばボリューム）で第２回転及び並進処理を適用することで予測位置情報を生成してもよい。
【０４５５】
ここで、三次元点の位置情報及び予測位置情報は、例えば図４１に示すように、８分木構造で表現される。例えば、三次元点の位置情報及び予測位置情報は、８分木構造における深度と幅とのうち、幅を優先したスキャン順で表される。または、三次元点の位置情報及び予測位置情報は、８分木構造における深度と幅とのうち、深度を優先したスキャン順で表される。
【０４５６】
三次元データ復号装置１４００は、参照三次元データに含まれる三次元点の属性情報を用いて予測属性情報を生成する（Ｓ１４０４）。
【０４５７】
次に、三次元データ復号装置１４００は、符号化信号に含まれる符号化位置情報を予測位置情報を用いて復号することで対象三次元データに含まれる三次元点の位置情報を復元する。ここで、符号化位置情報とは、例えば、差分位置情報であり、三次元データ復号装置１４００は、差分位置情報と予測位置情報とを加算することで対象三次元データに含まれる三次元点の位置情報を復元する（Ｓ１４０５）。
【０４５８】
また、三次元データ復号装置１４００は、符号化信号に含まれる符号化属性情報を予測属性情報を用いて復号することで対象三次元データに含まれる三次元点の属性情報を復元する。ここで、符号化属性情報とは、例えば、差分属性情報であり、三次元データ復号装置１４００は、差分属性情報と予測属性情報とを加算することで対象三次元データに含まれる三次元点の属性情報を復元する（Ｓ１４０６）。
【０４５９】
なお、三次元データに属性情報が含まれない場合には、三次元データ復号装置１４００は、ステップＳ１４０２、Ｓ１４０４及びＳ１４０６を行わなくてもよい。また、三次元データ復号装置１４００は、三次元点の位置情報の復号と、三次元点の属性情報の復号とのうち、一方のみを行ってもよい。
【０４６０】
また、図５０に示す処理の順序は一例であり、これに限定されない。例えば、位置情報に対する処理（Ｓ１４０３、Ｓ１４０５）と、属性情報に対する処理（Ｓ１４０２、Ｓ１４０４、Ｓ１４０６）とは互いに独立しているため、任意の順序で行われてもよいし、一部が並列処理されてもよい。
【０４６１】
（実施の形態８）
本実施の形態では、三次元データの符号化における三次元点（ポイントクラウド）の表現手法について説明する。
【０４６２】
図５１は、本実施の形態に係る三次元データの配信システムの構成を示すブロック図である。図５１に示す配信システムは、サーバ１５０１と、複数のクライアント１５０２とを含む。
【０４６３】
サーバ１５０１は、記憶部１５１１と、制御部１５１２とを含む。記憶部１５１１は、符号化された三次元データである符号化三次元マップ１５１３を格納している。
【０４６４】
図５２は、符号化三次元マップ１５１３のビットストリームの構成例を示す図である。三次元マップは、複数のサブマップ（ｓｕｂ−ｍａｐ）に分割され、各サブマップが符号化される。各サブマップには、サブ座標情報を含むランダムアクセスヘッダ（ＲＡ）が付加される。サブ座標情報は、サブマップの符号化効率を向上させるために用いられる。このサブ座標情報は、サブマップのサブ座標（ｓｕｂ−ｃｏｏｒｄｉｎａｔｅ）を示す。サブ座標は、基準座標（ｒｅｆｅｒｅｎｃｅ  ｃｏｏｒｄｉｎａｔｅ）を基準としたサブマップの座標である。なお、複数のサブマップが含まれる三次元マップを全体マップと呼ぶ。また、全体マップにおいて基準となる座標（例えば原点）を基準座標と呼ぶ。つまり、サブ座標は、全体マップの座標系におけるサブマップの座標である。言い換えると、サブ座標は、全体マップの座標系とサブマップの座標系とのオフセットを示す。また、基準座標を基準とする全体マップの座標系における座標を全体座標と呼ぶ。サブ座標を基準とするサブマップの座標系における座標を差分座標と呼ぶ。
【０４６５】
クライアント１５０２は、サーバ１５０１にメッセージを送信する。このメッセージは、クライアント１５０２の位置情報を含む。サーバ１５０１に含まれる制御部１５１２は、受信したメッセージに含まれる位置情報に基づき、クライアント１５０２の位置に最も近い位置のサブマップのビットストリームを取得する。サブマップのビットストリームは、サブ座標情報を含み、クライアント１５０２に送信される。クライアント１５０２に含まれるデコーダ１５２１は、このサブ座標情報を用いて、基準座標を基準としたサブマップの全体座標を得る。クライアント１５０２に含まれるアプリケーション１５２２は、得られたサブマップの全体座標を用いて、自己位置に関連するアプリケーションを実行する。
【０４６６】
また、サブマップは全体マップの一部領域を示す。サブ座標は全体マップの基準座標空間においてサブマップが位置する座標である。例えばＡの全体マップ中に、ＡＡのサブマップＡ、及びＡＢのサブマップＢが存在するとする。車両は、ＡＡの地図を参照したい場合は、サブマップＡから復号を開始し、ＡＢの地図を参照したい場合は、サブマップＢから復号を開始する。ここでサブマップはランダムアクセスポイントである。具体的には、Ａは大阪府、ＡＡは大阪市、ＡＢは高槻市などである。
【０４６７】
各サブマップはサブ座標情報と共にクライアントに送信される。サブ座標情報は各サブマップのヘッダ情報、又は送信パケット等に含まれる。
【０４６８】
各サブマップのサブ座標情報の基準の座標となる基準座標は、全体マップのヘッダ情報などサブマップより上位の空間のヘッダ情報に付加されてもよい。
【０４６９】
サブマップは１つのスペース（ＳＰＣ）で構成されてもよい。また、サブマップは複数のＳＰＣで構成されてもよい。
【０４７０】
また、サブマップは、ＧＯＳ（Ｇｒｏｕｐ  ｏｆ  Ｓｐａｃｅ）を含んでもよい。またサブマップは、ワールドで構成されてもよい。例えば、サブマップの中に複数のオブジェクトがある場合、複数のオブジェクトを別々のＳＰＣに割り当てるとサブマップは複数のＳＰＣで構成される。また複数のオブジェクトを１つのＳＰＣに割り当てるとサブマップは１つのＳＰＣで構成される。
【０４７１】
次に、サブ座標情報を用いた場合の符号化効率の改善効果について説明する。図５３は、この効果を説明するための図である。例えば、図５３に示す、基準座標から遠い位置の三次元点Ａを符号化するためには、多くのビット数が必要となる。ここで、サブ座標と三次元点Ａとの距離は、基準座標と三次元点Ａとの距離よりも短い。よって、基準座標を基準とした三次元点Ａの座標を符号化する場合よりも、サブ座標を基準とした三次元点Ａの座標を符号化することで、符号化効率を改善できる。また、サブマップのビットストリームは、サブ座標情報を含む。サブマップのビットストリームと基準座標とを復号側（クライアント）に送ることで、復号側においてサブマップの全体座標を復元できる。
【０４７２】
図５４は、サブマップの送信側であるサーバ１５０１による処理のフローチャートである。
【０４７３】
まず、サーバ１５０１は、クライアント１５０２から、クライアント１５０２の位置情報を含むメッセージを受信する（Ｓ１５０１）。制御部１５１２は、記憶部１５１１から、クライアントの位置情報に基づくサブマップの符号化ビットストリームを取得する（Ｓ１５０２）。そして、サーバ１５０１は、サブマップの符号化ビットストリームと基準座標とをクライアント１５０２に送信する（Ｓ１５０３）。
【０４７４】
図５５は、サブマップの受信側であるクライアント１５０２による処理のフローチャートである。
【０４７５】
まず、クライアント１５０２は、サーバ１５０１から送信されたサブマップの符号化ビットストリームと基準座標とを受信する（Ｓ１５１１）。次に、クライアント１５０２は、符号化ビットストリームを復号することでサブマップとサブ座標情報とを取得する（Ｓ１５１２）。次に、クライアント１５０２は、基準座標とサブ座標とを用いてサブマップ内の差分座標を全体座標に復元する（Ｓ１５１３）。
【０４７６】
次に、サブマップに関する情報のシンタックス例を説明する。サブマップの符号化において、三次元データ符号化装置は、各ポイントクラウド（三次元点）の座標からサブ座標を減算することで差分座標を算出する。そして、三次元データ符号化装置は、各ポイントクラウドの値として、差分座標をビットストリームに符号化する。また、符号化装置は、サブ座標を示すサブ座標情報をビットストリームのヘッダ情報として符号化する。これにより、三次元データ復号装置は、各ポイントクラウドの全体座標を得ることができる。例えば、三次元データ符号化装置はサーバ１５０１に含まれ、三次元データ復号装置はクライアント１５０２に含まれる。
【０４７７】
図５６は、サブマップのシンタックス例を示す図である。図５６に示すＮｕｍＯｆＰｏｉｎｔは、サブマップに含まれるポイントクラウド数を示す。ｓｕｂ＿ｃｏｏｒｄｉｎａｔｅ＿ｘ、ｓｕｂ＿ｃｏｏｒｄｉｎａｔｅ＿ｙ、及びｓｕｂ＿ｃｏｏｒｄｉｎａｔｅ＿ｚは、サブ座標情報である。ｓｕｂ＿ｃｏｏｒｄｉｎａｔｅ＿ｘは、サブ座標のｘ座標を示す。ｓｕｂ＿ｃｏｏｒｄｉｎａｔｅ＿ｙは、サブ座標のｙ座標を示す。ｓｕｂ＿ｃｏｏｒｄｉｎａｔｅ＿ｚは、サブ座標のｚ座標を示す。
【０４７８】
また、ｄｉｆｆ＿ｘ［ｉ］、ｄｉｆｆ＿ｙ［ｉ］、及びｄｉｆｆ＿ｚ［ｉ］は、サブマップ内のｉ番目ポイントクラウドの差分座標である。ｄｉｆｆ＿ｘ［ｉ］は、サブマップ内のｉ番目ポイントクラウドのｘ座標とサブ座標のｘ座標との差分値を示す。ｄｉｆｆ＿ｙ［ｉ］は、サブマップ内のｉ番目ポイントクラウドのｙ座標とサブ座標のｙ座標との差分値を示す。ｄｉｆｆ＿ｚ［ｉ］は、サブマップ内のｉ番目ポイントクラウドのｚ座標とサブ座標のｚ座標との差分値を示す。
【０４７９】
三次元データ復号装置は、ｉ番目のポイントクラウドの全体座標であるｐｏｉｎｔ＿ｃｌｏｕｄ［ｉ］＿ｘ、ｐｏｉｎｔ＿ｃｌｏｕｄ［ｉ］＿ｙ、及びｐｏｉｎｔ＿ｃｌｏｕｄ［ｉ］＿ｚを下記式を用いて復号する。ｐｏｉｎｔ＿ｃｌｏｕｄ［ｉ］＿ｘは、ｉ番目のポイントクラウドの全体座標のｘ座標である。ｐｏｉｎｔ＿ｃｌｏｕｄ［ｉ］＿ｙは、ｉ番目のポイントクラウドの全体座標のｙ座標である。ｐｏｉｎｔ＿ｃｌｏｕｄ［ｉ］＿ｚは、ｉ番目のポイントクラウドの全体座標のｚ座標である。
【０４８０】
ｐｏｉｎｔ＿ｃｌｏｕｄ［ｉ］＿ｘ＝ｓｕｂ＿ｃｏｏｒｄｉｎａｔｅ＿ｘ＋ｄｉｆｆ＿ｘ［ｉ］
ｐｏｉｎｔ＿ｃｌｏｕｄ［ｉ］＿ｙ＝ｓｕｂ＿ｃｏｏｒｄｉｎａｔｅ＿ｙ＋ｄｉｆｆ＿ｙ［ｉ］
ｐｏｉｎｔ＿ｃｌｏｕｄ［ｉ］＿ｚ＝ｓｕｂ＿ｃｏｏｒｄｉｎａｔｅ＿ｚ＋ｄｉｆｆ＿ｚ［ｉ］
【０４８１】
次に、８分木符号化の適用の切り替え処理について説明する。三次元データ符号化装置は、サブマップ符号化時に、各ポイントクラウドを８分木表現で符号化する（以下、８分木符号化（ｏｃｔｒｅｅ符号化）と呼ぶ）を用いるか、サブ座標からの差分値を符号化する（以下、非８分木符号化（ｎｏｎ−ｏｃｔｒｅｅ符号化）と呼ぶ）を用いるかを選択する。図５７は、この動作を模式的に示す図である。例えば、三次元データ符号化装置は、サブマップ内のポイントクラウド数が予め定められた閾値以上の場合には、サブマップに８分木符号化を適用する。三次元データ符号化装置は、サブマップ内のポイントクラウド数が上記閾値より小さい場合は、サブマップに非８分木符号化を適用する。これにより、三次元データ符号化装置は、サブマップ内に含まれるオブジェクトの形状及び密度に応じて適切に８分木符号化を用いるか、非８分木符号化を用いるかを選択できるので、符号化効率を向上することができる。
【０４８２】
また、三次元データ符号化装置は、サブマップに８分木符号化と非８分木符号化とのどちらを適用したかを示す情報（以下、８分木符号化適用情報と呼ぶ）を、サブマップのヘッダ等に付加する。これにより、三次元データ復号装置は、ビットストリームが、サブマップが８分木符号化されることで得られたビットストリームであるか、サブマップが非８分木符号化されることで得られたビットストリームであるかを判別できる。
【０４８３】
また、三次元データ符号化装置は、８分木符号化と非８分木符号化とのそれぞれを同一のポイントクラウドに適用した際の符号化効率を算出し、符号化効率が良い符号化方式をサブマップに適用してもよい。
【０４８４】
図５８は、この切り替えを行う場合のサブマップのシンタックス例を示す図である。図５８に示すｃｏｄｉｎｇ＿ｔｙｐｅは、符号化タイプを示す情報であり、上記８分木符号化適用情報である。ｃｏｄｉｎｇ＿ｔｙｐｅ＝００は、８分木符号化が適用されたことを示す。ｃｏｄｉｎｇ＿ｔｙｐｅ＝０１は、非８分木符号化が適用されたことを示す。ｃｏｄｉｎｇ＿ｔｙｐｅ＝１０又は１１は、上記外の他の符号化方式などが適用されたことを示す。
【０４８５】
符号化タイプが非８分木符号化（ｎｏｎ＿ｏｃｔｒｅｅ）の場合、サブマップは、ＮｕｍＯｆＰｏｉｎｔと、サブ座標情報（ｓｕｂ＿ｃｏｏｒｄｉｎａｔｅ＿ｘ、ｓｕｂ＿ｃｏｏｒｄｉｎａｔｅ＿ｙ、及びｓｕｂ＿ｃｏｏｒｄｉｎａｔｅ＿ｚ）とを含む。
【０４８６】
符号化タイプが８分木符号化（ｏｃｔｒｅｅ）の場合、サブマップは、ｏｃｔｒｅｅ＿ｉｎｆｏを含む。ｏｃｔｒｅｅ＿ｉｎｆｏは、８分木符号化に必要な情報であり、例えばｄｅｐｔｈ情報などを含む。
【０４８７】
符号化タイプが非８分木符号化（ｎｏｎ＿ｏｃｔｒｅｅ）の場合、サブマップは、差分座標（ｄｉｆｆ＿ｘ［ｉ］、ｄｉｆｆ＿ｙ［ｉ］、及びｄｉｆｆ＿ｚ［ｉ］）を含む。
【０４８８】
符号化タイプが８分木符号化（ｏｃｔｒｅｅ）の場合、サブマップは、８分木符号化に関する符号化データであるｏｃｔｒｅｅ＿ｄａｔａを含む。
【０４８９】
なお、ここでは、ポイントクラウドの座標系としてｘｙｚ座標系が用いられる例を示したが、極座標系が用いられてもよい。
【０４９０】
図５９は、三次元データ符号化装置による三次元データ符号化処理のフローチャートである。まず、三次元データ符号化装置は、処理対象のサブマップである対象サブマップ内のポイントクラウド数を算出する（Ｓ１５２１）。次に、三次元データ符号化装置は、算出されたポイントクラウド数が予め定められた閾値以上であるか否かを判定する（Ｓ１５２２）。
【０４９１】
ポイントクラウド数が閾値以上の場合（Ｓ１５２２でＹｅｓ）、三次元データ符号化装置は、対象サブマップに８分木符号化を適用する（Ｓ１５２３）。また、三次元点データ符号化装置は、対象サブマップに８分木符号化を適用したことを示す８分木符号化適用情報をビットストリームのヘッダに付加する（Ｓ１５２５）。
【０４９２】
一方、ポイントクラウド数が閾値未満の場合（Ｓ１５２２でＮｏ）、三次元データ符号化装置は、対象サブマップに非８分木符号化を適用する（Ｓ１５２４）。また、三次元点データ符号化装置は、対象サブマップに非８分木符号化を適用したことを示す８分木符号化適用情報をビットストリームのヘッダに付加する（Ｓ１５２５）。
【０４９３】
図６０は、三次元データ復号装置による三次元データ復号処理のフローチャートである。まず、三次元データ復号装置は、ビットストリームのヘッダから８分木符号化適用情報を復号する（Ｓ１５３１）。次に、三次元データ復号装置は、復号した８分木符号化適用情報に基づき、対象サブマップに適用された符号化タイプが８分木符号化であるか否かを判定する（Ｓ１５３２）。
【０４９４】
８分木符号化適用情報により示される符号化タイプが８分木符号化である場合（Ｓ１５３２でＹｅｓ）、三次元データ復号装置は、８分木復号により対象サブマップを復号する（Ｓ１５３３）。一方、８分木符号化適用情報により示される符号化タイプが非８分木符号化である場合（Ｓ１５３２でＮｏ）、三次元データ復号装置は、非８分木復号により対象サブマップを復号する（Ｓ１５３４）。
【０４９５】
以下、本実施の形態の変形例について説明する。図６１〜図６３は、符号化タイプの切り替え処理の変形例の動作を模式的に示す図である。
【０４９６】
図６１に示すように、三次元データ符号化装置は、８分木符号化を適用するか非８分木符号化を適用するかをスペース毎に選択してもよい。この場合は、三次元データ符号化装置は、８分木符号化適用情報をスペースのヘッダに付加する。これにより、三次元データ復号装置は、８分木符号化が適用されたか否かをスペース毎に判断できる。また、この場合、三次元データ符号化装置は、スペース毎にサブ座標を設定し、スペース内の各ポイントクラウドの座標からサブ座標の値を引いた差分値を符号化する。
【０４９７】
これにより、三次元データ符号化装置は、スペース内のオブジェクトの形状又はポイントクラウド数に応じて８分木符号化を適用するか否かを適切に切り替えることができるので、符号化効率を向上できる。
【０４９８】
また、図６２に示すように、三次元データ符号化装置は、８分木符号化を適用するか非８分木符号化を適用するかをボリューム毎に選択してもよい。この場合は、三次元データ符号化装置は、８分木符号化適用情報をボリュームのヘッダに付加する。これにより、三次元データ復号装置は、８分木符号化が適用されたか否かをボリューム毎に判断できる。また、この場合、三次元データ符号化装置は、ボリューム毎にサブ座標を設定し、ボリューム内の各ポイントクラウドの座標からサブ座標の値を引いた差分値を符号化する。
【０４９９】
これにより、三次元データ符号化装置は、ボリューム内のオブジェクトの形状又はポイントクラウド数に応じて８分木符号化を適用するか否かを適切に切り替えることができるので、符号化効率を向上できる。
【０５００】
また、上記説明では、非８分木符号化として、各ポイントクラウドの座標からサブ座標を引いた差分を符号化する例を示したが、必ずしもこれに限らず、８分木符号化以外のどのような符号化方法で符号化してもよい。例えば、図６３に示すように、三次元データ符号化装置は、非８分木符号化として、サブ座標からの差分ではなく、サブマップ、スペース、又はボリューム内のポイントクラウドの値そのものを符号化する方式（以下、原座標符号化と呼ぶ）を用いてもよい。
【０５０１】
その場合は、三次元データ符号化装置は、対象空間（サブマップ、スペース、又はボリューム）に原座標符号化が適用されたことを示す情報をヘッダに格納する。これにより、三次元データ復号装置は、対象空間に原座標符号化が適用されたか否かを判断できる。
【０５０２】
また、原座標符号化を適用する場合には、三次元データ符号化装置は、原座標に量子化及び算術符号化を適用せずに符号化を行ってもよい。また、三次元データ符号化装置は、原座標を予め定められた固定のビット長で符号化してもよい。これにより、三次元データ符号化装置は、あるタイミングで一定のビット長のストリームを生成することができる。
【０５０３】
また、上記説明では、非８分木符号化として、各ポイントクラウドの座標からサブ座標を引いた差分を符号化する例を示したが、必ずしもこれに限らない。
【０５０４】
例えば、三次元データ符号化装置は、各ポイントクラウドの座標間の差分値を順に符号化してもよい。図６４は、この場合の動作を説明するための図である。例えば、図６４に示す例では、三次元データ符号化装置は、ポイントクラウドＰＡを符号化する際に、サブ座標を予測座標として用い、ポイントクラウドＰＡの座標と予測座標との差分値を符号化する。また、三次元データ符号化装置は、ポイントクラウドＰＢを符号化する際には、ポイントクラウドＰＡの座標を予測座標として用い、ポイントクラウドＰＢと予測座標との差分値を符号化する。また、三次元データ符号化装置は、ポイントクラウドＰＣを符号化する際には、ポイントクラウドＰＢを予測座標として用い、ポイントクラウドＰＢと予測座標との差分値を符号化する。このように、三次元データ符号化装置は、複数のポイントクラウドにスキャン順を設定し、処理対象の対象ポイントクラウドの座標と、対象ポイントクラウドに対してスキャン順で直前のポイントクラウドの座標との差分値を符号化してもよい。
【０５０５】
また、上記説明では、サブ座標は、サブマップの左下手前の隅の座標であったが、サブ座標の位置はこれに限らない。図６５〜図６７は、サブ座標の位置の別の例を示す図である。サブ座標は、サブ座標の設定位置は、対象空間（サブマップ、スペース、又はボリューム）内のどの座標に設定されてもよい。つまり、サブ座標は、上述したように、対象空間の左下手前の隅の座標であってもよい。図６５に示すように、サブ座標は、対象空間の中心の座標であってもよい。図６６に示すように、サブ座標は、対象空間の右上奥の隅の座標であってもよい。また、サブ座標は、対象空間の左下手前又は右上奥の隅の座標に限らず、対象空間のいずれかの隅の座標であってもよい。
【０５０６】
また、サブ座標の設定位置は、対象空間（サブマップ、スペース、又はボリューム）内のあるポイントクラウドの座標と同一であってもよい。例えば、図６７に示す例では、サブ座標の座標は、ポイントクラウドＰＤの座標と一致する。
【０５０７】
また、本実施の形態では、８分木符号化を適用するか、非８分木符号化を適用するかを切り替える例を示したが、必ずしもこれには限らない。例えば、三次元データ符号化装置は、８分木以外の別の木構造を適用するかと、当該木構造以外の非木構造を適用するかとを切り替えてもよい。例えば、別の木構造とは、座標軸の１つに垂直な平面を使って分割を行うｋｄ木などである。なお、別の木構造として、どのような方式を用いてもよい。
【０５０８】
また、本実施の形態では、ポイントクラウドが持つ座標情報を符号化する例を示したが、必ずしもこれには限らない。三次元データ符号化装置は、例えば、色情報、三次元特徴量又は、可視光の特徴量なども座標情報と同様の方法で符号化してもよい。例えば、三次元データ符号化装置は、サブマップ内の各ポイントクラウドが持つ色情報の平均値をサブ色情報（ｓｕｂ−ｃｏｌｏｒ）に設定し、各ポイントクラウドの色情報とサブ色情報との差分を符号化してもよい。
【０５０９】
また、本実施の形態では、ポイントクラウドの数等に応じて符号化効率が良い符号化方式（８分木符号化又は非８分木符号化）を選択する例を示したが、必ずこれには限らない。例えば、サーバ側である三次元データ符号化装置は、８分木符号化により符号化したポイントクラウドのビットストリーム、非８分木符号化により符号化したポイントクラウドのビットストリーム、及びその両方により符号化したポイントクラウドのビットストリームを保持しておき、通信環境又は三次元データ復号装置の処理能力に応じて、三次元データ復号装置に送信するビットストリームを切り替えてもよい。
【０５１０】
図６８は、８分木符号化の適用を切り替える場合のボリュームのシンタックス例を示す図である。図６８に示すシンタックスは、図５８に示すシンタックスと基本的には同じであるが、各情報がボリューム単位の情報である点が異なる。具体的には、ＮｕｍＯｆＰｏｉｎｔは、ボリュームに含まれるポイントクラウド数を示す。ｓｕｂ＿ｃｏｏｒｄｉｎａｔｅ＿ｘ、ｓｕｂ＿ｃｏｏｒｄｉｎａｔｅ＿ｙ、及びｓｕｂ＿ｃｏｏｒｄｉｎａｔｅ＿ｚは、ボリュームのサブ座標情報である。
【０５１１】
また、ｄｉｆｆ＿ｘ［ｉ］、ｄｉｆｆ＿ｙ［ｉ］、及びｄｉｆｆ＿ｚ［ｉ］は、ボリューム内のｉ番目ポイントクラウドの差分座標である。ｄｉｆｆ＿ｘ［ｉ］は、ボリューム内のｉ番目ポイントクラウドのｘ座標とサブ座標のｘ座標との差分値を示す。ｄｉｆｆ＿ｙ［ｉ］は、ボリューム内のｉ番目ポイントクラウドのｙ座標とサブ座標のｙ座標との差分値を示す。ｄｉｆｆ＿ｚ［ｉ］は、ボリューム内のｉ番目ポイントクラウドのｚ座標とサブ座標のｚ座標との差分値を示す。
【０５１２】
なお、スペースにおけるボリュームの相対位置が計算できる場合は、三次元データ符号化装置は、サブ座標情報をボリュームのヘッダに含めなくてもよい。つまり、三次元データ符号化装置は、サブ座標情報をヘッダに含めずに、スペースにおけるボリュームの相対位置を計算し、計算した位置を各ボリュームのサブ座標として用いてよい。
【０５１３】
以上のように、本実施の形態に係る三次元データ符号化装置は、三次元データに含まれる複数の空間単位（例えば、サブマップ、スペース又はボリューム）のうち対象空間単位を８分木構造で符号化するか否かを判定する（例えば、図５９のＳ１５２２）。例えば、三次元データ符号化装置は、対象空間単位に含まれる三次元点の数が予め定められた閾値より多い場合、対象空間単位を８分木構造で符号化すると判定する。また、三次元データ符号化装置は、対象空間単位に含まれる三次元点の数が上記閾値以下の場合、対象空間単位を８分木構造で符号化しないと判定する。
【０５１４】
対象空間単位を８分木構造で符号化すると判定された場合（Ｓ１５２２でＹｅｓ）、三次元データ符号化装置は、対象空間単位を８分木構造を用いて符号化する（Ｓ１５２３）。また、対象空間単位を８分木構造で符号化しないと判定された場合（Ｓ１５２２でＮｏ）、三次元データ符号化装置は、対象空間単位を８分木構造とは異なる方式で符号化する（Ｓ１５２４）。例えば、三次元データ符号化装置は、異なる方式では、対象空間単位に含まれる三次元点の座標を符号化する。具体的には、三次元データ符号化装置は、異なる方式では、対象空間単位の基準座標と、対象空間単位に含まれる三次元点の座標との差分を符号化する。
【０５１５】
次に、三次元データ符号化装置は、対象空間単位を８分木構造で符号化したか否かを示す情報をビットストリームに付加する（Ｓ１５２５）。
【０５１６】
これによれば、当該三次元データ符号化装置は、符号化信号のデータ量を削減できるので符号化効率を向上できる。
【０５１７】
例えば、三次元データ符号化装置は、プロセッサと、メモリとを備え、プロセッサは、メモリを用いて、上記の処理を行う。
【０５１８】
また、本実施の形態に係る三次元データ復号装置は、三次元データに含まれる複数の対象空間単位（例えば、サブマップ、スペース又はボリューム）のうち対象空間単位を８分木構造で復号するか否かを示す情報をビットストリームから復号する（例えば、図６０のＳ１５３１）。上記情報により対象空間単位を８分木構造で復号すると示される場合（Ｓ１５３２でＹｅｓ）、三次元データ復号装置は、対象空間単位を８分木構造を用いて復号する（Ｓ１５３３）。
【０５１９】
上記情報により前記対象空間単位を８分木構造で復号しないと示される場合（Ｓ１５３２でＮｏ）、三次元データ復号装置は、対象空間単位を８分木構造とは異なる方式で復号する（Ｓ１５３４）。例えば、三次元データ復号装置は、異なる方式では、対象空間単位に含まれる三次元点の座標を復号する。具体的には、三次元データ復号装置は、異なる方式では、対象空間単位の基準座標と、対象空間単位に含まれる三次元点の座標との差分を復号する。
【０５２０】
これによれば、当該三次元データ復号装置は、符号化信号のデータ量を削減できるので符号化効率を向上できる。
【０５２１】
例えば、三次元データ復号装置は、プロセッサと、メモリとを備え、プロセッサは、メモリを用いて、上記の処理を行う。
【０５２２】
（実施の形態９）
本実施の形態では、８分木構造等の木構造の符号化方法について説明する。
【０５２３】
重要領域（ｉｍｐｏｒｔａｎｔ  ａｒｅａ）を識別し、重要領域の三次元データを優先的に復号することで、効率を向上できる。
【０５２４】
図６９は、三次元地図における重要領域の例を示す図である。重要領域は、例えば三次元地図中の三次元点のうち、特徴量の値が大きい三次元点を一定数以上含む領域である。または、重要領域は、例えば、車載等のクライアントが自己位置推定を行う場合に必要な三次元点を一定数以上含む領域であってもよい。または、重要領域は、人の三次元モデルにおける顔の領域であってもよい。このように重要領域は、アプリケーション毎に定義可能であり、アプリケーションに応じて重要領域を切り替えてもよい。
【０５２５】
本実施の形態では８分木構造等を表現する方式として、オキュパンシー符号化（オキュパンシー符号化）と、ロケーション符号化（Ｌｏｃａｔｉｏｎ  Ｃｏｄｉｎｇ）とが用いられる。また、オキュパンシー符号化により得られたビット列をオキュパンシー符号（Ｏｃｃｕｐａｎｃｙ  ｃｏｄｅ）と呼ぶ。ロケーション符号化により得られたビット列をロケーション符号（Ｌｏｃａｔｉｏｎ  ｃｏｄｅ）と呼ぶ。
【０５２６】
図７０は、オキュパンシー符号の一例を示す図である。図７０は４分木構造のオキュパンシー符号の例を示す。図７０では、各ノードにオキュパンシー符号が割当てられる。各オキュパンシー符号は各ノードの子ノードまたはリーフに三次元点が含まれるか否かを示す。例えば４分木の場合は、各ノードが持つ４個の子ノードまたはリーフがそれぞれ三次元点を含むか否かを示す情報が４ビットのオキュパンシー符号で表される。また、８分木の場合は、各ノードが持つ８個の子ノードまたはリーフがそれぞれ三次元点を含むか否かを示す情報が８ビットのオキュパンシー符号で表される。なお、ここでは、説明の簡略化のため４分木構造を例に説明を行うが８分木構造に対しても同様に適用できる。例えば、図７０に示すように、オキュパンシー符号は、図４０等において説明した幅優先でノードとリーフとをスキャンしたビット例である。オキュパンシー符号では、複数の三次元点の情報を固定順で復号するため、任意の三次元点の情報を優先して復号することはできない。なお、オキュパンシー符号は、図４０等において説明した深さ優先でノードとリーフとをスキャンしたビット列であってもよい。
【０５２７】
以下、ロケーション符号化について説明する。ロケーション符号を用いることで８分木構造における重要な部分を直接的に復号することがきる。また、深層にある重要三次元点を効率的に符号化できる。
【０５２８】
図７１は、ロケーション符号化を説明するための図であり、４分木構造の一例を示す図である。図７１に示す例では、４分木構造により三次元点Ａ〜Ｉが表される。また、三次元点Ａ及びＣが重要領域に含まれる重要三次元点である。
【０５２９】
図７２は、図７１に示す４分木構造における重要三次元点Ａ及びＣを表すオキュパンシー符号及びロケーション符号を示す図である。
【０５３０】
ロケーション符号化では、木構造において、符号化対象の三次元点である対象三次元点が属するリーフに至るまでの経路に存在するノードのインデックスと、リーフのインデックスとを符号化する。ここで、インデックスとは、各ノード及びリーフに割り当てる数値である。言い換えると、インデックスとは、対象ノードの複数の子ノードを識別するための識別子である。図７１に示すように４分木の場合には、インデックスは０〜３のいずれかを示す。
【０５３１】
例えば、図７１に示す４分木構造では、リーフＡが対象三次元点である場合、リーフＡは０→２→１→０→１→２→１と表現される。ここで、各インデックスの最大値が右図の場合４（２ｂｉｔで表現可）であるため、リーフＡのロケーション符号に必要なビット数は７×２ｂｉｔ＝１４ｂｉｔである。リーフＣが符号化対象の場合も同様に必要ビット数は１４ｂｉｔである。なお、８分木の場合は、各インデックスの最大値は８（３ｂｉｔで表現可）であるため、３ｂｉｔ×リーフの深さで必要ビット数を算出できる。なお、三次元データ符号化装置は、各インデックスをバイナリ化後、エントロピー符号化してデータ量を削減してもよい。
【０５３２】
また、図７２に示すように、オキュパンシー符号では、リーフＡ及びＣを復号するためには、その上層の全てのノードを復号する必要がある。一方で、ロケーション符号ではリーフＡ及びＣのデータのみを復号できる。これにより、図７２に示すように、ロケーション符号を用いることでオキュパンシー符号に比べて、ビット数を削減できる。
【０５３３】
また、図７２に示すように、ロケーション符号の一部又は全てに対して、ＬＺ７７等の辞書式圧縮を行うことで、さらに、符号量を削減できる。
【０５３４】
次に、ＬｉＤＡＲで得られた三次元点（ポイントクラウド）に対してロケーション符号化を適用する例を説明する。図７３は、ＬｉＤＡＲで得られた三次元点の例を示す図である。ＬｉＤＡＲで得られた三次元点は、疎である。つまり、この三次元点をオキュパンシー符号で表した場合、値ゼロの数が多くなる。また、この三次元点には、高い三次元精度が要求される。つまり、８分木構造の階層が深くなる。
【０５３５】
図７４は、このような疎な深い８分木構造の例を示す図である。図７４に示す８分木構造のオキュパンシー符号は１３６ビット（＝８ビット×１７ノード）である。また、深さが６であり、三次元点が６個存在するので、ロケーション符号は、３ビット×６×６＝１０８ビットである。つまり、ロケーション符号はオキュパンシー符号に対して、２０％の符号量の削減が可能である。このように、疎な深い８分木構造に対してロケーション符号化を適用することで符号量を低減できる。
【０５３６】
以下、オキュパンシー符号とロケーション符号との符号量について説明する。８分木構造の深さが１０である場合、三次元点の最大数は、８１０＝１０７３７４１８２４個である。また、８分木構造のオキュパンシー符号のビット数Ｌｏは、以下で表される。
【０５３７】
Ｌｏ＝８＋８２＋・・・＋８１０＝１２７１３３５１２ビット
【０５３８】
よって、１三次元点当たりのビット数は、１．１４３ビットである。なお、オキュパンシー符号では、このビット数は、８分木構造に含まれる三次元点の数が変化しても変化しない。
【０５３９】
一方、ロケーション符号では、１三次元点当たりのビット数は、８分木構造の深さに直接影響される。具体的には、１三次元点当たりのロケーション符号のビット数は、３ビット×深さ１０＝３０ビットである。
【０５４０】
よって、８分木構造のロケーション符号のビット数Ｌｌは、以下で表される。
【０５４１】
Ｌｌ＝３０×Ｎ
【０５４２】
ここでＮは、８分木構造に含まれる三次元点の数である。
【０５４３】
よって、Ｎ＜Ｌｏ／３０＝４０９０４４５０．４の場合、つまり、三次元点の数が４０９０４４５０個より少ない場合、ロケーション符号の符号量がオキュパンシー符号の符号量より少なくなる（Ｌｌ＜Ｌｏ）。
【０５４４】
このように、三次元点が少ない場合には、オキュパンシー符号の符号量よりロケーション符号の符号量が少なくなり、三次元点が多い場合には、オキュパンシー符号の符号量よりロケーション符号の符号量が多くなる。
【０５４５】
よって、三次元データ符号化装置は、入力された三次元点の数に応じて、ロケーション符号化とオキュパンシー符号化とのいずれを用いるかを切り替えてもよい。この場合、三次元データ符号化装置は、ロケーション符号化とオキュパンシー符号化とのどちらで符号化を行ったかを示す情報をビットストリームのヘッダ情報等に付加してもよい。
【０５４６】
以下、ロケーション符号化とオキュパンシー符号化とを組み合わせた混合符号化について説明する。密な重要領域を符号化する場合には、ロケーション符号化とオキュパンシー符号化とを組み合わせた混合符号化が有効である。図７５は、この例を示す図である。図７５に示す例では、重要三次元点が密に配置されている。この場合、三次元テータ符号化装置は、深さの浅い上層についてはロケーション符号化を行い、下層についてはオキュパンシー符号化を用いる。具体的には、最深共通ノードまではロケーション符号化が用いられ、最深共通ノードより深層ではオキュパンシー符号化が用いられる。ここで、最深共通ノードとは、複数の重要三次元点の共通の先祖となるノードのうち、最も深層のノードである。
【０５４７】
次に、圧縮効率を優先した混合符号化について説明する。三次元データ符号化装置は、８分木の符号化において予め定められたルールに従い、ロケーション符号化とオキュパンシー符号化とを切り替えてもよい。
【０５４８】
図７６は、このルールの一例を示す図である。まず、三次元データ符号化装置は、各レベル（深さ）における三次元点が含まれるノードの割合を確認する。当該割合が予め定められた閾値より高い場合、三次元データ符号化装置は、対象レベルの上層のいくつかのノードをオキュパンシー符号化する。例えば、三次元データ符号化装置は、対象レベルから最深共通ノードまでのレベルにオキュパンシー符号化を適用する。
【０５４９】
例えば、図７６に示す例では、第３レベルにける三次元点が含まれるノードの割合が閾値より高い。よって、三次元データ符号化装置は、当該第３レベルから最深共通ノードまでの第２レベル及び第３レベルに対してオキュパンシー符号化を適用し、それ以外の第１レベル及び第４レベルに対してはロケーション符号化を適用する。
【０５５０】
上記閾値の算出方法について説明する。８分木構造の１層には、１個のルートノードと８個の子ノードとが存在する。よって、オキュパンシー符号化では、８分木構造の１層を符号化するために８ビットが必要である。一方、ロケーション符号化では、三次元点が含まれる子ノード毎に３ビットが必要である。よって、三次元点が含まれるノードの数が２より大きい場合、オキュパンシー符号化がロケーション符号化より効果的である。つまり、このケースでは、閾値は２である。
【０５５１】
以下、上述したロケーション符号化、オキュパンシー符号化又は混合符号化により生成されるビットストリームの構成例を説明する。
【０５５２】
図７７は、ロケーション符号化により生成されるビットストリームの一例を示す図である。図７７に示すようにロケーション符号化により生成されるビットストリームは、ヘッダと、複数のロケーション符号とを含む。各ロケーション符号化は、１つの三次元点に対する。
【０５５３】
この構成により、三次元データ復号装置は、複数の三次元点を個別に高精度に復号できる。なお、図７７は４分木構造の場合のビットストリームの例を示す。８分木構造の場合には、各インデックスは０〜７の値をとり得る。
【０５５４】
また、三次元データ符号化装置は、１つの三次元点を表すインデックスの列をバイナリ化したうえでエントリピー符号化してもよい。例えば、インデックスの列が０１２１の場合、三次元データ符号化装置は、０１２１を０００１１００１にバイナリ化し、このビット列に算術符号化を行ってもよい。
【０５５５】
図７８は、重要三次元点を含む場合の混合符号化により生成されるビットストリームの一例を示す図である。図７８に示すように、上層のロケーション符号と、下層の重要三次元点のオキュパンシー符号と、下層の重要三次元点以外の非重要三次元点のオキュパンシー符号とがこの順に配置される。なお、図７８に示すロケーション符号長は、その後に続くロケーション符号の符号量を表す。また、オキュパンシー符号量は、その後に続くオキュパンシー符号の符号量を表す。
【０５５６】
この構成により、三次元データ復号装置は、アプリケーションに応じて異なる復号計画を選択することができる。
【０５５７】
また、重要三次元点の符号化データは、ビットスリームの先頭付近に格納され、重要領域に含まれない非重要三次元点の符号化データは重要三次元点の符号化データの後に格納される。
【０５５８】
図７９は、図７８に示す重要三次元点のオキュパンシー符号により表される木構造を示す図である。図８０は、図７８に示す非重要三次元点のオキュパンシー符号により表される木構造を示す図である。図７９に示すように、重要三次元点のオキュパンシー符号においては、非重要三次元点に関する情報は除外されている。具体的には、深さ５のノード０及びノード３には、重要三次元点が含まれないため、ノード０及びノード３には三次元点が含まれないことを示す値０が割り当てられる。
【０５５９】
一方、図８０に示すように、非重要三次元点のオキュパンシー符号においては、重要三次元点に関する情報は除外されている。具体的には、深さ５のノード１には、非重要三次元点が含まれないため、ノード１には三次元点が含まれないことを示す値０が割り当てられる。
【０５６０】
このように、三次元データ符号化装置は、元の木構造を、重要三次元点を含む第１木構造と、非重要三次元点を含む第２木構造とに分割し、第１木構造と第２木構造とを独立してオキュパンシー符号化する。これにより、三次元データ復号装置は、重要三次元点を優先して復号することができる。
【０５６１】
次に、効率を重視した混合符号化により生成されるビットストリームの構成例を説明する。図８１は、効率を重視した混合符号化により生成されるビットストリームの構成例を示す図である。図８１に示すように、サブツリー毎に、サブツリールートロケーションと、オキュパンシー符号量と、オキュパンシー符号とがこの順に配置される。図８１に示すサブツリーロケーションは、サブツリーのルートのロケーション符号である。
【０５６２】
上記の構成において、８木構造にロケーション符号化、及びオキュパンシー符号化のうち一方のみが適用される場合には、以下が成り立つ。
【０５６３】
サブツリーのルートのロケーション符号化の長さがが、８分木構造の深さと等しい場合には、サブツリーは子ノードを有さない。つまり、木構造の全てにロケーション符号化が適用されている。
【０５６４】
サブツリーのルートが８分木構造のルートと等しい場合、木構造の全てにオキュパンシー符号化が適用されている。
【０５６５】
例えば、上記のルールに基づき、三次元データ復号装置は、ビットストリームにロケーション符号が含まれるかオキュパンシー符号化が含まれるかを判別できる。
【０５６６】
また、ビットストリームは、ロケーション符号化、オキュパンシー符号化、及び混合符号化のいずれが用いられているかを示す符号化モード情報を含んでもよい。図８２は、この場合のビットストリームの例を示す図である。例えば、図８２に示すように、ビットストリームに、符号化モードを示す２ビットの符号化モード情報が付加される。
【０５６７】
なお、（１）ロケーション符号化における「三次元点数」は、その後に続く、三次元点の数を表す。また、（２）オキュパンシー符号化における「オキュパンシー符号量」は、その後に続くオキュパンシー符号の符号量を表す。また、（３）混合符号化（重要三次元点）における「重要サブツリー数」は重要三次元点を含むサブツリーの数を表す。また、（４）混合符号化（効率重視）における「オキュパンシーサブツリー数」はオキュパンシー符号化されたサブツリーの数を表す。
【０５６８】
次に、オキュパンシー符号化とロケーション符号化との適用を切り替えるために用いるシンタックス例について説明する。図８３は、このシンタックス例を示す図である。
【０５６９】
図８３に示すｉｓｌｅａｆは、対象ノードがリーフであるか否かを示すフラグである。ｉｓｌｅａｆ＝１は、対象ノードがリーフであることを示し、ｉｓｌｅａｆ＝０は、対象ノードがリーフでなくノードであることを示す。
【０５７０】
対象ノードがリーフである場合に、ビットストリームにｐｏｉｎｔ＿ｆｌａｇが付加される。ｐｏｉｎｔ＿ｆｌａｇは、対象ノード（リーフ）が三次元点を含むか否かを示すフラグである。ｐｏｉｎｔ＿ｆｌａｇ＝１は、対象ノードが三次元点を含むことを示し、ｐｏｉｎｔ＿ｆｌａｇ＝０は、対象ノードが三次元点を含まないことを示す。
【０５７１】
対象ノードがリーフでない場合、ビットストリームにｃｏｄｉｎｇ＿ｔｙｐｅが付加される。ｃｏｄｉｎｇ＿ｔｙｐｅは、適用されている符号化タイプを示す符号化タイプ情報である。ｃｏｄｉｎｇ＿ｔｙｐｅ＝００は、ロケーション符号化が適用されていることを示し、ｃｏｄｉｎｇ＿ｔｙｐｅ＝０１は、オキュパンシー符号化が適用されていることを示し、ｃｏｄｉｎｇ＿ｔｙｐｅ＝１０又は１１は、他の符号化方式などが適用されていることを示す。
【０５７２】
符号化タイプがロケーション符号化である場合、ビットストリームに、ｎｕｍＰｏｉｎｔと、ｎｕｍ＿ｉｄｘ［ｉ］と、ｉｄｘ［ｉ］［ｊ］とが付加される。
【０５７３】
ｎｕｍＰｏｉｎｔは、ロケーション符号化を行う三次元点の数を示す。ｎｕｍ＿ｉｄｘ［ｉ］は、対象ノードから三次元点ｉまでのインデックスの数（深さ）を示す。ロケーション符号化を行う三次元点が全て同じ深さにある場合は、ｎｕｍ＿ｉｄｘ［ｉ］は全て同じ値になる。よって、図８３に示す、ｆｏｒ文（ｆｏｒ  （ｉ＝０；ｉ＜ｎｕｍＰｏｉｎｔ；ｉ＋＋）｛）の前に、共通の値としてｎｕｍ＿ｉｄｘを定義してもよい。
【０５７４】
ｉｄｘ［ｉ］［ｊ］は、対象ノードから三次元点ｉまでのインデックスのうちｊ番目のインデックスの値を示す。８分木の場合、ｉｄｘ［ｉ］［ｊ］のビット数は３ビットである。
【０５７５】
なお、上述したように、インデックスとは、対象ノードの複数の子ノードを識別するための識別子である。８分木の場合、ｉｄｘ［ｉ］［ｊ］は、０〜７のいずれかを示す。また、８分木の場合には、８個の子ノードが存在し、各子ノードは、対象ノードに対応する対象ブロックを空間的に８分割することで得られる８個のサブブロックの各々に対応する。よって、ｉｄｘ［ｉ］［ｊ］は、子ノードに対応するサブブロックの三次元位置を示す情報であってもよい。例えば、ｉｄｘ［ｉ］［ｊ］は、サブブロックのｘ、ｙ、ｚの各々の位置を示す各１ビットの情報を含む合計３ビット情報であってもよい。
【０５７６】
符号化タイプがオキュパンシー符号化である場合、ビットストリームに、ｏｃｃｕｐａｎｃｙ＿ｃｏｄｅが付加される。ｏｃｃｕｐａｎｃｙ＿ｃｏｄｅは、対象ノードのオキュパンシー符号である。８分木の場合、ｏｃｃｕｐａｎｃｙ＿ｃｏｄｅは、例えばビット列「００１０１０００」などの８ビットのビット列である。
【０５７７】
ｏｃｃｕｐａｎｃｙ＿ｃｏｄｅの（ｉ＋１）ビット目の値が１の場合、子ノードの処理へ移行する。つまり、子ノードが次の対象ノードに設定され、再帰的にビット列が生成される。
【０５７８】
本実施の形態では、リーフ情報（ｉｓｌｅａｆ、ｐｏｉｎｔ＿ｆｌａｇ）をビットストリームに付加することで、８分木の末端を表す例を示したが、必ずしもこれに限らない。例えば、三次元データ符号化装置は、オキュパンシー符号の開始ノード（ルート）から三次元点が存在する末端（リーフ）までの最大深度（ｄｅｐｔｈ）を、開始ノードのヘッダ部に付加してもよい。そして、三次元データ符号化装置は、開始ノードから深度を増やしながら再帰的に子ノードの情報をビット列化し、深度が最大深度になった時点でリーフに到達したと判定してもよい。また、三次元データ符号化装置は、最大深度を示す情報を、ｃｏｄｉｎｇ  ｔｙｐｅがオキュパンシー符号化になった最初のノードに付加してもよいし、８分木の開始ノード（ルート）に付加してもよい。
【０５７９】
上記のように、三次元データ符号化装置は、各ノードのヘッダ情報として、オキュパンシー符号化とロケーション符号化とを切り替えるための情報をビットストリームに付加してもよい。
【０５８０】
また、三次元データ符号化装置は、上記方法で生成された各ノードのｃｏｄｉｎｇ＿ｔｙｐｅ、ｎｕｍＰｏｉｎｔ、ｎｕｍ＿ｉｄｘ、ｉｄｘ、ｏｃｃｕｐａｎｃｙ＿ｃｏｄｅを、エントロピー符号化してもよい。例えば、三次元データ符号化装置は、各値を２値化したうえで算術符号化する。
【０５８１】
また、上記シンタックスでは、オキュパンシー符号として８分木構造の深さ優先のビット列が用いられる場合を例示したが、必ずしもこれに限らない。三次元データ符号化装置は、オキュパンシー符号として８分木構造の幅優先のビット列を用いてもよい。三次元データ符号化装置は、幅優先のビット列を用いる場合にも各ノードのヘッダ情報としてオキュパンシー符号化とロケーション符号化とを切り替えるための情報をビットストリームに付加してもよい。
【０５８２】
本実施の形態では、８分木構造を例に示したが、必ずしもこれに限らず、４分木及び１６分木等のＮ分木（Ｎは２以上の整数）、又は、その他の木構造に対して、上記手法を適用してもよい。
【０５８３】
以下、オキュパンシー符号化とロケーション符号化との適用を切り替える符号化処理のフロー例を説明する。図８４は、本実施の形態に係る符号化処理のフローチャートである。
【０５８４】
まず、三次元データ符号化装置は、三次元データに含まれる複数の三次元点を８分木構造で表現する（Ｓ１６０１）。次に、三次元データ符号化装置は、８分木構造におけるルートを対象ノードに設定する（Ｓ１６０２）。次に、三次元データ符号化装置は、対象ノードに対するノード符号化処理を行うことで、８分木構造のビット列を生成する（Ｓ１６０３）。次に、三次元データ符号化装置は、生成されたビット列をエントロピー符号化することでビットストリームを生成する（Ｓ１６０４）。
【０５８５】
図８５は、ノード符号化処理（Ｓ１６０３）のフローチャートである。まず、三次元データ符号化装置は、対象ノードがリーフであるか否かを判定する（Ｓ１６１１）。対象ノードがリーフでない場合（Ｓ１６１１でＮｏ）、三次元データ符号化装置は、リーフフラグ（ｉｓｌｅａｆ）を０に設定し、当該リーフフラグをビット列に付加する（Ｓ１６１２）。
【０５８６】
次に、三次元データ符号化装置は、三次元点を含む子ノードの数が、予め定められた閾値より多いかを判定する（Ｓ１６１３）。なお、三次元データ符号化装置は、この閾値をビット列に付加してもよい。
【０５８７】
三次元点を含む子ノードの数が、予め定められた閾値より多い場合（Ｓ１６１３でＹｅｓ）、三次元データ符号化装置は、符号化タイプ（ｃｏｄｉｎｇ＿ｔｙｐｅ）をオキュパンシー符号化に設定し、当該符号化タイプをビット列に付加する（Ｓ１６１４）。
【０５８８】
次に、三次元データ符号化装置は、オキュパンシー符号化情報を設定し、当該オキュパンシー符号化情報をビット列に付加する。具体的には、三次元データ符号化装置は、対象ノードのオキュパンシー符号を生成し、当該オキュパンシー符号をビット列に付加する（Ｓ１６１５）。
【０５８９】
次に、三次元データ符号化装置は、オキュパンシー符号に従って、次の対象ノードを設定する（Ｓ１６１６）。具体的には、三次元データ符号化装置は、オキュパンシー符号が「１」である未処理の子ノードから次の対象ノードに設定する。
【０５９０】
次に、三次元データ符号化装置は、新たに設定した対象ノードに対してノード符号化処理を行う（Ｓ１６１７）。つまり、新たに設定した対象ノードに対して図８５に示す処理が行われる。
【０５９１】
全ての子ノードの処理が完了していない場合（Ｓ１６１８でＮｏ）、ステップＳ１６１６以降の処理が再度行われる。一方、全ての子ノードの処理が完了した場合（Ｓ１６１８でＹｅｓ）、三次元データ符号化装置は、ノード符号化処理を終了する。
【０５９２】
また、ステップＳ１６１３において、三次元点を含む子ノードの数が、予め定められた閾値以下である場合（Ｓ１６１３でＮｏ）、三次元データ符号化装置は、符号化タイプをロケーション符号化に設定し、当該符号化タイプをビット列に付加する（Ｓ１６１９）。
【０５９３】
次に、三次元データ符号化装置は、ロケーション符号化情報を設定し、当該ロケーション符号化情報をビット列に付加する。具体的には、三次元データ符号化装置は、ロケーション符号を生成し、当該ロケーション符号化をビット列に付加する（Ｓ１６２０）。ロケーション符号は、ｎｕｍＰｏｉｎｔ、ｎｕｍ＿ｉｄｘ及びｉｄｘを含む。
【０５９４】
また、ステップＳ１６１１において、対象ノードがリーフである場合（Ｓ１６１１でＹｅｓ）、三次元データ符号化装置は、リーフフラグを１に設定し、当該リーフフラグをビット列に付加する（Ｓ１６２１）。また、三次元データ符号化装置は、リーフが三次元点を含むか否かを示す情報であるポイントフラグ（ｐｏｉｎｔ＿ｆｌａｇ）を設定し、当該ポイントフラグをビット列に付加する（Ｓ１６２２）。
【０５９５】
次に、オキュパンシー符号化とロケーション符号化との適用を切り替える復号処理のフロー例を説明する。図８５は、本実施の形態に係る復号処理のフローチャートである。
【０５９６】
三次元データ復号装置は、ビットストリームをエントロピー復号することでビット列を生成する（Ｓ１６３１）。次に、三次元データ復号装置は、得られたビット列にノード復号処理を行うことで８分木構造を復元する（Ｓ１６３２）。次に、三次元データ復号装置は、復元した８分木構造から三次元点を生成する（Ｓ１６３３）。
【０５９７】
図８７は、ノード復号処理（Ｓ１６３２）のフローチャートである。まず、三次元データ復号装置は、ビット列からリーフフラグ（ｉｓｌｅａｆ）を取得（復号）する（Ｓ１６４１）。次に、三次元データ復号装置は、リーフフラグに基づき対象ノードがリーフであるか否かを判定する（Ｓ１６４２）。
【０５９８】
対象ノードがリーフでない場合（Ｓ１６４２でＮｏ）、三次元データ復号装置は、ビット列から符号化タイプ（ｃｏｄｉｎｇ＿ｔｙｐｅ）を取得する（Ｓ１６４３）。三次元データ復号装置は、符号化タイプがオキュパンシー符号化であるか否かを判定する（Ｓ１６４４）。
【０５９９】
符号化タイプがオキュパンシー符号化である場合（Ｓ１６４４でＹｅｓ）、三次元データ復号装置は、ビット列からオキュパンシー符号化情報を取得する。具体的には、三次元データ復号装置は、ビット列からオキュパンシー符号を取得する（Ｓ１６４５）。
【０６００】
次に、三次元データ復号装置は、オキュパンシー符号に従って、次の対象ノードを設定する（Ｓ１６４６）。具体的には、三次元データ復号装置は、オキュパンシー符号が「１」である未処理の子ノードから次の対象ノードに設定する。
【０６０１】
次に、三次元データ復号装置は、新たに設定した対象ノードに対してノード復号処理を行う（Ｓ１６４７）。つまり、新たに設定した対象ノードに対して図８７に示す処理が行われる。
【０６０２】
全ての子ノードの処理が完了していない場合（Ｓ１６４８でＮｏ）、ステップＳ１６４６以降の処理が再度行われる。一方、全ての子ノードの処理が完了した場合（Ｓ１６４８でＹｅｓ）、三次元データ復号装置は、ノード復号処理を終了する。
【０６０３】
また、ステップＳ１６４４において符号化タイプがロケーション符号化である場合（Ｓ１６４４でＮｏ）、三次元データ復号装置は、ビット列からロケーション符号化情報を取得する。具体的には、三次元データ復号装置は、ビット列からロケーション符号を取得する（Ｓ１６４９）。ロケーション符号は、ｎｕｍＰｏｉｎｔ、ｎｕｍ＿ｉｄｘ及びｉｄｘを含む。
【０６０４】
また、ステップＳ１６４２において対象ノードがリーフである場合（Ｓ１６４２でＹｅｓ）、三次元データ復号装置は、ビット列から、リーフが三次元点を含むか否かを示す情報であるポイントフラグ（ｐｏｉｎｔ＿ｆｌａｇ）を取得する（Ｓ１６５０）。
【０６０５】
なお、本実施の形態では符号化タイプをノード毎に切り替える例を示したが、必ずしもこれに限らない。符号化タイプは、ボリューム、スペース又はワールド単位で固定されてもよい。その場合、三次元データ符号化装置は、符号化タイプ情報を、ボリューム、スペース又はワールドのヘッダ情報に付加してもよい。
【０６０６】
以上のように、本実施の形態に係る三次元データ符号化装置は、三次元データに含まれる複数の三次元点のＮ（Ｎは２以上の整数）分木構造を第１方式（ロケーション符号化）で表す第１情報を生成し、第１情報を含むビットストリームを生成する。第１情報は、複数の三次元点の各々に対応する三次元点情報（ロケーション符号）を含む。各三次元点情報は、Ｎ分木構造における複数の層の各々に対応するインデックス（ｉｄｘ）を含む。各インデックスは、対応する層に属するＮ個のサブブロックのうち、対応する三次元点が属するサブブロックを示す。
【０６０７】
言い換えると、各三次元点情報は、Ｎ分木構造において、対応する三次元点までの経路を示す。各インデックスは、対応する層（ノード）に属するＮ個の子ノードのうち、上記経路に含まれる子ノードを示す。
【０６０８】
これによれば、当該三次元データ符号化方法は、三次元点を選択的に復号可能なビットストリームを生成できる。
【０６０９】
例えば、三次元点情報（ロケーション符号）は、当該三次元点情報に含まれるインデックスの数を示す情報（ｎｕｍ＿ｉｄｘ）を含む。言い換えると、当該情報は、Ｎ分木構造における、対応する三次元点までの深さ（層数）を示す。
【０６１０】
例えば、第１情報は、当該第１情報に含まれる三次元点情報の数を示す情報（ｎｕｍＰｏｉｎｔ）を含む。言い換えると、当該情報は、Ｎ分木構造に含まれる三次元点の数を示す。
【０６１１】
例えば、Ｎは８であり、インデックスは３ビットである。
【０６１２】
例えば、三次元データ符号化装置は、第１情報を生成する第１符号化モードと、Ｎ分木構造を第２方式（オキュパンシー符号化）で表す第２情報（オキュパンシー符号）を生成し、第２情報を含むビットストリームを生成する第２符号化モードとを有する。第２情報は、Ｎ分木構造における複数の層に属する複数のサブブロックの各々に対応し、対応するサブブロックに三次元点が存在するか否かを示す１ビットの情報を複数含む。
【０６１３】
例えば、三次元データ符号化装置は、複数の三次元点の数が予め定められた閾値以下の場合、第１符号化モードを用い、複数の三次元点の数が閾値より多い場合、第２符号化モードを用いる。これによれば、当該三次元データ符号化装置は、ビットストリームの符号量を低減できる。
【０６１４】
例えば、第１情報及び第２情報は、当該情報がＮ分木構造を第１方式で表す情報であるか、第２方式で表す情報であるかを示す情報（符号化モード情報）を含む。
【０６１５】
例えば、三次元データ符号化装置は、図７５等に示すように、Ｎ分木構造の一部に第１符号化モードを用い、Ｎ分木構造の他の一部に第２符号化モードを用いる。
【０６１６】
例えば、三次元データ符号化装置は、プロセッサと、メモリとを備え、プロセッサは、メモリを用いて、上記の処理を行う。
【０６１７】
また、本実施の形態に係る三次元データ復号装置は、ビットストリームから、三次元データに含まれる複数の三次元点のＮ（Ｎは２以上の整数）分木構造を第１方式（ロケーション符号化）で表す第１情報（ロケーション符号）を取得する。第１情報は、複数の三次元点の各々に対応する三次元点情報（ロケーション符号）を含む。各三次元点情報は、Ｎ分木構造における複数の層の各々に対応するインデックス（ｉｄｘ）を含む。各インデックスは、対応する層に属するＮ個のサブブロックのうち、対応する三次元点が属するサブブロックを示す。
【０６１８】
言い換えると、各三次元点情報は、Ｎ分木構造において、対応する三次元点までの経路を示す。各インデックスは、対応する層（ノード）に属するＮ個の子ノードのうち、上記経路に含まれる子ノードを示す。
【０６１９】
三次元データ復号装置は、さらに、三次元点情報を用いて、当該三次元点情報に対応する三次元点を復元する。
【０６２０】
これによれば、当該三次元データ復号装置は、ビットストリームから三次元点を選択的に復号できる。
【０６２１】
例えば、三次元点情報（ロケーション符号）は、当該三次元点情報に含まれるインデックスの数を示す情報（ｎｕｍ＿ｉｄｘ）を含む。言い換えると、当該情報は、Ｎ分木構造における、対応する三次元点までの深さ（層数）を示す。
【０６２２】
例えば、第１情報は、当該第１情報に含まれる三次元点情報の数を示す情報（ｎｕｍＰｏｉｎｔ）を含む。言い換えると、当該情報は、Ｎ分木構造に含まれる三次元点の数を示す。
【０６２３】
例えば、Ｎは８であり、インデックスは３ビットである。
【０６２４】
例えば、三次元データ復号装置は、さらに、ビットストリームから、Ｎ分木構造を第２方式（オキュパンシー符号化）で表す第２情報（オキュパンシー符号）を取得する。三次元データ復号装置は、第２情報を用いて、複数の三次元点を復元する。第２情報は、Ｎ分木構造における複数の層に属する複数のサブブロックの各々に対応し、対応するサブブロックに三次元点が存在するか否かを示す１ビットの情報を複数含む。
【０６２５】
例えば、第１情報及び第２情報は、当該情報がＮ分木構造を第１方式で表す情報であるか、第２方式で表す情報であるかを示す情報（符号化モード情報）を含む。
【０６２６】
例えば、図７５等に示すように、Ｎ分木構造の一部は第１方式で表され、Ｎ分木構造の他の一部は第２方式で表される。
【０６２７】
例えば、三次元データ復号装置は、プロセッサと、メモリとを備え、プロセッサは、メモリを用いて、上記の処理を行う。
【０６２８】
（実施の形態１０）
本実施の形態では、８分木構造等の木構造の符号化方法の別の例について説明する。図８８は、本実施の形態に係る木構造の一例を示す図である。なお、図８８は、４分木構造の例を示す。
【０６２９】
三次元点が含まれるリーフを有効リーフと呼び、三次元点が含まれないリーフを無効リーフと呼ぶ。有効リーフの数が閾値以上である枝（ｂｒａｎｃｈ）を密な枝（ｄｅｎｓｅ  ｂｒａｎｃｈ）と呼ぶ。有効リーフの数が閾値より小さい枝を疎な枝（ｓｐａｒｓｅ  ｂｒａｎｃｈ）と呼ぶ。
【０６３０】
三次元データ符号化装置は、木構造のある層（レイヤ）において、各枝に含まれる三次元点の数（つまり有効リーフの数）を算出する。図８８は、閾値が５である場合の例を表す。この例では、層１に２つの枝が存在する。左側の枝には７個の三次元点が含まれるため、左側の枝は密な枝と判定される。右側の枝には２個の三次元点が含まれるため、右側の枝は疎な枝と判定される。
【０６３１】
図８９は、例えば、層５の各枝が持つ有効リーフの数（３Ｄ  ｐｏｉｎｔｓ）の例を表す図である。図８９の横軸は、層５の枝の識別番号であるインデックスを示す。図８９に示すように、特定の枝に、他の枝に比べて明らかに多くの三次元点が含まれる。このような密な枝には、疎な枝に比べて、オキュパンシー符号化がより有効である。
【０６３２】
以下、オキュパンシー符号化とロケーション符号化の適用方法について説明する。図９０は、層５における各枝に含まれる三次元点の数（有効リーフの数）と適用する符号化方式との関係を示す図である。図９０に示すように、三次元データ符号化装置は、密な枝に対してはオキュパンシー符号化を適用し、疎な枝に対してはロケーション符号化を適用する。これにより、符号化効率を向上できる。
【０６３３】
図９１は、ＬｉＤＡＲデータにおける密な枝領域の例を示す図である。図９１に示すように、領域によって、各枝に含まれる三次元点の数から算出される三次元点の密度が異なる。
【０６３４】
また、密な三次元点（枝）と疎な三次元点（枝）とを分離することで以下の利点がある。ＬｉＤＡＲセンサに近いほど三次元点の密度は高くなる。よって、疎密に応じて枝を分離することで、距離方向の区画が可能となる。このような区画は、特定のアプリケーションでは有効である。また、疎な枝に対しては、オキュパンシー符号化以外の手法を用いることが有効である。
【０６３５】
本実施の形態では、三次元データ符号化装置は、入力された三次元点群を２つ以上のサブ三次元点群に分離し、各サブ三次元点群に異なる符号化方法を適用する。
【０６３６】
例えば、三次元データ符号化装置は、入力された三次元点群を密な枝を含むサブ三次元点群Ａ（密な三次元点群：ｄｅｎｓｅ  ｃｌｏｕｄ）と、疎な枝を含むサブ三次元点群Ｂ（疎な三次元点群：ｓｐａｒｓｅ  ｃｌｏｕｄ）とに分離する。図９２は、図８８に示す木構造から分離された、密な枝を含むサブ三次元点群Ａ（密な三次元点群）の例を示す図である。図９３は、図８８に示す木構造から分離された、疎な枝を含むサブ三次元点群Ｂ（疎な三次元点群）の例を示す図である。
【０６３７】
次に、三次元データ符号化装置は、サブ三次元点群Ａをオキュパンシー符号化で符号化し、サブ三次元点群Ｂをロケーション符号化で符号化する。
【０６３８】
なお、ここでは、異なる符号化方法として、異なる符号化方式（オキュパンシー符号化とロケーション符号化）を適用する例を示したが、例えば、三次元データ符号化装置は、サブ三次元点群Ａとサブ三次元点群Ｂとに同じ符号化方式を用い、かつ、サブ三次元点群Ａとサブ三次元点群Ｂとで符号化に用いるパラメータを異ならせてもよい。
【０６３９】
以下、三次元データ符号化装置による三次元データ符号化処理の流れについて説明する。図９４は、本実施の形態に係る三次元データ符号化装置による三次元データ符号化処理のフローチャートである。
【０６４０】
まず、三次元データ符号化装置は、入力された三次元点群を、サブ三次元点群に分離する（Ｓ１７０１）。三次元データ符号化装置は、この分離を自動的に行ってもよいし、ユーザにより入力された情報に基づき行ってもよい。例えば、ユーザによりサブ三次元点群の範囲等が指定されてもよい。また、自動的に行う例としては、例えば、入力データがＬｉＤＡＲデータである場合には、三次元データ符号化装置は、各点群までの距離情報を用いて分離を行う。具体的には、三次元データ符号化装置は、計測地点から一定の範囲内にある点群と範囲外にある点群とを分離する。また、三次元データ符号化装置は、重要なエリアとそうでないエリアといった情報を用いて分離を行ってもよい。
【０６４１】
次に、三次元データ符号化装置は、サブ三次元点群Ａを手法Ａで符号化することで符号化データ（符号化ビットストリーム）を生成する（Ｓ１７０２）。また、三次元データ符号化装置は、サブ三次元点群Ｂを手法Ｂで符号化することで符号化データを生成する（Ｓ１７０３）。なお、三次元データ符号化装置は、サブ三次元点群Ｂを手法Ａで符号化してもよい。この場合、三次元データ符号化装置は、サブ三次元点群Ａの符号化に用いた符号化パラメータとは異なるパラメータを用いてサブ三次元点群Ｂを符号化する。例えば、このパラメータは量子化パラメータであってもよい。例えば、三次元データ符号化装置は、サブ三次元点群Ａの符号化に用いた量子化パラメータよりも大きい量子化パラメータを用いて、サブ三次元点群Ｂを符号化する。この場合、三次元データ符号化装置は、各サブ三次元点群の符号化データのヘッダに当該サブ三次元点群の符号化に用いた量子化パラメータを示す情報を付加してもよい。
【０６４２】
次に、三次元データ符号化装置は、ステップＳ１７０２で得られた符号化データと、ステップＳ１７０３で得られた符号化データとを結合することでビットストリームを生成する（Ｓ１７０４）。
【０６４３】
また、三次元データ符号化装置は、ビットストリームのヘッダ情報として、各サブ三次元点群を復号するための情報を符号化してもよい。例えば、三次元データ符号化装置は、下記のような情報を符号化してもよい。
【０６４４】
ヘッダ情報は、符号化されたサブ三次元点の数を示す情報を含んでもよい。この例では、この情報は２を示す。
【０６４５】
ヘッダ情報は、各サブ三次元点群に含まれる三次元点の数と符号化方法とを示す情報を含んでもよい。この例では、この情報は、サブ三次元点群Ａに含まれる三次元点の数と、サブ三次元点群Ａに適用した符号化方法（手法Ａ）と、サブ三次元点群Ｂに含まれる三次元点の数と、サブ三次元点群Ｂに適用した符号化方法（手法Ｂ）とを示す。
【０６４６】
ヘッダ情報は、各サブ三次元点群の符号化データの開始位置、又は終端位置を識別するための情報を含んでもよい。
【０６４７】
また、三次元データ符号化装置は、サブ三次元点群Ａとサブ三次元点群Ｂとを並列に符号化してもよい。または、三次元データ符号化装置は、サブ三次元点群Ａとサブ三次元点群Ｂと順に符号化してもよい。
【０６４８】
また、サブ三次元点群への分離の方法は、上記に限らない。例えば、三次元データ符号化装置は、分離方法を変化させて、複数の分離方法の各々を用いて符号化を行い、各分離方法を用いて得られた符号化データの符号化効率を算出する。そして、三次元データ符号化装置は、最も符号化効率が高い分離方法を選択する。例えば、三次元データ符号化装置は、複数の層の各々で三次元点群を分離し、それぞれの場合における符号化効率を算出し、最も符号化効率が高くなる分離方法（つまり分離を行う層）を選択し、選択した分離方法でサブ三次元点群を生成して符号化を行ってもよい。
【０６４９】
また、三次元データ符号化装置は、符号化データを結合する際に、重要なサブ三次元点群の符号化情報ほど、ビットストリームの先頭に近い位置に配置してもよい。これにより、三次元データ復号装置は、先頭のビットストリームを復号するだけで重要な情報を取得できるので、重要な情報を早く取得できることが可能となる。
【０６５０】
次に、三次元データ復号装置による三次元データ復号処理の流れについて説明する。図９５は、本実施の形態に係る三次元データ復号装置による三次元データ復号処理のフローチャートである。
【０６５１】
まず、三次元データ復号装置は、例えば、上記三次元データ符号化装置で生成されたビットストリームを取得する。次に、三次元データ復号装置は、取得したビットストリームからサブ三次元点群Ａの符号化データとサブ三次元点群Ｂの符号化データとを分離する（Ｓ１７１１）。具体的には、三次元データ復号装置は、ビットストリームのヘッダ情報から各サブ三次元点群を復号するための情報を復号し、当該情報を用いて各サブ三次元点群の符号化データを分離する。
【０６５２】
次に、三次元データ復号装置は、サブ三次元点群Ａの符号化データを手法Ａで復号することでサブ三次元点群Ａを得る（Ｓ１７１２）。また、三次元データ復号装置は、サブ三次元点群Ｂの符号化データを手法Ｂで復号することでサブ三次元点群Ｂを得る（Ｓ１７１３）。次に、三次元データ復号装置は、サブ三次元点群Ａとサブ三次元点群Ｂとを結合する（Ｓ１７１４）。
【０６５３】
なお、三次元データ復号装置は、サブ三次元点群Ａとサブ三次元点群Ｂとを並列に復号してもよい。または、三次元データ復号装置は、サブ三次元点群Ａとサブ三次元点群Ｂとを順に復号してもよい。
【０６５４】
また、三次元データ復号装置は、必要なサブ三次元点群を復号してもよい。例えば、三次元データ復号装置は、サブ三次元点群Ａを復号し、サブ三次元点群Ｂを復号しなくてもよい。例えば、サブ三次元点群ＡがＬｉＤＡＲデータの重要エリアに含まれる三次元点群である場合、三次元データ復号装置は、その重要エリアの三次元点群を復号する。この重要エリアの三次元点群を用いて車等における自己位置推定などが行われる。
【０６５５】
次に、本実施の形態に係る符号化処理の具体例を説明する。図９６は、本実施の形態に係る三次元データ符号化装置による三次元データ符号化処理のフローチャートである。
【０６５６】
まず、三次元データ符号化装置は、入力された三次元点を疎な三次元点群と密な三次元点群とに分離する（Ｓ１７２１）。具体的には、三次元データ符号化装置は、８分木構造のある層の枝が持つ有効リーフの数をカウントする。三次元データ符号化装置は、各枝の有効リーフ数に応じて、各枝を密な枝又は疎な枝に設定する。そして、三次元データ符号化装置は、密な枝を集めたサブ三次元点群（密な三次元点群）と、疎な枝を集めたサブ三次元点群（疎な三次元点群）とを生成する。
【０６５７】
次に、三次元データ符号化装置は、疎な三次元点群を符号化することで符号化データを生成する（Ｓ１７２２）。例えば、三次元データ符号化装置は、ロケーション符号化を用いて疎な三次元点群を符号化する。
【０６５８】
また、三次元データ符号化装置は、密な三次元点群を符号化することで符号化データを生成する（Ｓ１７２３）。例えば、三次元データ符号化装置は、オキュパンシー符号化を用いて密な三次元点群を符号化する。
【０６５９】
次に、三次元データ符号化装置は、ステップＳ１７２２で得られた疎な三次元点群の符号化データと、ステップＳ１７２３で得られた密な三次元点群の符号化データとを結合することでビットストリームを生成する（Ｓ１７２４）。
【０６６０】
また、三次元データ符号化装置は、ビットストリームのヘッダ情報として、疎な三次元点群と密な三次元点群を復号するための情報を符号化してもよい。例えば、三次元データ符号化装置は、下記のような情報を符号化してもよい。
【０６６１】
ヘッダ情報は、符号化されたサブ三次元点群の数を示す情報を含んでもよい。この例では、この情報は２を示す。
【０６６２】
ヘッダ情報は、各サブ三次元点群に含まれる三次元点の数と符号化方法とを示す情報を含んでもよい。この例では、この情報は、疎な三次元点群に含まれる三次元点の数と、疎な三次元点群に適用した符号化方法（ロケーション符号化）と、密な三次元点群に含まれる三次元点の数と、密な三次元点群に適用した符号化方法（オキュパンシー符号化）とを示す。
【０６６３】
ヘッダ情報は、各サブ三次元点群の符号化データの開始位置、又は終端位置を識別するための情報を含んでもよい。この例では、この情報は、疎な三次元点群の符号化データの開始位置及び終端位置、並びに、密な三次元点群の符号化データの開始位置及び終端位置のすくなくとも一つを示す。
【０６６４】
また、三次元データ符号化装置は、疎な三次元点群と密な三次元点群とを並列に符号化してもよい。または、三次元データ符号化装置は、疎な三次元点群と密な三次元点群とを順に符号化してもよい。
【０６６５】
次に、三次元データ復号処理の具体例について説明する。図９７は、本実施の形態に係る三次元データ復号装置による三次元データ復号処理のフローチャートである。
【０６６６】
まず、三次元データ復号装置は、例えば、上記三次元データ符号化装置で生成されたビットストリームを取得する。次に、三次元データ復号装置は、取得したビットストリームから疎な三次元点群の符号化データと密な三次元点群の符号化データとに分離する（Ｓ１７３１）。具体的には、三次元データ復号装置は、ビットストリームのヘッダ情報から各サブ三次元点群を復号するための情報を復号し、当該情報を用いて各サブ三次元点群の符号化データを分離する。この例では、三次元データ復号装置は、ビットストリームから疎な三次元点群と密な三次元点群の符号化データをヘッダ情報を用いて分離する。
【０６６７】
次に、三次元データ復号装置は、疎な三次元点群の符号化データを復号することで疎な三次元点群を得る（Ｓ１７３２）。例えば、三次元データ復号装置は、ロケーション符号化された符号化データを復号するためのロケーション復号を用いて疎な三次元点群を復号する。
【０６６８】
また、三次元データ復号装置は、密な三次元点群の符号化データを復号することで密な三次元点群を得る（Ｓ１７３３）。例えば、三次元データ復号装置は、オキュパンシー符号化された符号化データを復号するためのオキュパンシー復号を用いて密な三次元点群を復号する。
【０６６９】
次に、三次元データ復号装置は、ステップＳ１７３２で得られた疎な三次元点群と、ステップＳ１７３３で得られた密な三次元点群とを結合する（Ｓ１７３４）。
【０６７０】
なお、三次元データ復号装置は、疎な三次元点群と密な三次元点群とを並列に復号してもよい。または、三次元データ復号装置は、疎な三次元点群と密な三次元点群とを順に復号してもよい。
【０６７１】
また、三次元データ復号装置は、一部の必要なサブ三次元点群を復号してもよい。例えば、三次元データ復号装置は、密な三次元点群を復号し、疎な三次元データを復号しなくてもよい。例えば、密な三次元点群がＬｉＤＡＲデータの重要エリアに含まれる三次元点群である場合、三次元データ復号装置は、その重要エリアの三次元点群を復号する。この重要エリアの三次元点群を用いて車等における自己位置推定などが行われる。
【０６７２】
図９８は、本実施の形態に係る符号化処理のフローチャートである。まず、三次元データ符号化装置は、入力された三次元点群を疎な三次元点群と密な三次元点群とに分離することで、疎な三次元点群と密な三次元点群を生成する（Ｓ１７４１）。
【０６７３】
次に、三次元データ符号化装置は、密な三次元点群を符号化することで符号化データを生成する（Ｓ１７４２）。また、三次元データ符号化装置は、疎な三次元点群を符号化することで符号化データを生成する（Ｓ１７４３）。最後に、三次元データ符号化装置は、ステップＳ１７４２で得られた疎な三次元点群の符号化データと、ステップＳ１７４３で得られた密な三次元点群の符号化データとを結合することでビットストリーム生成する（Ｓ１７４４）。
【０６７４】
図９９は、本実施の形態に係る復号処理のフローチャートである。まず、三次元データ復号装置は、ビットスリームから、密な三次元点群の符号化データと疎な三次元点群の符号化データとを抽出する（Ｓ１７５１）。次に、三次元データ復号装置は、密な三次元点群の符号化データを復号することで密な三次元点群の復号データを得る（Ｓ１７５２）。また、三次元データ復号装置は、疎な三次元点群の符号化データを復号することで疎な三次元点群の復号データを得る（Ｓ１７５３）。次に、三次元データ復号装置は、ステップＳ１７５２で得られた密な三次元点群の復号データと、ステップＳ１７５３で得られた疎な三次元点群の復号データとを結合することで三次元点群を生成する（Ｓ１７５４）。
【０６７５】
なお、三次元データ符号化装置及び三次元データ復号装置は、密な三次元点群と疎な三次元点群とのどちらを先に符号化又は復号してもよい。また、複数のプロセッサ等により、並列に符号化処理又は復号処理が行われてもよい。
【０６７６】
また、三次元データ符号化装置は、密な三次元点群と疎な三次元点群との一方を符号化してもよい。例えば、密な三次元点群に重要な情報が含まれる場合、三次元データ符号化装置は、入力された三次元点群から密な三次元点群と疎な三次元点群とを抽出し、密な三次元点群を符号化し、疎な三次元点群を符号化しない。これにより、三次元データ符号化装置は、ビット量を抑制しつつ、重要な情報をストリームに付加することができる。例えば、サーバとクライアントとの間において、サーバにクライアントからクライアント周囲の三次元点群情報の送信要求があった場合、サーバは、クライアント周囲の重要な情報を密な三次元点群として符号化してクライアントに送信する。これにより、サーバは、ネットワーク帯域を抑えつつ、クライアントが要求する情報を送信することができる。
【０６７７】
また、三次元データ復号装置は、密な三次元点群と疎な三次元点群との一方を復号してもよい。例えば、密な三次元点群に重要な情報が含まれる場合、三次元データ復号装置は、密な三次元点群を復号し、疎な三次元点群を復号しない。これにより、三次元データ復号装置は、復号処理の処理負荷を抑えつつ、必要な情報を取得できる。
【０６７８】
図１００は、図９８に示す三次元点の分離処理（Ｓ１７４１）のフローチャートである。まず、三次元データ符号化装置は、層Ｌと閾値ＴＨを設定する（Ｓ１７６１）。なお、三次元データ符号化装置は、設定した層Ｌと閾値ＴＨとを示す情報をビットストリームに付加してもよい。つまり、三次元データ符号化装置は、設定した層Ｌと閾値ＴＨとを示す情報を含むビットストリームを生成してもよい。
【０６７９】
次に、三次元データ符号化装置は、処理対象の位置を、８分木のルートから層Ｌの先頭の枝に移動する。つまり、三次元データ符号化装置は、処理対象の枝として、層Ｌの先頭の枝を選択する（Ｓ１７６２）。
【０６８０】
次に、三次元データ符号化装置は、層Ｌの処理対象の枝の有効リーフ数をカウントする（Ｓ１７６３）。処理対象の枝の有効リーフ数が閾値ＴＨより多い場合（Ｓ１７６４でＹｅｓ）、三次元データ符号化装置は、処理対象の枝を密な枝として密な三次元点群に登録する（Ｓ１７６５）。一方、処理対象の枝の有効リーフ数が閾値ＴＨ以下の場合（Ｓ１７６４でＮｏ）、三次元データ符号化装置は、処理対象の枝を疎な枝として疎な三次元点群に登録する（Ｓ１７６６）。
【０６８１】
層Ｌの全ての枝の処理を完了していない場合（Ｓ１７６７でＮｏ）、三次元データ符号化装置は、処理対象の位置を、層Ｌの次の枝に移動する。つまり、三次元データ符号化装置は、処理対象の枝として、層Ｌの次の枝を選択する（Ｓ１７６８）。そして、三次元データ符号化装置は、選択した次の処理対象の枝に対してステップＳ１７６３以降の処理を行う。
【０６８２】
上記の処理が、層Ｌの全ての枝の処理を完了するまで（Ｓ１７６７でＹｅｓ）、繰り返される。
【０６８３】
なお、上記説明では層Ｌと閾値ＴＨは予め設定されているが、必ずしもこれに限らない。例えば、三次元データ符号化装置は、層Ｌと閾値ＴＨとの組を複数パターン設定し、各組を用いて密な三次元点群と疎な三次元点群を生成し、それぞれを符号化する。三次元データ符号化装置は、複数の組のうち、生成された符号化データの符号化効率が最も高い層Ｌと閾値ＴＨとの組で最終的に密な三次元点群と疎な三次元点群を符号化する。これにより符号化効率を高めることができる。また、三次元データ符号化装置は、例えば、層Ｌ及び閾値ＴＨを算出してもよい。例えば、三次元データ符号化装置は、木構造に含まれる層の最大値の半分の値を層Ｌに設定してもよい。また、三次元データ符号化装置は、木構造に含まれる複数の三次元点の総数の半分の値を閾値ＴＨに設定してもよい。
【０６８４】
また、上記説明では、入力三次元点群を密な三次元点群と疎な三次元点群との２種類に分類する例を述べたが、三次元データ符号化装置は、入力三次元点群をを３種類以上の三次元点群に分類してもよい。例えば、三次元データ符号化装置は、処理対象の枝の有効リーフ数が閾値ＴＨ１以上の場合、処理対象の枝を第１の密な三次元点群に分類し、処理対象の枝の有効リーフ数が第１閾値ＴＨ１未満かつ第２閾値ＴＨ２以上の場合、処理対象の枝を第２の密な三次元点群に分類する。三次元データ符号化装置は、処理対象の枝の有効リーフ数が第２閾値ＴＨ２未満かつ第３閾値ＴＨ３以上の場合、処理対象の枝を第１の疎な三次元点群に分類し、処理対象の枝の有効リーフ数が閾値ＴＨ３未満の場合、処理対象の枝を第２の疎な三次元点群に分類する。
【０６８５】
以下、本実施の形態に係る三次元点群の符号化データのシンタックス例について説明する。図１０１は、このシンタックス例を示す図である。ｐｃ＿ｈｅａｄｅｒ（）は、例えば、入力された複数の三次元点のヘッダ情報である。
【０６８６】
図１０１に示すｎｕｍ＿ｓｕｂ＿ｐｃは、サブ三次元点群の数を示す。ｎｕｍＰｏｉｎｔ［ｉ］は、ｉ番目のサブ三次元点群の中に含まれる三次元点の数を示す。ｃｏｄｉｎｇ＿ｔｙｐｅ［ｉ］は、ｉ番目のサブ三次元点群に適用される符号化タイプ（符号化方式）を示す符号化タイプ情報である。例えば、ｃｏｄｉｎｇ＿ｔｙｐｅ＝００はロケーション符号化が適用されていることを示す。ｃｏｄｉｎｇ＿ｔｙｐｅ＝０１はオキュパンシー符号化が適用されていることを示す。ｃｏｄｉｎｇ＿ｔｙｐｅ＝１０又は１１は、他の符号化方式が適用されていることを示す。
【０６８７】
ｄａｔａ＿ｓｕｂ＿ｃｌｏｕｄ（）は、ｉ番目のサブ三次元点群の符号化データである。ｃｏｄｉｎｇ＿ｔｙｐｅ＿００＿ｄａｔａは、ｃｏｄｉｎｇ＿ｔｙｐｅが００の符号化タイプが適用された符号化データであり、例えばロケーション符号化が適用された符号化データである。ｃｏｄｉｎｇ＿ｔｙｐｅ＿０１＿ｄａｔａは、ｃｏｄｉｎｇ＿ｔｙｐｅが０１の符号化タイプが適用された符号化データであり、例えばオキュパンシー符号化が適用された符号化データである。
【０６８８】
ｅｎｄ＿ｏｆ＿ｄａｔａは、符号化データの終端を示す終端情報である。例えば、このｅｎｄ＿ｏｆ＿ｄａｔａには、符号化データに使用しない固定のビット列が割り当てられる。これにより、三次元データ復号装置は、例えば、ｅｎｄ＿ｏｆ＿ｄａｔａのビット列をビットストリームから探索することで、復号の必要のない符号化データの復号処理をスキップできる。
【０６８９】
なお、三次元データ符号化装置は、上記方法で生成された符号化データをエントロピー符号化してもよい。例えば、三次元データ符号化装置は、各値を２値化したうえで算出符号化する。
【０６９０】
また、本実施の形態では、４分木構造又は８分木構造の例を示したが、必ずしもこれに限らず、２分木、１６分木等のＮ分木（Ｎは２以上の整数）、又は、その他の木構造に対して、上記手法を適用してもよい。
【０６９１】
［変形例］
上記説明では、図９３及び図９４に示すように、密な枝と、その上層（全体の木構造のルートから密な枝のルートに至る木構造）とを含む木構造が符号化され、疎な枝と、その上層（全体の木構造のルートから疎な枝のルートに至る木構造）とを含む木構造が符号化される。本変形例では、三次元データ符号化装置は、密な枝と疎な枝とを分離し、密な枝と疎な枝とを符号化する。つまり、符号化する木構造には、上層の木構造は含まれない。例えば、三次元データ符号化装置は、密な枝にオキュパンシー符号化を適用し、疎な枝にロケーション符号化を適用する。
【０６９２】
図１０２は、図８８に示す木構造から分離された、密な枝の例を示す図である。図１０３は、図８８に示す木構造から分離された、疎な枝の例を示す図である。本変形例は、図１０２及び図１０３に示す木構造がそれぞれ符号化される。
【０６９３】
また、三次元データ符号化装置は、上層の木構造を符号化しない代わりに、枝の位置を示す情報を符号化する。例えば、この情報は、枝のルートの位置を示す。
【０６９４】
例えば、三次元データ符号化装置は、密な枝を生成した層を示すレイヤ情報と、密な枝が当該層の何番目の枝であるかを示す枝情報とを、当該密な枝の符号化データとして符号化する。これにより、三次元データ復号装置は、ビットストリームからレイヤ情報及び枝情報を復号し、これらのレイヤ情報及び枝情報を用いて、復号した密な枝がどの層の何番目の枝の三次元点群であるかを把握できる。また同様に、三次元データ符号化装置は、疎な枝を生成した層を示すレイヤ情報と、疎な枝が当該層の何番目の枝であるかを示す枝情報を、疎な枝の符号化データとして符号化する。
【０６９５】
これにより、三次元データ復号装置は、ビットストリームからレイヤ情報及び枝情報を復号し、これらのレイヤ情報及び枝情報を用いて、復号した疎な枝がどの層の何番目の枝の三次元点群であるかを把握できる。これにより、密な枝及び疎な枝より上位の層の情報を符号化することによるオーバヘッドを削減できるので、符号化効率を向上できる。
【０６９６】
なお、枝情報は、レイヤ情報で示される層内の各枝に割り振られた値を示してもよい。また、枝情報は、８分木のルートを起点として各ノードに割り振られた値を示してもよい。この場合、レイヤ情報は符号化されなくてもよい。また、三次元データ符号化装置は、密な枝と疎な枝をそれぞれ複数生成してもよい。
【０６９７】
図１０４は、本変形例における符号化処理のフローチャートである。まず、三次元データ符号化装置は、入力された三次元点群から１以上の疎な枝と１以上の密な枝とを生成する（Ｓ１７７１）。
【０６９８】
次に、三次元データ符号化装置は、密な枝を符号化することで符号化データを生成する（Ｓ１７７２）。次に、三次元データ符号化装置は、ステップＳ１７７１で生成した全ての密な枝の符号化が完了したか否かを判定する（Ｓ１７７３）。
【０６９９】
全ての密な枝の符号化が完了していない場合（Ｓ１７７３でＮｏ）、三次元データ符号化装置は、次の密な枝を選択し（Ｓ１７７４）、選択した密な枝を符号化することで符号化データを生成する（Ｓ１７７２）。
【０７００】
一方、全ての密な枝の符号化が完了した場合（Ｓ１７７３でＹｅｓ）、三次元データ符号化装置は、疎な枝を符号化することで符号化データを生成する（Ｓ１７７５）。次に、三次元データ符号化装置は、ステップＳ１７７１で生成した全ての疎な枝の符号化が完了したか否かを判定する（Ｓ１７７６）。
【０７０１】
全ての疎な枝の符号化が完了していない場合（Ｓ１７７６でＮｏ）、三次元データ符号化装置は、次の疎な枝を選択し（Ｓ１７７７）、選択した疎な枝を符号化することで符号化データを生成する（Ｓ１７７５）。
【０７０２】
一方、全ての疎な枝の符号化が完了した場合（Ｓ１７７６でＹｅｓ）、三次元データ符号化装置は、ステップＳ１７７２及びＳ１７７５で生成された符号化データを結合してビットストリームを生成する（Ｓ１７７８）。
【０７０３】
図１０４は、本変形例における復号処理のフローチャートである。まず、三次元データ復号装置は、ビットストリームから、密な枝の１以上の符号化データと疎な枝の１以上の符号化データとを抽出する（Ｓ１７８１）。次に、三次元データ復号装置は、密な枝の符号化データを復号することで密な枝の復号データを得る（Ｓ１７８２）。
【０７０４】
次に、三次元データ復号装置は、ステップＳ１７８１で抽出した全ての密な枝の符号化データの復号が完了したか否かを判定する（Ｓ１７８３）。全ての密な枝の符号化データの復号が完了していない場合（Ｓ１７８３でＮｏ）、三次元データ復号装置は、次の密な枝の符号化データを選択し（Ｓ１７８４）、選択した密な枝の符号化データを復号することで密な枝の復号データを得る（Ｓ１７８２）。
【０７０５】
一方、全ての密な枝の符号化データの復号が完了した場合（Ｓ１７８３でＹｅｓ）、三次元データ復号装置は、疎な枝の符号化データを復号することで疎な枝の復号データを得る（Ｓ１７８５）。
【０７０６】
次に、三次元データ復号装置は、ステップＳ１７８１で抽出した全ての疎な枝の符号化データの復号が完了したか否かを判定する（Ｓ１７８６）。全ての疎な枝の符号化データの復号が完了していない場合（Ｓ１７８６でＮｏ）、三次元データ復号装置は、次の疎な枝の符号化データを選択し（Ｓ１７８７）、選択した疎な枝の符号化データを復号することで疎な枝の復号データを得る（Ｓ１７８５）。
【０７０７】
一方、全ての疎な枝の符号化データの復号が完了した場合（Ｓ１７８６でＹｅｓ）、三次元データ復号装置は、ステップＳ１７８２及びＳ１７８５で得られた復号データを結合することで三次元点群を生成する（Ｓ１７８８）。
【０７０８】
なお、三次元データ符号化装置及び三次元データ復号装置は、密な枝と疎な枝とのどちらを先に符号化又は復号してもよい。また、複数のプロセッサ等により、並列に符号化処理、又は復号処理が行われてもよい。
【０７０９】
また、三次元データ符号化装置は、密な枝と疎な枝との一方を符号化してもよい。また、三次元データ符号化装置は、複数の密な枝の一部を符号化してもよい。例えば、特定の密な枝に重要な情報が含まれる場合、三次元データ符号化装置は、入力された三次元点群から密な枝と疎な枝とを抽出し、重要な情報が含まれる密な枝を符号化し、他の密な枝及び疎な枝を符号化しない。これにより、三次元データ符号化装置は、ビット量を抑制しつつ、重要な情報をストリームに付加することができる。例えば、サーバとクライアントとの間において、サーバにクライアントからクライアント周囲の三次元点群情報の送信要求があった場合、サーバは、クライアント周囲の重要な情報を密な枝として符号化してクライアントに送信する。これにより、サーバは、ネットワーク帯域を抑えつつ、クライアントが要求する情報を送信することができる。
【０７１０】
また、三次元データ復号装置は、密な枝と疎な枝との一方を復号してもよい。また、三次元データ復号装置は、複数の密な枝の一部を復号してもよい。例えば、特定の密な枝に重要な情報が含まれる場合、三次元データ復号装置は、その特定の密な枝を復号し、他の密な枝及び疎な枝を復号しない。これにより、三次元データ復号装置は、復号処理の処理負荷を抑えつつ、必要な情報を取得できる。
【０７１１】
図１０６は、図１０４に示す三次元点の分離処理（Ｓ１７７１）のフローチャートである。まず、三次元データ符号化装置は、層Ｌと閾値ＴＨを設定する（Ｓ１７６１）。なお、三次元データ符号化装置は、設定した層Ｌと閾値ＴＨとを示す情報をビットストリームに付加してもよい。
【０７１２】
次に、三次元データ符号化装置は、処理対象の枝として、層Ｌの先頭の枝を選択する（Ｓ１７６２）。次に、三次元データ符号化装置は、層Ｌの処理対象の枝の有効リーフ数をカウントする（Ｓ１７６３）。処理対象の枝の有効リーフ数が閾値ＴＨより多い場合（Ｓ１７６４でＹｅｓ）、三次元データ符号化装置は、処理対象の枝を密な枝に設定し、ビットストリームにレイヤ情報と枝情報とを付加する（Ｓ１７６５Ａ）。一方、処理対象の枝の有効リーフ数が閾値ＴＨ以下の場合（Ｓ１７６４でＮｏ）、三次元データ符号化装置は、処理対象の枝を疎な枝に設定し、ビットストリームにレイヤ情報と枝情報とを付加する（Ｓ１７６６Ａ）。
【０７１３】
層Ｌの全ての枝の処理を完了していない場合（Ｓ１７６７でＮｏ）、三次元データ符号化装置は、処理対象の枝として、層Ｌの次の枝を選択する（Ｓ１７６８）。そして、三次元データ符号化装置は、選択した次の処理対象の枝に対してステップＳ１７６３以降の処理を行う。上記の処理が、層Ｌの全ての枝の処理を完了するまで（Ｓ１７６７でＹｅｓ）、繰り返される。
【０７１４】
なお、上記説明では層Ｌと閾値ＴＨは予め設定されているが、必ずしもこれに限らない。例えば、三次元データ符号化装置は、層Ｌと閾値ＴＨとの組を複数パターン設定し、各組を用いて密な枝と疎な枝とを生成し、それぞれを符号化する。三次元データ符号化装置は、複数の組のうち、生成された符号化データの符号化効率が最も高い層Ｌと閾値ＴＨとの組で最終的に密な枝と疎な枝を符号化する。これにより符号化効率を高めることができる。また、三次元データ符号化装置は、例えば、層Ｌ及び閾値ＴＨを算出してもよい。例えば、三次元データ符号化装置は、木構造に含まれる層の最大値の半分の値を層Ｌに設定してもよい。また、三次元データ符号化装置は、木構造に含まれる複数の三次元点の総数の半分の値を閾値ＴＨに設定してもよい。
【０７１５】
以下、本変形例に係る三次元点群の符号化データのシンタックス例について説明する。図１０７は、このシンタックス例を示す図である。図１０７に示すシンタックス例では、図１０１に示すシンタックス例に対して、レイヤ情報であるｌａｙｅｒ＿ｉｄ［ｉ］と、枝情報であるｂｒａｎｃｈ＿ｉｄ［ｉ］とが追加されている。
【０７１６】
ｌａｙｅｒ＿ｉｄ［ｉ］は、ｉ番目のサブ三次元点群が属するレイヤ番号を示す。ｂｒａｎｃｈ＿ｉｄ［ｉ］は、ｉ番目のサブ三次元点群のｌａｙｅｒ＿ｉｄ［ｉ］内における枝番号を示す。
【０７１７】
ｌａｙｅｒ＿ｉｄ［ｉ］及びｂｒａｎｃｈ＿ｉｄ［ｉ］は、例えば８分木における枝の場所を表すレイヤ情報及び枝情報である。例えば、ｌａｙｅｒ＿ｉｄ［ｉ］＝２、ｂｒａｎｃｈ＿ｉｄ［ｉ］＝５は、ｉ番目の枝が層２の５番目の枝であることを示す。
【０７１８】
なお、三次元データ符号化装置は、上記方法で生成された符号化データをエントロピー符号化してもよい。例えば、三次元データ符号化装置は、各値を２値化したうえで算出符号化する。
【０７１９】
また、本変形例では、４分木構造又は８分木構造の例を示したが、必ずしもこれに限らず、２分木、１６分木等のＮ分木（Ｎは２以上の整数）、又は、その他の木構造に対して、上記手法を適用してもよい。
【０７２０】
以上のように、本実施の形態に係る三次元データ符号化装置は、図１０８に示す処理を行う。
【０７２１】
まず、三次元データ符号化装置は、三次元データに含まれる複数の三次元点のＮ（Ｎは２以上の整数）分木構造を生成する（Ｓ１８０１）。
【０７２２】
次に、三次元データ符号化装置は、Ｎ分木構造に含まれる複数の層のいずれかである第１層に含まれる第１ノードをルートとする第１の枝を第１符号化処理で符号化することで第１符号化データを生成する（Ｓ１８０２）。
【０７２３】
また、三次元データ符号化装置は、第１層に含まれる、第１ノードと異なる第２ノードをルートとする第２の枝を第１符号化処理と異なる第２符号化処理で符号化することで第２符号化データを生成する（Ｓ１８０３）。
【０７２４】
次に、三次元データ符号化装置は、第１符号化データと第２符号化データとを含むビットストリームを生成する（Ｓ１８０４）。
【０７２５】
これによれば、三次元データ符号化装置は、Ｎ分木構造に含まれる各々の枝に適した符号化処理を適用できるので符号化効率を向上できる。
【０７２６】
例えば、第１の枝に含まれる三次元点の数は、予め定められた閾値より少なく、第２の枝に含まれる三次元点の数は、閾値より多い。つまり、三次元データ符号化装置は、処理対象の枝に含まれる三次元点の数が、閾値より少ない場合、処理対象の枝を第１の枝に設定し、処理対象の枝に含まれる三次元点の数が、閾値より多い場合、処理対象の枝を第２の枝に設定する。
【０７２７】
例えば、第１符号化データは、第１の枝に含まれる複数の第１三次元点の第１Ｎ分木構造を第１方式で表す第１情報を含む。第２符号化データは、第２の枝に含まれる複数の第２三次元点の第２Ｎ分木構造を第２方式で表す第２情報を含む。つまり、第１符号化処理と第２符号化処理とは、符号化方式が異なる。
【０７２８】
例えば、第１符号化処理ではロケーション符号化が用いられ、第２符号化処理ではオキュパンシー符号化が用いられる。つまり、第１情報は、複数の第１三次元点の各々に対応する三次元点情報を含む。各三次元点情報は、第１Ｎ分木構造における複数の層の各々に対応するインデックスを含む。各インデックスは、対応する層に属するＮ個のサブブロックのうち、対応する第１三次元点が属するサブブロックを示す。第２情報は、第２Ｎ分木構造における複数の層に属する複数のサブブロックの各々に対応し、対応するサブブロックに三次元点が存在するか否かを示す１ビットの情報を複数含む。
【０７２９】
例えば、第２符号化処理で使用される量子化パラメータは、第１符号化処理で使用される量子化パラメータと異なる。つまり、第１符号化処理と第２符号化処理とは、符号化方式は同一であり、使用されるパラメータが異なる。
【０７３０】
例えば、図９２及び図９３に示すように、三次元データ符号化装置は、第１の枝の符号化では、Ｎ分木構造のルートから第１ノードに至る木構造と、第１の枝とを含む木構造を第１符号化処理で符号化し、第２の枝の符号化では、Ｎ分木構造のルートから第２ノードに至る木構造と、第２の枝とを含む木構造を第２符号化処理で符号化する。
【０７３１】
例えば、第１符号化データは、第１の枝の符号化データと、Ｎ分木構造における第１ノードの位置を示す第３情報とを含む。第２符号化データは、第２の枝の符号化データと、Ｎ分木構造における第２ノードの位置を示す第４情報とを含む。
【０７３２】
例えば、第３情報は、第１層を示す情報（レイヤ情報）と、第１ノードが第１層に含まれるノードのうちいずれのノードであるかを示す情報（枝情報）とを含む。第４情報は、第１層を示す情報（レイヤ情報）と、第２ノードが第１層に含まれるノードのうちいずれのノードであるかを示す情報（枝情報）とを含む。
【０７３３】
例えば、第１符号化データは、第１の枝に含まれる三次元点の数を示す情報（ｎｕｍＰｏｉｎｔ）を含み、第２符号化データは、第２の枝に含まれる三次元点の数を示す情報（ｎｕｍＰｏｉｎｔ）を含む。
【０７３４】
例えば、三次元データ符号化装置は、プロセッサと、メモリとを備え、プロセッサは、メモリを用いて、上記の処理を行う。
【０７３５】
また、実施の形態に係る三次元データ復号装置は、図１０９に示す処理を行う。
【０７３６】
まず、三次元データ復号装置は、ビットストリームから、複数の三次元点のＮ（Ｎは２以上の整数）分木構造に含まれる複数の層のいずれかである第１層に含まれる第１ノードをルートとする第１の枝が符号化されることで得られた第１符号化データと、第１層に含まれる、第１ノードと異なる第２ノードをルートとする第２の枝が符号化されることで得られた第２符号化データとを取得する（Ｓ１８１１）。
【０７３７】
次に、三次元データ復号装置は、第１符号化データを第１復号処理で復号することで第１の枝の第１復号データを生成する（Ｓ１８１２）。
【０７３８】
また、三次元データ復号装置は、第２符号化データを、第１復号処理と異なる第２復号処理で復号することで第２の枝の第２復号データを生成する（Ｓ１８１３）。
【０７３９】
次に、三次元データ復号装置は、第１復号データと第２復号データとを用いて複数の三次元点を復元する（Ｓ１８１４）。例えば、この三次元点は、第１復号データで示される複数の三次元点と、第２復号データで示される複数の三次元点とを含む。
【０７４０】
これによれば、三次元データ復号装置は、符号化効率を向上したビットストリームを復号できる。
【０７４１】
例えば、第１の枝に含まれる三次元点の数は、予め定められた閾値より少なく、第２の枝に含まれる三次元点の数は、閾値より多い。
【０７４２】
例えば、第１符号化データは、第１の枝に含まれる複数の第１三次元点の第１Ｎ分木構造を第１方式で表す第１情報を含む。第２符号化データは、第２の枝に含まれる複数の第２三次元点の第２Ｎ分木構造を第２方式で表す第２情報を含む。つまり、第１復号処理と第２復号処理とは、符号化方式（復号方式）が異なる。
【０７４３】
例えば、第１符号化データにはロケーション符号化が用いられており、第２符号化データにはオキュパンシー符号化が用いられている。つまり、第１情報は、複数の第１三次元点の各々に対応する三次元点情報を含む。各三次元点情報は、第１Ｎ分木構造における複数の層の各々に対応するインデックスを含む。各インデックスは、対応する層に属するＮ個のサブブロックのうち、対応する第１三次元点が属するサブブロックを示す。第２情報は、第２Ｎ分木構造における複数の層に属する複数のサブブロックの各々に対応し、対応するサブブロックに三次元点が存在するか否かを示す１ビットの情報を複数含む。
【０７４４】
例えば、第２復号処理で使用される量子化パラメータは、第１復号処理で使用される量子化パラメータと異なる。つまり、第１復号処理と第２復号処理とは、符号化方式（復号方式）は同一であり、使用されるパラメータが異なる。
【０７４５】
例えば、図９２及び図９３に示すように、三次元データ復号装置は、第１の枝の復号では、Ｎ分木構造のルートから第１ノードに至る木構造と、第１の枝とを含む木構造を第１復号処理で復号し、第２の枝の復号では、Ｎ分木構造のルートから第２ノードに至る木構造と、第２の枝とを含む木構造を第２復号処理で復号する。
【０７４６】
例えば、第１符号化データは、第１の枝の符号化データと、Ｎ分木構造における第１ノードの位置を示す第３情報とを含む。第２符号化データは、第２の枝の符号化データと、Ｎ分木構造における第２ノードの位置を示す第４情報とを含む。
【０７４７】
例えば、第３情報は、第１層を示す情報（レイヤ情報）と、第１ノードが第１層に含まれるノードのうちいずれのノードであるかを示す情報（枝情報）とを含む。第４情報は、第１層を示す情報（レイヤ情報）と、第２ノードが第１層に含まれるノードのうちいずれのノードであるかを示す情報（枝情報）とを含む。
【０７４８】
例えば、第１符号化データは、第１の枝に含まれる三次元点の数を示す情報（ｎｕｍＰｏｉｎｔ）を含み、第２符号化データは、第２の枝に含まれる三次元点の数を示す情報（ｎｕｍＰｏｉｎｔ）を含む。
【０７４９】
例えば、三次元データ復号装置は、プロセッサと、メモリとを備え、プロセッサは、メモリを用いて、上記の処理を行う。
【０７５０】
（実施の形態１１）
本実施の形態では、８分木のオキュパンシー符号に対する適応的なエントロピー符号化（算術符号化）について説明する。
【０７５１】
図１１０は、４分木の木構造の一例を示す図である。図１１１は、図１１０に示す木構造のオキュパンシー符号を示す図である。図１１２は、本実施に形態に係る三次元データ符号化装置の動作を模式的に示す図である。
【０７５２】
本実施の形態に係る三次元データ符号化装置は、８分木における８ビットのオキュパンシー符号化をエントロピー符号化する。また、三次元データ符号化装置は、オキュパンシー符号のエントロピー符号化処理において、符号化テーブルを更新する。また、三次元データ符号化装置は、単一の符号化テーブルを用いるのではなく、三次元点の類似性情報を利用するために適応的な符号化テーブルを用いる。つまり、三次元テータ符号化装置は、複数の符号化テーブルを用いる。
【０７５３】
また、類似性情報とは、例えば、三次元点の幾何情報、８分木の構造情報、又は、三次元点の属性情報である。
【０７５４】
なお、図１１０〜図１１２では、４分木を例に示したが、２分木、８分木、１６分木等のＮ分木の場合に同様の手法を適用してもよい。例えば、三次元データ符号化装置は、８分木の場合は８ビットのオキュパンシー符号、４分木の場合は４ビットのオキュパンシー符号、１６分木の場合は１６ビットのオキュパンシー符号に対して、適応的テーブル（ａｄａｐｔｉｖｅ  ｔａｂｌｅ：符号化テーブルとも呼ぶ）を用いてエントロピー符号化を行う。
【０７５５】
以下、三次元点（ポイントクラウド）の幾何情報（ｇｅｏｍｅｔｒｙ  ｉｎｆｏｒｍａｔｉｏｎ）を用いた適応的なエントロピー符号化処理について説明する。
【０７５６】
木構造内の２つのノードにおいて、各ノードの周辺の幾何学的な配置が類似する場合、子ノードの占有状態（つまり、三次元点が含まれるか否かの状態）が類似する可能性がある。よって、三次元データ符号化装置は、親ノードの周辺の幾何学的な配置を用いて、グループ化を行う。これにより、三次元データ符号化装置は、子ノードの占有状態をグループ化し、グループ毎に異なる符号化テーブルを用いることができる。よって、エントロピー符号化の符号化効率を向上できる。
【０７５７】
図１１３は、幾何情報の一例を示す図である。幾何情報は対象ノードの複数の隣接ノードの各々が占有されているか否か（つまり三次元点を含むか否か）を示す情報を含む。例えば、三次元データ符号化装置は、対象ノードの周辺の幾何学的な配置（Ｌｏｃａｌ  ｇｅｏｍｅｔｒｙ）を、隣接ノードに三次元点が含まれるか否か（ｏｃｃｕｐｉｅｄ  ｏｒ  ｎｏｎ−ｏｃｃｕｐｉｅｄ）の情報を用いて算出する。隣接ノードとは、例えば対象ノードの空間的に周囲に存在するノード、または、対象ノードとは異なる時間の同一位置、もしくはその空間的に周囲に存在するノードである。
【０７５８】
図１１３において、ハッチングの立方体は符号化対象の対象ノードを示す。白い立方体は隣接ノードであり、かつ三次元点を含むノードを示す。図１１３において、（２）に示す幾何パターンは（１）に示す幾何パターンを回転した形を表す。よって、三次元データ符号化装置は、これらの幾何パターンは、幾何類似性（ｇｅｏｍｅｔｒｙ  ｓｉｍｉｌａｒｉｔｙ）が高いと判断し、これらの幾何パターンに対しては同一の符号化テーブルを用いてエントロピー符号化を行う。また、三次元データ符号化装置は、（３）及び（４）の幾何パターンに対しては幾何類似性が低いと判断し、別の符号化テーブルを用いてエントロピー符号化を行う。
【０７５９】
図１１４は、図１１３に示す（１）〜（４）の幾何パターンにおける対象ノードのオキュパンシー符号と、エントロピー符号化に用いられる符号化テーブルの例を示す図である。三次元データ符号化装置は、上記のように幾何パターン（１）と（２）については同じ幾何グループに含まれると判断し、同一の符号化テーブルＡを用いる。また、三次元データ符号化装置は、幾何パターン（３）及び（４）にはそれぞれ符号化テーブルＢ及び符号化テーブルＣを用いる。
【０７６０】
また、図１１４に示すように、同一の幾何グループに含まれる幾何パターン（１）と（２）の対象ノードのオキュパンシー符号が同一になる場合がある。
【０７６１】
次に、木構造の構造情報（ｓｔｒｕｃｔｕｒｅ  ｉｎｆｏｒｍａｔｉｏｎ）を用いた適応的なエントロピー符号化処理について説明する。例えば、構造情報は対象ノードが属する層を示す情報を含む。
【０７６２】
図１１５は、木構造の一例を示す図である。一般に局所的な物体の形状は、探索の尺度に依存する。例えば、木構造において、下層は上層よりも疎になる傾向がある。よって、三次元データ符号化装置は、図１１５に示すように上層と下層とで異なる符号化テーブルを用いることで、エントロピー符号化の符号化効率を向上できる。
【０７６３】
つまり、三次元データ符号化装置は、各層のオキュパンシー符号を符号化する際に、層毎に異なる符号化テーブルを用いてもよい。例えば、図１１５に示す木構造に対して、三次元データ符号化装置は、層Ｎ（Ｎ＝０〜６）のオキュパンシー符号の符号化には層Ｎ用の符号化テーブルを用いてエントロピー符号化を行ってもよい。これにより、三次元データ符号化装置は、層毎のオキュパンシー符号の出現パターンに応じて符号化テーブルを切替えることができるので符号化効率を向上できる。
【０７６４】
また、三次元データ符号化装置は、図１１５に示すように、層０から層２までのオキュパンシー符号には符号化テーブルＡを用い、層３から層６までのオキュパンシー符号には符号化テーブルＢを用いてもよい。これにより、三次元データ符号化装置は、各層群毎のオキュパンシー符号の出現パターンに応じて符号化テーブルを切替えることができるので符号化効率を向上できる。また、三次元データ符号化装置は、各層で用いる符号化テーブルの情報をビットストリームのヘッダに付加してもよい。または、各層で用いる符号化テーブルが規格等で予め定められていてもよい。
【０７６５】
次に、三次元点の属性情報（ｐｒｏｐｅｒｔｙ  ｉｎｆｏｒｍａｔｉｏｎ）を用いた適応的なエントロピー符号化処理について説明する。例えば、属性情報は対象ノードが含まれる物体の情報、又は対象ノードが保持する法線ベクトルの情報を含む。
【０７６６】
三次元点の属性情報を用いて、類似する幾何学的な配置を有する三次元点をグループ化することができる。例えば、三次元点が有する共通の属性情報として、各三次元点の方向を表す法線ベクトル（ｎｏｒｍａｌ  ｖｅｃｔｏｒ）を用いることができる。法線ベクトルを用いることで、木構造内の類似するオキュパンシー符号に関連する幾何学的な配置を見つけることができる。
【０７６７】
また、属性情報として、色又は反射率（反射度）が用いられてもよい。例えば、三次元データ符号化装置は、三次元点の色又は反射度を用いて、類似する幾何学的な配置を有する三次元点をグループ化し、グループ毎に符号化テーブルを切替える等の処理を行う。
【０７６８】
図１１６は、法線ベクトルに基づく符号化テーブルの切り替えを説明するための図である。図１１６に示すように、対象ノードの法線ベクトルが属する法線ベクトル群が異なる場合、異なる符号化テーブルが用いられる。例えば、予め定められた範囲に含まれる法線ベクトルが１つの法線ベクトル群に分類される。
【０７６９】
また、対象物の分類が異なる場合、オキュパンシー符号も異なる可能性が高い。よって、三次元データ符号化装置は、対象ノードが属する対象物の分類に応じて、符号化テーブルを選択してもよい。図１１７は、対象物の分類に基づく符号化テーブルの切り替えを説明するための図である。図１１７に示すように、対象物の分類が異なる場合、異なる符号化テーブルが用いられる。
【０７７０】
以下、本実施の形態に係るビットストリームの構成例について説明する。図１１８は、本実施の形態に係る三次元データ符号化装置により生成されるビットストリームの構成例を示す図である。図１１８に示すようにビットストリームは、符号化テーブル群と、テーブルインデクスと、符号化オキュパンシーとを含む。符号化テーブル群は、複数の符号化テーブルを含む。
【０７７１】
テーブルインデックスは、後続の符号化オキュパンシーのエントロピー符号化に用いられた符号化テーブルを示すインデックスである。符号化オキュパンシーは、エントロピー符号化後のオキュパンシー符号である。また、図１１８に示すようにビットストリームは、テーブルインデックスと符号化オキュパンシーとの組を複数含む。
【０７７２】
例えば、図１１８に示す例の場合、符号化オキュパンシー０は、テーブルインデックス０で示されるコンテキストモデル（以下コンテキストとも呼ぶ）を用いてエントロピー符号化されたデータである。また、符号化オキュパンシー１は、テーブルインデックス１で示されるコンテキストを用いてエントロピー符号化されたデータである。また、予め規格等で符号化オキュパンシー０を符号化するためのコンテキストを規定しておき、三次元データ復号装置は、符号化オキュパンシー０の復号時にそのコンテキストを使用してもよい。これにより、テーブルインデックスをビットストリームに付加する必要がなくなるので、オーバヘッドを削減できる。
【０７７３】
また、三次元データ符号化装置は、ヘッダ内に各コンテキストを初期化するための情報を付加してもよい。
【０７７４】
三次元データ符号化装置は、対象ノードの幾何情報、構造情報又は属性情報を用いて符号化テーブルを決定し、決定した符号化テーブルを用いてオキュパンシー符号を符号化する。三次元データ符号化装置は、符号化結果と符号化に用いた符号化テーブルの情報（テーブルインデクス等）をビットストリームに付加し、当該ビットストリームを三次元データ復号装置に送信する。これにより、三次元データ復号装置は、ヘッダに付加された符号化テーブルの情報を用いてオキュパンシー符号を復号できる。
【０７７５】
また、三次元データ符号化装置は、符号化に用いた符号化テーブルの情報をビットストリームに付加せず、三次元データ復号装置は、復号後の対象ノードの幾何情報、構造情報又は属性情報を用いて符号化テーブルを三次元データ符号化装置と同じ方法で決定し、決定した符号化テーブルを用いてオキュパンシー符号を復号してもよい。これにより、ビットストリームに符号化テーブルの情報を付加する必要がなくなるので、オーバヘッドを削減できる。
【０７７６】
図１１９及び図１２０は、符号化テーブルの例を示す図である。図１１９及び図１２０に示すように、１つの符号化テーブルは、８ビットのオキュパンシー符号の値毎に、当該値に対応するコンテキストモデル及びコンテキストモデルタイプを示す。
【０７７７】
図１１９に示す符号化テーブルのように、複数のオキュパンシー符号に同一のコンテキストモデル（コンテキスト）が適用されてもよい。また、各オキュパンシー符号に別々のコンテキストモデルが割り当てられてもよい。これにより、オキュパンシー符号の出現確率に応じてコンテキストモデルを割り当てることができるので、符号化効率を向上することができる。
【０７７８】
また、コンテキストモデルタイプは、例えば、コンテキストモデルが、オキュパンシー符号の出現頻度に応じて確率テーブルを更新するコンテキストモデルであるか、確率テーブルを固定したコンテキストモデルであるか等を示す。
【０７７９】
次に、ビットストリーム及び符号化テーブルの別の例を示す。図１２１は、ビットストリームの変形例の構成例を示す図である。図１２１に示すようにビットストリームは、符号化テーブル群と、符号化オキュパンシーとを含む。符号化テーブル群は、複数の符号化テーブルを含む。
【０７８０】
図１２２及び図１２３は、符号化テーブルの例を示す図である。図１２２及び図１２３に示すように、１つの符号化テーブルは、オキュパンシー符号に含まれる１ビット毎に、当該１ビットに対応するコンテキストモデル及びコンテキストモデルタイプを示す。
【０７８１】
図１２４は、オキュパンシー符号と、オキュパンシー符号のビット番号との関係の一例を示す図である。
【０７８２】
このように、三次元データ符号化装置は、オキュパンシー符号をバイナリデータとして扱い、ビット毎に別々のコンテキストモデルを割り当ててオキュパンシー符号をエントロピー符号化してもよい。これにより、オキュパンシー符号の各ビットの出現確率に応じてコンテキストモデルを割り当てることができるので、符号化効率を向上することができる。
【０７８３】
具体的には、オキュパンシー符号の各ビットは、対象ノードに対応する空間ブロックを分割したサブブロックに対応する。よって、ブロック内の同じ空間位置のサブブロックに同様の傾向がある場合に符号化効率を向上できる。例えば、地面又は道路の表面がブロック内を横断する場合、８分木では、下の４つのブロックには三次元点が含まれ、上の４つのブロックには三次元点が含まれない。また、水平方向に並ぶ複数のブロックにおいて同様のパターンが現れる。よって、上記のようにビット毎にコンテキストを切り替えることで符号化効率を向上できる。
【０７８４】
また、オキュパンシー符号の各ビットの出現頻度に応じて確率テーブルを更新するコンテキストモデルが用いられてもよい。また、確率テーブルを固定したコンテキストモデルが用いられてもよい。
【０７８５】
次に、本実施の形態に係る三次元データ符号化処理及び三次元データ復号処理の流れを説明する。
【０７８６】
図１２５は、幾何情報を用いた適応的なエントロピー符号化処理を含む三次元データ符号化処理のフローチャートである。
【０７８７】
分解処理では、三次元点の初期バウンダリングボックスから８分木が生成される。バウンダリングボックス内の三次元点の位置に応じてバウンダリングボックスは分割される。具体的には、空でないサブ空間はさらに分割される。次に、サブ空間に三次元点が含まれるか否かを示す情報がオキュパンシー符号に符号化される。なお、図１２７及び図１２９に示す処理においても同様の処理が行われる。
【０７８８】
まず、三次元データ符号化装置は、入力された三次元点を取得する（Ｓ１９０１）。次に、三次元データ符号化装置は、単位長の分解処理が完了したか否かを判定する（Ｓ１９０２）。
【０７８９】
単位長の分解処理が完了していない場合（Ｓ１９０２でＮｏ）、三次元データ符号化装置は、対象ノードに分解処理を行うことで８分木を生成する（Ｓ１９０３）。
【０７９０】
次に、三次元データ符号化装置は、幾何情報を取得し（Ｓ１９０４）、取得した幾何情報に基づき符号化テーブルを選択する（Ｓ１９０５）。ここで幾何情報とは、例えば、上述したように、対象ノードの周辺ブロックの占有状態の幾何学的な配置等を示す情報である。
【０７９１】
次に、三次元データ符号化装置は、選択された符号化テーブルを用いて、対象ノードのオキュパンシー符号をエントロピー符号化する（Ｓ１９０６）。
【０７９２】
上記ステップＳ１９０３〜Ｓ１９０６の処理が単位長の分解処理が完了するまで繰り返えされる。単位長の分解処理が完了した場合（Ｓ１９０２でＹｅｓ）、三次元データ符号化装置は、生成した情報を含むビットストリームを出力する（Ｓ１９０７）。
【０７９３】
三次元データ符号化装置は、対象ノードの幾何情報、構造情報又は属性情報を用いて符号化テーブルを決定し、決定した符号化テーブルを用いてオキュパンシー符号のビット列を符号化する。三次元データ符号化装置は、符号化結果と符号化に用いた符号化テーブルの情報（テーブルインデックスなど）をビットストリームに付加し、当該ビットストリームを三次元データ復号装置に送信する。これにより、三次元データ復号装置は、ヘッダに付加された符号化テーブルの情報を用いてオキュパンシー符号を復号できる。
【０７９４】
また、三次元データ符号化装置は、符号化に用いた符号化テーブルの情報をビットストリームに付加せず、三次元データ復号装置は、復号後の対象ノードの幾何情報、構造情報又は属性情報を用いて符号化テーブルを三次元データ符号化装置と同じ方法で決定し、決定した符号化テーブルを用いてオキュパンシー符号を復号してもよい。これにより、ビットストリームに符号化テーブルの情報を付加する必要がなくなるので、オーバヘッドを削減できる。
【０７９５】
図１２６は、幾何情報を用いた適応的なエントロピー復号処理を含む三次元データ復号処理のフローチャートである。
【０７９６】
復号処理に含まれる分解処理は、上述した符号化処理に含まれる分解処理と同様であるが、以下の点が異なる。三次元データ復号装置は、復号したオキュパンシー符号を用いて、初期バウンダリングボックスを分割する。三次元データ復号装置は、単位長の処理を終了した場合、バウンダリングボックスの位置を三次元点と位置として保存する。なお、図１２８及び図１３０に示す処理においても同様の処理が行われる。
【０７９７】
まず、三次元データ復号装置は、入力されたビットストリームを取得する（Ｓ１９１１）。次に、三次元データ復号装置は、単位長の分解処理が完了したか否かを判定する（Ｓ１９１２）。
【０７９８】
単位長の分解処理が完了していない場合（Ｓ１９１２でＮｏ）、三次元データ復号装置は、対象ノードに分解処理を行うことで８分木を生成する（Ｓ１９１３）。
【０７９９】
次に、三次元データ復号装置は、幾何情報を取得し（Ｓ１９１４）、取得した幾何情報に基づき符号化テーブルを選択する（Ｓ１９１５）。ここで幾何情報とは、例えば、上述したように、対象ノードの周辺ブロックの占有状態の幾何学的な配置等を示す情報である。
【０８００】
次に、三次元データ復号装置は、選択された符号化テーブルを用いて、対象ノードのオキュパンシー符号をエントロピー復号する（Ｓ１９１６）。
【０８０１】
上記ステップＳ１９１３〜Ｓ１９１６の処理が単位長の分解処理が完了するまで繰り返えされる。単位長の分解処理が完了した場合（Ｓ１９１２でＹｅｓ）、三次元データ復号装置は、三次元点を出力する（Ｓ１９１７）。
【０８０２】
図１２７は、構造情報を用いた適応的なエントロピー符号化処理を含む三次元データ符号化処理のフローチャートである。
【０８０３】
まず、三次元データ符号化装置は、入力された三次元点を取得する（Ｓ１９２１）。次に、三次元データ符号化装置は、単位長の分解処理が完了したか否かを判定する（Ｓ１９２２）。
【０８０４】
単位長の分解処理が完了していない場合（Ｓ１９２２でＮｏ）、三次元データ符号化装置は、対象ノードに分解処理を行うことで８分木を生成する（Ｓ１９２３）。
【０８０５】
次に、三次元データ符号化装置は、構造情報を取得し（Ｓ１９２４）、取得した構造情報に基づき符号化テーブルを選択する（Ｓ１９２５）。ここで構造情報とは、例えば、上述したように、対象ノードが属する層等を示す情報である。
【０８０６】
次に、三次元データ符号化装置は、選択された符号化テーブルを用いて、対象ノードのオキュパンシー符号をエントロピー符号化する（Ｓ１９２６）。
【０８０７】
上記ステップＳ１９２３〜Ｓ１９２６の処理が単位長の分解処理が完了するまで繰り返えされる。単位長の分解処理が完了した場合（Ｓ１９２２でＹｅｓ）、三次元データ符号化装置は、生成した情報を含むビットストリームを出力する（Ｓ１９２７）。
【０８０８】
図１２８は、構造情報を用いた適応的なエントロピー復号処理を含む三次元データ復号処理のフローチャートである。
【０８０９】
まず、三次元データ復号装置は、入力されたビットストリームを取得する（Ｓ１９３１）。次に、三次元データ復号装置は、単位長の分解処理が完了したか否かを判定する（Ｓ１９３２）。
【０８１０】
単位長の分解処理が完了していない場合（Ｓ１９３２でＮｏ）、三次元データ復号装置は、対象ノードに分解処理を行うことで８分木を生成する（Ｓ１９３３）。
【０８１１】
次に、三次元データ復号装置は、構造情報を取得し（Ｓ１９３４）、取得した構造情報に基づき符号化テーブルを選択する（Ｓ１９３５）。ここで構造情報とは、例えば、上述したように、対象ノードが属する層等を示す情報である。
【０８１２】
次に、三次元データ復号装置は、選択された符号化テーブルを用いて、対象ノードのオキュパンシー符号をエントロピー復号する（Ｓ１９３６）。
【０８１３】
上記ステップＳ１９３３〜Ｓ１９３６の処理が単位長の分解処理が完了するまで繰り返えされる。単位長の分解処理が完了した場合（Ｓ１９３２でＹｅｓ）、三次元データ復号装置は、三次元点を出力する（Ｓ１９３７）。
【０８１４】
図１２９は、属性情報を用いた適応的なエントロピー符号化処理を含む三次元データ符号化処理のフローチャートである。
【０８１５】
まず、三次元データ符号化装置は、入力された三次元点を取得する（Ｓ１９４１）。次に、三次元データ符号化装置は、単位長の分解処理が完了したか否かを判定する（Ｓ１９４２）。
【０８１６】
単位長の分解処理が完了していない場合（Ｓ１９４２でＮｏ）、三次元データ符号化装置は、対象ノードに分解処理を行うことで８分木を生成する（Ｓ１９４３）。
【０８１７】
次に、三次元データ符号化装置は、属性情報を取得し（Ｓ１９４４）、取得した属性情報に基づき符号化テーブルを選択する（Ｓ１９４５）。ここで属性情報とは、例えば、上述したように、対象ノードの法線ベクトル等を示す情報である。
【０８１８】
次に、三次元データ符号化装置は、選択された符号化テーブルを用いて、対象ノードのオキュパンシー符号をエントロピー符号化する（Ｓ１９４６）。
【０８１９】
上記ステップＳ１９４３〜Ｓ１９４６の処理が単位長の分解処理が完了するまで繰り返えされる。単位長の分解処理が完了した場合（Ｓ１９４２でＹｅｓ）、三次元データ符号化装置は、生成した情報を含むビットストリームを出力する（Ｓ１９４７）。
【０８２０】
図１３０は、属性情報を用いた適応的なエントロピー復号処理を含む三次元データ復号処理のフローチャートである。
【０８２１】
まず、三次元データ復号装置は、入力されたビットストリームを取得する（Ｓ１９５１）。次に、三次元データ復号装置は、単位長の分解処理が完了したか否かを判定する（Ｓ１９５２）。
【０８２２】
単位長の分解処理が完了していない場合（Ｓ１９５２でＮｏ）、三次元データ復号装置は、対象ノードに分解処理を行うことで８分木を生成する（Ｓ１９５３）。
【０８２３】
次に、三次元データ復号装置は、属性情報を取得し（Ｓ１９５４）、取得した属性情報に基づき符号化テーブルを選択する（Ｓ１９５５）。ここで属性情報とは、例えば、上述したように、対象ノードの法線ベクトル等を示す情報である。
【０８２４】
次に、三次元データ復号装置は、選択された符号化テーブルを用いて、対象ノードのオキュパンシー符号をエントロピー復号する（Ｓ１９５６）。
【０８２５】
上記ステップＳ１９５３〜Ｓ１９５６の処理が単位長の分解処理が完了するまで繰り返えされる。単位長の分解処理が完了した場合（Ｓ１９５２でＹｅｓ）、三次元データ復号装置は、三次元点を出力する（Ｓ１９５７）。
【０８２６】
図１３１は、幾何情報を用いた符号化テーブルの選択処理（Ｓ１９０５）のフローチャートである。
【０８２７】
三次元データ符号化装置は、幾何情報として、例えば木構造の幾何グループの情報を用いてオキュパンシー符号のエントロピー符号化に用いる符号化テーブルを切替えてもよい。ここで幾何グループの情報とは、対象ノードの幾何パターンが含まれる幾何グループを示す情報である。
【０８２８】
図１３１に示すように、幾何情報で示される幾何グループが幾何グループ０である場合（Ｓ１９６１でＹｅｓ）、三次元データ符号化装置は符号化テーブル０を選択する（Ｓ１９６２）。幾何情報で示される幾何グループが幾何グループ１である場合（Ｓ１９６３でＹｅｓ）、三次元データ符号化装置は符号化テーブル１を選択する（Ｓ１９６４）。それ以外の場合（Ｓ１９６３でＮｏ）、三次元データ符号化装置は符号化テーブル２を選択する（Ｓ１９６５）。
【０８２９】
なお、符号化テーブルの選択方法は上記に限らない。例えば、三次元データ符号化装置は、幾何情報で示される幾何グループが幾何グループ２である場合には、符号化テーブル２を用いるなど、幾何グループの値に応じて更に符号化テーブルを切り替えてもよい。
【０８３０】
例えば、幾何グループは、対象ノードに隣接するノードに点群が含まれるか否かを示す占有情報を用いて決定される。また、回転等の変換を適用することで同じ形状になる幾何パターンは、同一の幾何グループに含まれてもよい。また、三次元データ符号化装置は、対象ノードに隣接する、又は対象ノードの周囲に位置する、対象ノードと同一層に属するノードの占有情報を用いて幾何グループを選択してもよい。また、三次元データ符号化装置は、対象ノードとは別の層に属するノードの占有情報を用いて幾何グループを選択してもよい。例えば、三次元データ符号化装置は、親ノード、又は、親ノードに隣接する、或いは親ノードの周囲に位置するノードの占有情報を用いて幾何グループを選択してもよい。
【０８３１】
なお、三次元データ復号装置における幾何情報を用いた符号化テーブルの選択処理（Ｓ１９１５）も上記と同様である。
【０８３２】
図１３２は、構造情報を用いた符号化テーブルの選択処理（Ｓ１９２５）のフローチャートである。
【０８３３】
三次元データ符号化装置は、構造情報として、例えば木構造の層の情報を用いてオキュパンシー符号のエントロピー符号化に用いる符号化テーブルを切替えてもよい。ここで、層の情報は、例えば、対象ノードが属する層を示す。
【０８３４】
図１３２に示すように、対象ノードが層０に属する場合（Ｓ１９７１でＹｅｓ）、三次元データ符号化装置は符号化テーブル０を選択する（Ｓ１９７２）。対象ノードが層１に属する場合（Ｓ１９７３でＹｅｓ）、三次元データ符号化装置は符号化テーブル１を選択する（Ｓ１９７４）。それ以外の場合（Ｓ１９７３でＮｏ）、三次元データ符号化装置は符号化テーブル２を選択する（Ｓ１９７５）。
【０８３５】
なお、符号化テーブルの選択方法は上記に限らない。例えば、三次元データ符号化装置は、対象ノードが層２に属する場合には、符号化テーブル２を用いるなど、対象ノードが属する層に応じて更に符号化テーブルを切り替えてもよい。
【０８３６】
また、三次元データ復号装置における構造情報を用いた符号化テーブルの選択処理（Ｓ１９３５）も上記と同様である。
【０８３７】
図１３３は、属性情報を用いた符号化テーブルの選択処理（Ｓ１９４５）のフローチャートである。
【０８３８】
三次元データ符号化装置は、属性情報として、例えば対象ノードが属する対象物の情報、又は対象ノードの法線ベクトルの情報を用いてオキュパンシー符号のエントロピー符号化に用いる符号化テーブルを切替えてもよい。
【０８３９】
図１３３に示すように、対象ノードの法線ベクトルが法線ベクトル群０に属する場合（Ｓ１９８１でＹｅｓ）、三次元データ符号化装置は符号化テーブル０を選択する（Ｓ１９８２）。対象ノードの法線ベクトルが法線ベクトル群１に属する場合（Ｓ１９８３でＹｅｓ）、三次元データ符号化装置は符号化テーブル１を選択する（Ｓ１９８４）。それ以外の場合（Ｓ１９８３でＮｏ）、三次元データ符号化装置は符号化テーブル２を選択する（Ｓ１９８５）。
【０８４０】
なお、符号化テーブルの選択方法は上記に限らない。例えば、三次元データ符号化装置は、対象ノードの法線ベクトルが法線ベクトル群２に属する場合には、符号化テーブル２を用いるなど、対象ノードの法線ベクトルが属する法線ベクトル群に応じて更に符号化テーブルを切り替えてもよい。
【０８４１】
例えば、三次元データ符号化装置は、法線ベクトル群を、対象ノードが持つ法線ベクトルの情報を用いて選択する。例えば、三次元データ符号化装置は、法線ベクトル間の距離が予め定められた閾値以下である法線ベクトルを同一の法線ベクトル群と判定する。
【０８４２】
また、対象ノードが属する対象物の情報とは、例えば人物、車、又は建物等の情報であってもよい。
【０８４３】
以下、本実施の形態に係る三次元データ符号化装置１９００及び三次元データ復号装置１９１０の構成を説明する。図１３４は、本実施の形態に係る三次元データ符号化装置１９００のブロック図である。図１３４に示す三次元データ符号化装置１９００は、８分木生成部１９０１と、類似性情報算出部１９０２と、符号化テーブル選択部１９０３と、エントロピー符号化部１９０４とを備える。
【０８４４】
８分木生成部１９０１は、入力された三次元点からから、例えば８分木を生成し、８分木に含まれる各ノードのオキュパンシー符号を生成する。類似性情報算出部１９０２は、例えば、対象ノードの幾何情報、構造情報、又は属性情報である類似性情報を取得する。符号化テーブル選択部１９０３は、対象ノードの類似性情報に応じて、オキュパンシー符号のエントロピー符号化に用いるコンテキストを選択する。エントロピー符号化部１９０４は、選択されたコンテキストを用いてオキュパンシー符号をエントロピー符号化することでビットストリームを生成する。なお、エントロピー符号化部１９０４は、選択されたコンテキストを示す情報をビットストリームに付加してもよい。
【０８４５】
図１３５は、本実施の形態に係る三次元データ復号装置１９１０のブロック図である。図１３５に示す三次元データ復号装置１９１０は、８分木生成部１９１１と、類似性情報算出部１９１２と、符号化テーブル選択部１９１３と、エントロピー復号部１９１４とを備える。
【０８４６】
８分木生成部１９１１は、エントロピー復号部１９１４から得た情報を用いて、例えば下層から上層へと順に８分木を生成する。類似性情報算出部１９１２は、対象ノードの幾何情報、構造情報、又は属性情報である類似性情報を取得する。符号化テーブル選択部１９１３は、対象ノードの類似性情報に応じて、オキュパンシー符号のエントロピー復号に用いるコンテキストを選択する。エントロピー復号部１９１４は、選択されたコンテキストを用いてオキュパンシー符号をエントロピー復号することで、三次元点を生成する。なお、エントロピー復号部１９１４は、ビットストリームに付加された、選択されたコンテキストの情報を復号して取得し、当該情報で示されるコンテキストを用いてもよい。
【０８４７】
以上、図１２２〜図１２４に示すように、オキュパンシー符号の各ビットに対して複数のコンテキストが設けられる。つまり、三次元データ符号化装置は、三次元データに含まれる複数の三次元点のＮ（Ｎは２以上の整数）分木構造を表すビット列を複数の符号化テーブルから選択された符号化テーブルを用いてエントロピー符号化する。ビット列は、Ｎ分木構造におけるノード毎にＮビットの情報を含む。Ｎビットの情報は、対応するノードのＮ個の子ノードの各々に三次元点が存在するか否かを示す１ビットの情報をＮ個含む。複数の符号化テーブルの各々において、Ｎビットの情報の各ビットに対してコンテキストが設けられている。三次元データ符号化装置は、エントロピー符号化では、Ｎビットの情報の各ビットを、選択された符号化テーブルにおいて当該ビットに対して設けられているコンテキストを用いてエントロピー符号化する。
【０８４８】
これによれば、三次元データ符号化装置は、ビット毎にコンテキストを切り替えることで符号化効率を向上できる。
【０８４９】
例えば、三次元データ符号化装置は、エントロピー符号化では、対象のノードに隣接する複数の隣接ノードの各々に三次元点が存在するかに基づき、複数の符号化テーブルから使用する符号化テーブルを選択する。これによれば、三次元データ符号化装置は、隣接ノードに三次元点が存在するか否かに基づき符号化テーブルを切り替えることで符号化効率を向上できる。
【０８５０】
例えば、三次元データ符号化装置は、エントロピー符号化では、複数の隣接ノードのうち三次元点が存在する隣接ノードの配置位置を示す配置パターンに基づき符号化テーブルを選択し、配置パターンのうち、回転により同一の配置パターンとなる配置パターンに対しては、同一の符号化テーブルを選択する。これによれば、三次元データ符号化装置は、符号化テーブルの増加を抑制できる。
【０８５１】
例えば、三次元データ符号化装置は、エントロピー符号化では、対象のノードが属する層に基づき、複数の符号化テーブルから使用する符号化テーブルを選択する。これによれば、三次元データ符号化装置は、対象ノードが属する層に基づき符号化テーブルを切り替えることで符号化効率を向上できる。
【０８５２】
例えば、三次元データ符号化装置は、エントロピー符号化では、対象のノードの法線ベクトルに基づき、複数の符号化テーブルから使用する符号化テーブルを選択する。これによれば、三次元データ符号化装置は、法線ベクトルに基づき符号化テーブルを切り替えることで符号化効率を向上できる。
【０８５３】
例えば、三次元データ符号化装置は、プロセッサと、メモリとを備え、プロセッサは、メモリを用いて、上記の処理を行う。
【０８５４】
また、三次元データ復号装置は、三次元データに含まれる複数の三次元点のＮ（Ｎは２以上の整数）分木構造を表すビット列を複数の符号化テーブルから選択された符号化テーブルを用いてエントロピー復号する。ビット列は、Ｎ分木構造におけるノード毎にＮビットの情報を含む。Ｎビットの情報は、対応するノードのＮ個の子ノードの各々に三次元点が存在するか否かを示す１ビットの情報をＮ個含む。複数の符号化テーブルの各々において、Ｎビットの情報の各ビットに対してコンテキストが設けられている。三次元データ復号装置は、エントロピー復号では、Ｎビットの情報の各ビットを、選択された符号化テーブルにおいて当該ビットに対して設けられているコンテキストを用いてエントロピー復号する。
【０８５５】
これによれば、三次元データ復号装置は、ビット毎にコンテキストを切り替えることで符号化効率を向上できる。
【０８５６】
例えば、三次元データ復号装置は、エントロピー復号では、対象のノードに隣接する複数の隣接ノードの各々に三次元点が存在するかに基づき、複数の符号化テーブルから使用する符号化テーブルを選択する。これによれば、三次元データ復号装置は、隣接ノードに三次元点が存在するか否かに基づき符号化テーブルを切り替えることで符号化効率を向上できる。
【０８５７】
例えば、三次元データ復号装置は、エントロピー復号では、複数の隣接ノードのうち三次元点が存在する隣接ノードの配置位置を示す配置パターンに基づき符号化テーブルを選択し、配置パターンのうち、回転により同一の配置パターンとなる配置パターンに対しては、同一の符号化テーブルを選択する。これによれば、三次元データ復号装置は、符号化テーブルの増加を抑制できる。
【０８５８】
例えば、三次元データ復号装置は、エントロピー復号では、対象のノードが属する層に基づき、複数の符号化テーブルから使用する符号化テーブルを選択する。これによれば、三次元データ復号装置は、対象ノードが属する層に基づき符号化テーブルを切り替えることで符号化効率を向上できる。
【０８５９】
例えば、三次元データ復号装置は、エントロピー復号では、対象のノードの法線ベクトルに基づき、複数の符号化テーブルから使用する符号化テーブルを選択する。これによれば、三次元データ復号装置は、法線ベクトルに基づき符号化テーブルを切り替えることで符号化効率を向上できる。
【０８６０】
例えば、三次元データ復号装置は、プロセッサと、メモリとを備え、プロセッサは、メモリを用いて、上記の処理を行う。
【０８６１】
以上、本開示の実施の形態に係る三次元データ符号化装置及び三次元データ復号装置等について説明したが、本開示は、この実施の形態に限定されるものではない。
【０８６２】
また、上記実施の形態に係る三次元データ符号化装置及び三次元データ復号装置等に含まれる各処理部は典型的には集積回路であるＬＳＩとして実現される。これらは個別に１チップ化されてもよいし、一部又は全てを含むように１チップ化されてもよい。
【０８６３】
また、集積回路化はＬＳＩに限るものではなく、専用回路又は汎用プロセッサで実現してもよい。ＬＳＩ製造後にプログラムすることが可能なＦＰＧＡ（Ｆｉｅｌｄ  Ｐｒｏｇｒａｍｍａｂｌｅ  Ｇａｔｅ  Ａｒｒａｙ）、又はＬＳＩ内部の回路セルの接続や設定を再構成可能なリコンフィギュラブル・プロセッサを利用してもよい。
【０８６４】
また、上記各実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【０８６５】
また、本開示は、三次元データ符号化装置及び三次元データ復号装置等により実行される三次元データ符号化方法又は三次元データ復号方法等として実現されてもよい。
【０８６６】
また、ブロック図における機能ブロックの分割は一例であり、複数の機能ブロックを一つの機能ブロックとして実現したり、一つの機能ブロックを複数に分割したり、一部の機能を他の機能ブロックに移してもよい。また、類似する機能を有する複数の機能ブロックの機能を単一のハードウェア又はソフトウェアが並列又は時分割に処理してもよい。
【０８６７】
また、フローチャートにおける各ステップが実行される順序は、本開示を具体的に説明するために例示するためのものであり、上記以外の順序であってもよい。また、上記ステップの一部が、他のステップと同時（並列）に実行されてもよい。
【０８６８】
以上、一つまたは複数の態様に係る三次元データ符号化装置及び三次元データ復号装置等について、実施の形態に基づいて説明したが、本開示は、この実施の形態に限定されるものではない。本開示の趣旨を逸脱しない限り、当業者が思いつく各種変形を本実施の形態に施したものや、異なる実施の形態における構成要素を組み合わせて構築される形態も、一つまたは複数の態様の範囲内に含まれてもよい。
【産業上の利用可能性】
【０８６９】
本開示は、三次元データ符号化装置及び三次元データ復号装置に適用できる。
【符号の説明】
【０８７０】
１００、４００  三次元データ符号化装置
１０１、２０１、４０１、５０１  取得部
１０２、４０２  符号化領域決定部
１０３  分割部
１０４、６４４  符号化部
１１１  三次元データ
１１２、２１１、４１３、４１４、５１１、６３４  符号化三次元データ
２００、５００  三次元データ復号装置
２０２  復号開始ＧＯＳ決定部
２０３  復号ＳＰＣ決定部
２０４、６２５  復号部
２１２、５１２、５１３  復号三次元データ
４０３  ＳＷＬＤ抽出部
４０４  ＷＬＤ符号化部
４０５  ＳＷＬＤ符号化部
４１１  入力三次元データ
４１２  抽出三次元データ
５０２  ヘッダ解析部
５０３  ＷＬＤ復号部
５０４  ＳＷＬＤ復号部
６２０、６２０Ａ  三次元データ作成装置
６２１、６４１  三次元データ作成部
６２２  要求範囲決定部
６２３  探索部
６２４、６４２  受信部
６２６  合成部
６３１、６５１  センサ情報
６３２  第１三次元データ
６３３  要求範囲情報
６３５  第２三次元データ
６３６  第３三次元データ
６４０  三次元データ送信装置
６４３  抽出部
６４５  送信部
６５２  第５三次元データ
６５４  第６三次元データ
７００  三次元情報処理装置
７０１  三次元マップ取得部
７０２  自車検知データ取得部
７０３  異常ケース判定部
７０４  対処動作決定部
７０５  動作制御部
７１１  三次元マップ
７１２  自車検知三次元データ
８１０  三次元データ作成装置
８１１  データ受信部
８１２、８１９  通信部
８１３  受信制御部
８１４、８２１  フォーマット変換部
８１５  センサ
８１６  三次元データ作成部
８１７  三次元データ合成部
８１８  三次元データ蓄積部
８２０  送信制御部
８２２  データ送信部
８３１、８３２、８３４、８３５、８３６、８３７  三次元データ
８３３  センサ情報
９０１  サーバ
９０２、９０２Ａ、９０２Ｂ、９０２Ｃ  クライアント装置
１０１１、１１１１  データ受信部
１０１２、１０２０、１１１２、１１２０  通信部
１０１３、１１１３  受信制御部
１０１４、１０１９、１１１４、１１１９  フォーマット変換部
１０１５  センサ
１０１６、１１１６  三次元データ作成部
１０１７  三次元画像処理部
１０１８、１１１８  三次元データ蓄積部
１０２１、１１２１  送信制御部
１０２２、１１２２  データ送信部
１０３１、１０３２、１１３５  三次元マップ
１０３３、１０３７、１１３２  センサ情報
１０３４、１０３５、１１３４  三次元データ
１１１７  三次元データ合成部
１２０１  三次元マップ圧縮／復号処理部
１２０２  センサ情報圧縮／復号処理部
１２１１  三次元マップ復号処理部
１２１２  センサ情報圧縮処理部
１３００  三次元データ符号化装置
１３０１  分割部
１３０２  減算部
１３０３  変換部
１３０４  量子化部
１３０５、１４０２  逆量子化部
１３０６、１４０３  逆変換部
１３０７、１４０４  加算部
１３０８、１４０５  参照ボリュームメモリ
１３０９、１４０６  イントラ予測部
１３１０、１４０７  参照スペースメモリ
１３１１、１４０８  インター予測部
１３１２、１４０９  予測制御部
１３１３  エントロピー符号化部
１４００  三次元データ復号装置
１４０１  エントロピー復号部
１５０１  サーバ
１５０２  クライアント
１５１１  記憶部
１５１２  制御部
１５１３  符号化三次元マップ
１５２１  デコーダ
１５２２  アプリケーション
１９００  三次元データ符号化装置
１９０１、１９１１  ８分木生成部
１９０２、１９１２  類似性情報算出部
１９０３、１９１３  符号化テーブル選択部
１９０４  エントロピー符号化部
１９１０  三次元データ復号装置
１９１４  エントロピー復号部
【図１】
2019146691.tif 000003
【図２】
2019146691.tif 000004
【図３】
2019146691.tif 000005
【図４】
2019146691.tif 000006
【図５】
2019146691.tif 000007
【図６】
2019146691.tif 000008
【図７】
2019146691.tif 000009
【図８】
2019146691.tif 000010
【図９】
2019146691.tif 000011
【図１０】
2019146691.tif 000012
【図１１】
2019146691.tif 000013
【図１２】
2019146691.tif 000014
【図１３】
2019146691.tif 000015
【図１４】
2019146691.tif 000016
【図１５】
2019146691.tif 000017
【図１６】
2019146691.tif 000018
【図１７】
2019146691.tif 000019
【図１８】
2019146691.tif 000020
【図１９】
2019146691.tif 000021
【図２０】
2019146691.tif 000022
【図２１】
2019146691.tif 000023
【図２２】
2019146691.tif 000024
【図２３】
2019146691.tif 000025
【図２４】
2019146691.tif 000026
【図２５】
2019146691.tif 000027
【図２６】
2019146691.tif 000028
【図２７】
2019146691.tif 000029
【図２８】
2019146691.tif 000030
【図２９】
2019146691.tif 000031
【図３０】
2019146691.tif 000032
【図３１】
2019146691.tif 000033
【図３２】
2019146691.tif 000034
【図３３】
2019146691.tif 000035
【図３４】
2019146691.tif 000036
【図３５】
2019146691.tif 000037
【図３６】
2019146691.tif 000038
【図３７】
2019146691.tif 000039
【図３８】
2019146691.tif 000040
【図３９】
2019146691.tif 000041
【図４０】
2019146691.tif 000042
【図４１】
2019146691.tif 000043
【図４２】
2019146691.tif 000044
【図４３】
2019146691.tif 000045
【図４４】
2019146691.tif 000046
【図４５】
2019146691.tif 000047
【図４６】
2019146691.tif 000048
【図４７】
2019146691.tif 000049
【図４８】
2019146691.tif 000050
【図４９】
2019146691.tif 000051
【図５０】
2019146691.tif 000052
【図５１】
2019146691.tif 000053
【図５２】
2019146691.tif 000054
【図５３】
2019146691.tif 000055
【図５４】
2019146691.tif 000056
【図５５】
2019146691.tif 000057
【図５６】
2019146691.tif 000058
【図５７】
2019146691.tif 000059
【図５８】
2019146691.tif 000060
【図５９】
2019146691.tif 000061
【図６０】
2019146691.tif 000062
【図６１】
2019146691.tif 000063
【図６２】
2019146691.tif 000064
【図６３】
2019146691.tif 000065
【図６４】
2019146691.tif 000066
【図６５】
2019146691.tif 000067
【図６６】
2019146691.tif 000068
【図６７】
2019146691.tif 000069
【図６８】
2019146691.tif 000070
【図６９】
2019146691.tif 000071
【図７０】
2019146691.tif 000072
【図７１】
2019146691.tif 000073
【図７２】
2019146691.tif 000074
【図７３】
2019146691.tif 000075
【図７４】
2019146691.tif 000076
【図７５】
2019146691.tif 000077
【図７６】
2019146691.tif 000078
【図７７】
2019146691.tif 000079
【図７８】
2019146691.tif 000080
【図７９】
2019146691.tif 000081
【図８０】
2019146691.tif 000082
【図８１】
2019146691.tif 000083
【図８２】
2019146691.tif 000084
【図８３】
2019146691.tif 000085
【図８４】
2019146691.tif 000086
【図８５】
2019146691.tif 000087
【図８６】
2019146691.tif 000088
【図８７】
2019146691.tif 000089
【図８８】
2019146691.tif 000090
【図８９】
2019146691.tif 000091
【図９０】
2019146691.tif 000092
【図９１】
2019146691.tif 000093
【図９２】
2019146691.tif 000094
【図９３】
2019146691.tif 000095
【図９４】
2019146691.tif 000096
【図９５】
2019146691.tif 000097
【図９６】
2019146691.tif 000098
【図９７】
2019146691.tif 000099
【図９８】
2019146691.tif 000100
【図９９】
2019146691.tif 000101
【図１００】
2019146691.tif 000102
【図１０１】
2019146691.tif 000103
【図１０２】
2019146691.tif 000104
【図１０３】
2019146691.tif 000105
【図１０４】
2019146691.tif 000106
【図１０５】
2019146691.tif 000107
【図１０６】
2019146691.tif 000108
【図１０７】
2019146691.tif 000109
【図１０８】
2019146691.tif 000110
【図１０９】
2019146691.tif 000111
【図１１０】
2019146691.tif 000112
【図１１１】
2019146691.tif 000113
【図１１２】
2019146691.tif 000114
【図１１３】
2019146691.tif 000115
【図１１４】
2019146691.tif 000116
【図１１５】
2019146691.tif 000117
【図１１６】
2019146691.tif 000118
【図１１７】
2019146691.tif 000119
【図１１８】
2019146691.tif 000120
【図１１９】
2019146691.tif 000121
【図１２０】
2019146691.tif 000122
【図１２１】
2019146691.tif 000123
【図１２２】
2019146691.tif 000124
【図１２３】
2019146691.tif 000125
【図１２４】
2019146691.tif 000126
【図１２５】
2019146691.tif 000127
【図１２６】
2019146691.tif 000128
【図１２７】
2019146691.tif 000129
【図１２８】
2019146691.tif 000130
【図１２９】
2019146691.tif 000131
【図１３０】
2019146691.tif 000132
【図１３１】
2019146691.tif 000133
【図１３２】
2019146691.tif 000134
【図１３３】
2019146691.tif 000135
【図１３４】
2019146691.tif 000136
【図１３５】
2019146691.tif 000137
【国際調査報告】
2019146691.tif 000138
2019146691.tif 000139
2019146691.tif 000140
2019146691.tif 000141